(57)【要約】【課題】撮影される人物の識別を自動的に行い、画像データを容易に取得し得る撮影装置を提供する。【解決手段】撮影装置は、（Ａ）撮影される人物１０に所持され、該人物に付与された固有の識別子を識別子信号ＩＤＳとして送出する識別子信号送出手段２１と、（Ｂ）識別子信号送出手段２１から送出された識別子信号ＩＤＳを受け取る識別子信号認識手段２２と、（Ｃ）識別子信号ＩＤＳを受け取った識別子信号認識手段２２の指示（撮影開始信号）に基づき、該人物１０の撮影を行う撮影手段２３を具備する。【選択図】　図１
2004056415.tif 000002
【特許請求の範囲】
【請求項１】
（Ａ）撮影される人物に所持され、該人物に付与された固有の識別子を識別子信号として送出する識別子信号送出手段と、
（Ｂ）識別子信号送出手段から送出された識別子信号を受け取る識別子信号認識手段と、
（Ｃ）識別子信号を受け取った識別子信号認識手段の指示に基づき、該人物の撮影を行う撮影手段、
を具備することを特徴とする撮影装置。
【請求項２】
識別子信号を受け取ってから所定時間経過後、識別子信号認識手段は撮影手段に撮影開始信号を送出し、撮影開始信号を受け取った撮影手段は撮影を行うことを特徴とする請求項１に記載の撮影装置。
【請求項３】
撮影手段は、静止画を撮影するカメラであることを特徴とする請求項２に記載の撮影装置。
【請求項４】
撮影手段は、識別子信号認識手段から撮影開始信号を受け取った後、一定時間の間、動画を撮影するカメラであることを特徴とする請求項２に記載の撮影装置。
【請求項５】
識別子信号を受け取った識別子信号認識手段は、直ちに、撮影手段に撮影開始信号を送出し、
撮影開始信号を受け取った撮影手段は、所定時間経過後、撮影を行うことを特徴とする請求項１に記載の撮影装置。
【請求項６】
撮影手段は、静止画を撮影するカメラであることを特徴とする請求項５に記載の撮影装置。
【請求項７】
撮影手段は、所定時間経過後、一定時間の間、動画を撮影するカメラであることを特徴とする請求項５に記載の撮影装置。
【請求項８】
識別子信号認識手段が受け取る識別子信号の強度が第１の強度以上となったとき、識別子信号認識手段は、撮影手段に動作開始信号を送出し、識別子信号認識手段が受け取る識別子信号の強度が第１の強度を越える第２の強度以上となったとき、識別子信号認識手段は、撮影手段に撮影開始信号を送出し、
撮影開始信号を受け取った撮影手段は撮影を行い、
識別子信号認識手段が受け取る識別子信号の強度が第１の強度以下となったとき、識別子信号認識手段は、撮影手段に動作停止信号を送出することを特徴とする請求項１に記載の撮影装置。
【請求項９】
撮影手段は、静止画を撮影するカメラであることを特徴とする請求項８に記載の撮影装置。
【請求項１０】
撮影手段は、識別子信号認識手段から撮影開始信号を受け取った後、一定時間の間、動画を撮影するカメラであることを特徴とする請求項８に記載の撮影装置。
【請求項１１】
識別子信号認識手段が受け取る識別子信号の強度が第２の強度以下となったとき、識別子信号認識手段は、撮影手段に撮影停止信号を送出し、
撮影手段は、識別子信号認識手段から撮影開始信号を受け取ってから撮影停止信号を受け取るまでの間、動画を撮影するカメラであることを特徴とする請求項８に記載の撮影装置。
【請求項１２】
（Ａ）撮影される人物に所持され、該人物に付与された固有の識別子を識別子信号として送出する識別子信号送出手段と、
（Ｂ）識別子信号送出手段から送出された識別子信号を受け取る識別子信号認識手段と、
（Ｃ）識別子信号を受け取った識別子信号認識手段の指示に基づき、該人物の撮影を行う撮影手段と、
（Ｄ）識別子データを記録した識別子サーバ、
を具備し、
識別子信号を受け取った識別子信号認識手段は、該識別子信号に基づく識別子データを識別子サーバに送出し、
該識別子サーバは、識別子サーバ内に記録された識別子データと識別子信号認識手段から送出された識別子データとを照合し、照合結果を識別子信号認識手段に送出し、
識別子データが一致した旨の照合結果を識別子信号認識手段が受け取った後、識別子信号認識手段は撮影手段に撮影を行うべき指示を発することを特徴とする撮影装置。
【請求項１３】
識別子データが一致した旨の照合結果を受け取ってから所定時間経過後、識別子信号認識手段は撮影手段に撮影開始信号を送出し、撮影開始信号を受け取った撮影手段は撮影を行うことを特徴とする請求項１２に記載の撮影装置。
【請求項１４】
撮影手段は、静止画を撮影するカメラであることを特徴とする請求項１３に記載の撮影装置。
【請求項１５】
撮影手段は、識別子信号認識手段から撮影開始信号を受け取った後、一定時間の間、動画を撮影するカメラであることを特徴とする請求項１３に記載の撮影装置。
【請求項１６】
識別子データが一致した旨の照合結果を受け取った後、識別子信号認識手段は、直ちに、撮影手段に撮影開始信号を送出し、
撮影開始信号を受け取った撮影手段は、所定時間経過後、撮影を行うことを特徴とする請求項１２に記載の撮影装置。
【請求項１７】
撮影手段は、静止画を撮影するカメラであることを特徴とする請求項１６に記載の撮影装置。
【請求項１８】
撮影手段は、所定時間経過後、一定時間の間、動画を撮影するカメラであることを特徴とする請求項１６に記載の撮影装置。
【請求項１９】
識別子信号認識手段が受け取る識別子信号の強度が第１の強度以上となったとき、識別子信号認識手段は、該識別子信号に基づく識別子データを識別子サーバに送出し、
識別子信号認識手段が受け取る識別子信号の強度が第１の強度を越える第２の強度以上となり、且つ、識別子データが一致した旨の照合結果を受け取った後、識別子信号認識手段は、撮影手段に撮影開始信号を送出し、
撮影開始信号を受け取った撮影手段は撮影を行い、
識別子信号認識手段が受け取る識別子信号の強度が第１の強度以下となったとき、識別子信号認識手段は、撮影手段に動作停止信号を送出することを特徴とする請求項１２に記載の撮影装置。
【請求項２０】
撮影手段は、静止画を撮影するカメラであることを特徴とする請求項１９に記載の撮影装置。
【請求項２１】
撮影手段は、識別子信号認識手段から撮影開始信号を受け取った後、一定時間の間、動画を撮影するカメラであることを特徴とする請求項１９に記載の撮影装置。
【請求項２２】
識別子信号認識手段が受け取る識別子信号の強度が第２の強度以下となったとき、識別子信号認識手段は、撮影手段に撮影停止信号を送出し、
撮影手段は、識別子信号認識手段から撮影開始信号を受け取ってから撮影停止信号を受け取るまでの間、動画を撮影するカメラであることを特徴とする請求項１９に記載の撮影装置。
【請求項２３】
（Ａ）撮影される人物に所持され、該人物に付与された固有の識別子を識別子信号として送出する識別子信号送出手段と、
（Ｂ）識別子信号送出手段から送出された識別子信号を受け取る識別子信号認識手段と、
（Ｃ）該人物の撮影を行う撮影手段と、
（Ｄ）識別子データを記録した識別子サーバ、
を具備し、
識別子信号を受け取った識別子信号認識手段は、該識別子信号に基づく識別子データを識別子サーバに送出し、
該識別子サーバは、識別子サーバ内に記録された識別子データと識別子信号認識手段から送出された識別子データとを照合し、
識別子データが一致した場合、識別子サーバの指示に基づき撮影手段は撮影を行うことを特徴とする撮影装置。
【請求項２４】
識別子データが一致した旨の照合結果を出してから所定時間経過後、識別子サーバは撮影手段に撮影開始信号を送出し、撮影開始信号を受け取った撮影手段は撮影を行うことを特徴とする請求項２３に記載の撮影装置。
【請求項２５】
撮影手段は、静止画を撮影するカメラであることを特徴とする請求項２４に記載の撮影装置。
【請求項２６】
撮影手段は、識別子サーバから撮影開始信号を受け取った後、一定時間の間、動画を撮影するカメラであることを特徴とする請求項２４に記載の撮影装置。
【請求項２７】
識別子データが一致した場合、識別子サーバは、直ちに、撮影手段に撮影開始信号を送出し、
撮影開始信号を受け取った撮影手段は、所定時間経過後、撮影を行うことを特徴とする請求項２３に記載の撮影装置。
【請求項２８】
撮影手段は、静止画を撮影するカメラであることを特徴とする請求項２７に記載の撮影装置。
【請求項２９】
撮影手段は、所定時間経過後、一定時間の間、動画を撮影するカメラであることを特徴とする請求項２７に記載の撮影装置。
【請求項３０】
識別子信号認識手段が受け取る識別子信号の強度が第１の強度以上となったとき、識別子信号認識手段は、該識別子信号に基づく識別子データを識別子サーバに送出し、
識別子信号認識手段が受け取る識別子信号の強度が第１の強度を越える第２の強度以上となったとき、識別子信号認識手段は、撮影手段に撮影開始信号を送出し、
識別子データが一致した場合、識別子サーバは、撮影手段に撮影開始信号を送出し、
識別子サーバ及び識別子信号認識手段から撮影開始信号を受け取った撮影手段は撮影を行い、
識別子信号認識手段が受け取る識別子信号の強度が第１の強度以下となったとき、識別子信号認識手段は、撮影手段に動作停止信号を送出することを特徴とする請求項２３に記載の撮影装置。
【請求項３１】
識別子信号認識手段が受け取る識別子信号の強度が第２の強度以下となったとき、識別子信号認識手段は、撮影手段に撮影停止信号を送出し、
撮影手段は、識別子サーバ及び識別子信号認識手段から撮影開始信号を受け取ってから撮影停止信号を受け取るまでの間、動画を撮影するカメラであることを特徴とする請求項３０に記載の撮影装置。
【請求項３２】
識別子信号認識手段が受け取る識別子信号の強度が第１の強度以上となったとき、識別子信号認識手段は、該識別子信号に基づく識別子データを識別子サーバに送出し、
識別子信号認識手段が受け取る識別子信号の強度が第１の強度を越える第２の強度以上となったとき、識別子信号認識手段は、識別子サーバに撮影開始信号を送出し、
識別子データが一致し、且つ、識別子信号認識手段から撮影開始信号を受け取った識別子サーバは、撮影手段に撮影開始信号を送出し、
識別子サーバから撮影開始信号を受け取った撮影手段は撮影を行い、
識別子信号認識手段が受け取る識別子信号の強度が第１の強度以下となったとき、識別子信号認識手段は、識別子サーバに動作停止信号を送出し、
識別子信号認識手段から動作停止信号を受け取った識別子サーバは、撮影手段に動作停止信号を送出することを特徴とする請求項２３に記載の撮影装置。
【請求項３３】
識別子信号認識手段が受け取る識別子信号の強度が第２の強度以下となったとき、識別子信号認識手段は、識別子サーバに撮影停止信号を送出し、
識別子信号認識手段から撮影停止信号を受け取った識別子サーバは、撮影手段に撮影停止信号を送出し、
撮影手段は、識別子サーバから撮影開始信号を受け取ってから撮影停止信号を受け取るまでの間、動画を撮影するカメラであることを特徴とする請求項３２に記載の撮影装置。
【請求項３４】
撮影手段は、静止画を撮影するカメラであることを特徴とする請求項３０又は請求項３２に記載の撮影装置。
【請求項３５】
撮影手段は、撮影開始信号を受け取った後、一定時間の間、動画を撮影するカメラであることを特徴とする請求項３０又は請求項３２に記載の撮影装置。
【請求項３６】
識別子信号送出手段は、人物に着脱可能に装着されていることを特徴とする請求項１、請求項１２及び請求項２３のいずれか１項に記載の撮影装置。
【請求項３７】
識別子信号送出手段は、装着された人物が、固有の識別子が付与された人物であるか否かを検出する検出手段を有することを特徴とする請求項３６に記載の撮影装置。
【請求項３８】
（Ａ）撮影される人物に所持され、該人物に付与された固有の識別子を識別子信号として送出する識別子信号送出手段と、
（Ｂ）識別子信号送出手段から送出された識別子信号を受け取る識別子信号認識手段と、
（Ｃ）識別子信号を受け取った識別子信号認識手段の指示に基づき、該人物の撮影を行う撮影手段と、
（Ｄ）撮影手段によって撮影された画像を、データベース化して記録する画像記録サーバ、
を具備することを特徴とする撮影・記録装置。
【請求項３９】
識別子信号を受け取ってから所定時間経過後、識別子信号認識手段は撮影手段に撮影開始信号を送出し、撮影開始信号を受け取った撮影手段は撮影を行うことを特徴とする請求項３８に記載の撮影・記録装置。
【請求項４０】
撮影手段は、静止画を撮影するカメラであることを特徴とする請求項３９に記載の撮影・記録装置。
【請求項４１】
撮影手段は、識別子信号認識手段から撮影開始信号を受け取った後、一定時間の間、動画を撮影するカメラであることを特徴とする請求項３９に記載の撮影・記録装置。
【請求項４２】
識別子信号を受け取った識別子信号認識手段は、直ちに、撮影手段に撮影開始信号を送出し、
撮影開始信号を受け取った撮影手段は、所定時間経過後、撮影を行うことを特徴とする請求項３８に記載の撮影・記録装置。
【請求項４３】
撮影手段は、静止画を撮影するカメラであることを特徴とする請求項４２に記載の撮影・記録装置。
【請求項４４】
撮影手段は、所定時間経過後、一定時間の間、動画を撮影するカメラであることを特徴とする請求項４２に記載の撮影・記録装置。
【請求項４５】
識別子信号認識手段が受け取る識別子信号の強度が第１の強度以上となったとき、識別子信号認識手段は、撮影手段に動作開始信号を送出し、
識別子信号認識手段が受け取る識別子信号の強度が第１の強度を越える第２の強度以上となったとき、識別子信号認識手段は、撮影手段に撮影開始信号を送出し、
撮影開始信号を受け取った撮影手段は撮影を行い、
識別子信号認識手段が受け取る識別子信号の強度が第１の強度以下となったとき、識別子信号認識手段は、撮影手段に動作停止信号を送出することを特徴とする請求項３８に記載の撮影・記録装置。
【請求項４６】
撮影手段は、静止画を撮影するカメラであることを特徴とする請求項４５に記載の撮影・記録装置。
【請求項４７】
撮影手段は、識別子信号認識手段から撮影開始信号を受け取った後、一定時間の間、動画を撮影するカメラであることを特徴とする請求項４５に記載の撮影・記録装置。
【請求項４８】
識別子信号認識手段が受け取る識別子信号の強度が第２の強度以下となったとき、識別子信号認識手段は、撮影手段に撮影停止信号を送出し、
撮影手段は、識別子信号認識手段から撮影開始信号を受け取ってから撮影停止信号を受け取るまでの間、動画を撮影するカメラであることを特徴とする請求項４５に記載の撮影・記録装置。
【請求項４９】
（Ａ）撮影される人物に所持され、該人物に付与された固有の識別子を識別子信号として送出する識別子信号送出手段と、
（Ｂ）識別子信号送出手段から送出された識別子信号を受け取る識別子信号認識手段と、
（Ｃ）識別子信号を受け取った識別子信号認識手段の指示に基づき、該人物の撮影を行う撮影手段と、
（Ｄ）撮影手段によって撮影された画像を、データベース化して記録する画像記録サーバと、
（Ｅ）識別子データを記録した識別子サーバ、
を具備し、
識別子信号を受け取った識別子信号認識手段は、該識別子信号に基づく識別子データを識別子サーバに送出し、
該識別子サーバは、識別子サーバ内に記録された識別子データと識別子信号認識手段から送出された識別子データとを照合し、照合結果を識別子信号認識手段に送出し、
識別子データが一致した旨の照合結果を識別子信号認識手段が受け取った後、識別子信号認識手段は撮影手段に撮影を行うべき指示を発することを特徴とする撮影・記録装置。
【請求項５０】
識別子データが一致した旨の照合結果を受け取ってから所定時間経過後、識別子信号認識手段は撮影手段に撮影開始信号を送出し、撮影開始信号を受け取った撮影手段は撮影を行うことを特徴とする請求項４９に記載の撮影・記録装置。
【請求項５１】
撮影手段は、静止画を撮影するカメラであることを特徴とする請求項５０に記載の撮影・記録装置。
【請求項５２】
撮影手段は、識別子信号認識手段から撮影開始信号を受け取った後、一定時間の間、動画を撮影するカメラであることを特徴とする請求項５０に記載の撮影・記録装置。
【請求項５３】
識別子データが一致した旨の照合結果を受け取った後、識別子信号認識手段は、直ちに、撮影手段に撮影開始信号を送出し、
撮影開始信号を受け取った撮影手段は、所定時間経過後、撮影を行うことを特徴とする請求項４９に記載の撮影・記録装置。
【請求項５４】
撮影手段は、静止画を撮影するカメラであることを特徴とする請求項５３に記載の撮影・記録装置。
【請求項５５】
撮影手段は、所定時間経過後、一定時間の間、動画を撮影するカメラであることを特徴とする請求項５３に記載の撮影・記録装置。
【請求項５６】
識別子信号認識手段が受け取る識別子信号の強度が第１の強度以上となったとき、識別子信号認識手段は、該識別子信号に基づく識別子データを識別子サーバに送出し、
識別子信号認識手段が受け取る識別子信号の強度が第１の強度を越える第２の強度以上となり、且つ、識別子データが一致した旨の照合結果を受け取った後、識別子信号認識手段は、撮影手段に撮影開始信号を送出し、
撮影開始信号を受け取った撮影手段は撮影を行い、
識別子信号認識手段が受け取る識別子信号の強度が第１の強度以下となったとき、識別子信号認識手段は、撮影手段に動作停止信号を送出することを特徴とする請求項４９に記載の撮影・記録装置。
【請求項５７】
撮影手段は、静止画を撮影するカメラであることを特徴とする請求項５６に記載の撮影・記録装置。
【請求項５８】
撮影手段は、識別子信号認識手段から撮影開始信号を受け取った後、一定時間の間、動画を撮影するカメラであることを特徴とする請求項５６に記載の撮影・記録装置。
【請求項５９】
識別子信号認識手段が受け取る識別子信号の強度が第２の強度以下となったとき、識別子信号認識手段は、撮影手段に撮影停止信号を送出し、
撮影手段は、識別子信号認識手段から撮影開始信号を受け取ってから撮影停止信号を受け取るまでの間、動画を撮影するカメラであることを特徴とする請求項５６に記載の撮影・記録装置。
【請求項６０】
（Ａ）撮影される人物に所持され、該人物に付与された固有の識別子を識別子信号として送出する識別子信号送出手段と、
（Ｂ）識別子信号送出手段から送出された識別子信号を受け取る識別子信号認識手段と、
（Ｃ）該人物の撮影を行う撮影手段と、
（Ｄ）撮影手段によって撮影された画像を、データベース化して記録する画像記録サーバと、
（Ｅ）識別子データを記録した識別子サーバ、
を具備し、
識別子信号を受け取った識別子信号認識手段は、該識別子信号に基づく識別子データを識別子サーバに送出し、
該識別子サーバは、識別子サーバ内に記録された識別子データと識別子信号認識手段から送出された識別子データとを照合し、
識別子データが一致した場合、識別子サーバの指示に基づき撮影手段は撮影を行うことを特徴とする撮影・記録装置。
【請求項６１】
識別子データが一致した旨の照合結果を出してから所定時間経過後、識別子サーバは撮影手段に撮影開始信号を送出し、撮影開始信号を受け取った撮影手段は撮影を行うことを特徴とする請求項６０に記載の撮影・記録装置。
【請求項６２】
撮影手段は、静止画を撮影するカメラであることを特徴とする請求項６１に記載の撮影・記録装置。
【請求項６３】
撮影手段は、識別子サーバから撮影開始信号を受け取った後、一定時間の間、動画を撮影するカメラであることを特徴とする請求項６１に記載の撮影・記録装置。
【請求項６４】
識別子データが一致した場合、識別子サーバは、直ちに、撮影手段に撮影開始信号を送出し、
撮影開始信号を受け取った撮影手段は、所定時間経過後、撮影を行うことを特徴とする請求項６０に記載の撮影・記録装置。
【請求項６５】
撮影手段は、静止画を撮影するカメラであることを特徴とする請求項６４に記載の撮影・記録装置。
【請求項６６】
撮影手段は、所定時間経過後、一定時間の間、動画を撮影するカメラであることを特徴とする請求項６４に記載の撮影・記録装置。
【請求項６７】
識別子信号認識手段が受け取る識別子信号の強度が第１の強度以上となったとき、識別子信号認識手段は、該識別子信号に基づく識別子データを識別子サーバに送出し、
識別子信号認識手段が受け取る識別子信号の強度が第１の強度を越える第２の強度以上となったとき、識別子信号認識手段は、撮影手段に撮影開始信号を送出し、
識別子データが一致した場合、識別子サーバは、撮影手段に撮影開始信号を送出し、
識別子サーバ及び識別子信号認識手段から撮影開始信号を受け取った撮影手段は撮影を行い、
識別子信号認識手段が受け取る識別子信号の強度が第１の強度以下となったとき、識別子信号認識手段は、撮影手段に動作停止信号を送出することを特徴とする請求項６０に記載の撮影・記録装置。
【請求項６８】
識別子信号認識手段が受け取る識別子信号の強度が第２の強度以下となったとき、識別子信号認識手段は、撮影手段に撮影停止信号を送出し、
撮影手段は、識別子サーバ及び識別子信号認識手段から撮影開始信号を受け取ってから撮影停止信号を受け取るまでの間、動画を撮影するカメラであることを特徴とする請求項６７に記載の撮影・記録装置。
【請求項６９】
識別子信号認識手段が受け取る識別子信号の強度が第１の強度以上となったとき、識別子信号認識手段は、該識別子信号に基づく識別子データを識別子サーバに送出し、
識別子信号認識手段が受け取る識別子信号の強度が第１の強度を越える第２の強度以上となったとき、識別子信号認識手段は、識別子サーバに撮影開始信号を送出し、
識別子データが一致し、且つ、識別子信号認識手段から撮影開始信号を受け取った識別子サーバは、撮影手段に撮影開始信号を送出し、
識別子サーバから撮影開始信号を受け取った撮影手段は撮影を行い、
識別子信号認識手段が受け取る識別子信号の強度が第１の強度以下となったとき、識別子信号認識手段は、識別子サーバに動作停止信号を送出し、
識別子信号認識手段から動作停止信号を受け取った識別子サーバは、撮影手段に動作停止信号を送出することを特徴とする請求項６０に記載の撮影・記録装置。
【請求項７０】
識別子信号認識手段が受け取る識別子信号の強度が第２の強度以下となったとき、識別子信号認識手段は、識別子サーバに撮影停止信号を送出し、
識別子信号認識手段から撮影停止信号を受け取った識別子サーバは、撮影手段に撮影停止信号を送出し、
撮影手段は、識別子サーバから撮影開始信号を受け取ってから撮影停止信号を受け取るまでの間、動画を撮影するカメラであることを特徴とする請求項６９に記載の撮影・記録装置。
【請求項７１】
撮影手段は、静止画を撮影するカメラであることを特徴とする請求項６７又は請求項６９に記載の撮影・記録装置。
【請求項７２】
撮影手段は、撮影開始信号を受け取った後、一定時間の間、動画を撮影するカメラであることを特徴とする請求項６７又は請求項６９に記載の撮影・記録装置。
【請求項７３】
撮影手段と画像記録サーバとは、通信回線を介して接続されていることを特徴とする請求項３８、請求項４９及び請求項６０のいずれか１項に記載の撮影・記録装置。
【請求項７４】
画像記録サーバに記録されるデータベース化されたデータは、少なくとも、撮影日時、人物に付与された識別子、及び、デジタル化された画像データから構成されていることを特徴とする請求項３８、請求項４９及び請求項６０のいずれか１項に記載の撮影・記録装置。
【請求項７５】
画像記録サーバに記録されるデータベース化されたデータは、更に、撮影手段を識別する撮影手段識別子から構成されていることを特徴とする請求項７４に記載の撮影・記録装置。
【請求項７６】
画像記録サーバは、画像記録サーバに記録され、デジタル化された画像データの編集を行うことを特徴とする請求項７４に記載の撮影・記録装置。
【請求項７７】
デジタル化された画像データの編集は、画像データ中の人物に相当するデータ部と画像合成用テンプレートとの合成であることを特徴とする請求項７６に記載の撮影・記録装置。
【請求項７８】
デジタル化された画像データの編集は、画像データのアルバム化であることを特徴とする請求項７６に記載の撮影・記録装置。
【請求項７９】
識別子信号送出手段は、人物に着脱可能に装着されていることを特徴とする請求項３８、請求項４９及び請求項６０のいずれか１項に記載の撮影・記録装置。
【請求項８０】
識別子信号送出手段は、装着された人物が、固有の識別子が付与された人物であるか否かを検出する検出手段を有することを特徴とする請求項７９に記載の撮影・記録装置。
【請求項８１】
（Ａ）撮影される人物に所持され、該人物に付与された固有の識別子を識別子信号として送出する識別子信号送出手段と、
（Ｂ）識別子信号送出手段から送出された識別子信号を受け取る識別子信号認識手段と、
（Ｃ）識別子信号を受け取った識別子信号認識手段の指示に基づき、該人物の撮影を行う撮影手段と、
（Ｄ）撮影手段によって撮影された画像を、データベース化して記録する画像記録サーバと、
（Ｅ）画像記録サーバと通信回線を介して接続された端末機器、
を具備し、
画像記録サーバは、画像記録サーバに記録され、データベース化されたデータ及び／又はデータベース化完了通知を、端末機器に配信することを特徴とする撮影・記録・配信装置。
【請求項８２】
識別子信号を受け取ってから所定時間経過後、識別子信号認識手段は撮影手段に撮影開始信号を送出し、撮影開始信号を受け取った撮影手段は撮影を行うことを特徴とする請求項８１に記載の撮影・記録・配信装置。
【請求項８３】
撮影手段は、静止画を撮影するカメラであることを特徴とする請求項８２に記載の撮影・記録・配信装置。
【請求項８４】
撮影手段は、識別子信号認識手段から撮影開始信号を受け取った後、一定時間の間、動画を撮影するカメラであることを特徴とする請求項８２に記載の撮影・記録・配信装置。
【請求項８５】
識別子信号を受け取った識別子信号認識手段は、直ちに、撮影手段に撮影開始信号を送出し、
撮影開始信号を受け取った撮影手段は、所定時間経過後、撮影を行うことを特徴とする請求項８１に記載の撮影・記録・配信装置。
【請求項８６】
撮影手段は、静止画を撮影するカメラであることを特徴とする請求項８５に記載の撮影・記録・配信装置。
【請求項８７】
撮影手段は、所定時間経過後、一定時間の間、動画を撮影するカメラであることを特徴とする請求項８５に記載の撮影・記録・配信装置。
【請求項８８】
識別子信号認識手段が受け取る識別子信号の強度が第１の強度以上となったとき、識別子信号認識手段は、撮影手段に動作開始信号を送出し、
識別子信号認識手段が受け取る識別子信号の強度が第１の強度を越える第２の強度以上となったとき、識別子信号認識手段は、撮影手段に撮影開始信号を送出し、
撮影開始信号を受け取った撮影手段は撮影を行い、
識別子信号認識手段が受け取る識別子信号の強度が第１の強度以下となったとき、識別子信号認識手段は、撮影手段に動作停止信号を送出することを特徴とする請求項８１に記載の撮影・記録・配信装置。
【請求項８９】
撮影手段は、静止画を撮影するカメラであることを特徴とする請求項８８に記載の撮影・記録・配信装置。
【請求項９０】
撮影手段は、識別子信号認識手段から撮影開始信号を受け取った後、一定時間の間、動画を撮影するカメラであることを特徴とする請求項８８に記載の撮影・記録・配信装置。
【請求項９１】
識別子信号認識手段が受け取る識別子信号の強度が第２の強度以下となったとき、識別子信号認識手段は、撮影手段に撮影停止信号を送出し、
撮影手段は、識別子信号認識手段から撮影開始信号を受け取ってから撮影停止信号を受け取るまでの間、動画を撮影するカメラであることを特徴とする請求項８８に記載の撮影・記録・配信装置。
【請求項９２】
（Ａ）撮影される人物に所持され、該人物に付与された固有の識別子を識別子信号として送出する識別子信号送出手段と、
（Ｂ）識別子信号送出手段から送出された識別子信号を受け取る識別子信号認識手段と、
（Ｃ）識別子信号を受け取った識別子信号認識手段の指示に基づき、該人物の撮影を行う撮影手段と、
（Ｄ）撮影手段によって撮影された画像を、データベース化して記録する画像記録サーバと、
（Ｅ）画像記録サーバと通信回線を介して接続された端末機器と、
（Ｆ）識別子データを記録した識別子サーバ、
を具備し、
識別子信号を受け取った識別子信号認識手段は、該識別子信号に基づく識別子データを識別子サーバに送出し、
該識別子サーバは、識別子サーバ内に記録された識別子データと識別子信号認識手段から送出された識別子データとを照合し、照合結果を識別子信号認識手段に送出し、
識別子データが一致した旨の照合結果を識別子信号認識手段が受け取った後、識別子信号認識手段は撮影手段に撮影を行うべき指示を発し、
画像記録サーバは、画像記録サーバに記録され、データベース化されたデータ及び／又はデータベース化完了通知を、端末機器に配信することを特徴とする撮影・記録・配信装置。
【請求項９３】
識別子データが一致した旨の照合結果を受け取ってから所定時間経過後、識別子信号認識手段は撮影手段に撮影開始信号を送出し、撮影開始信号を受け取った撮影手段は撮影を行うことを特徴とする請求項９２に記載の撮影・記録・配信装置。
【請求項９４】
撮影手段は、静止画を撮影するカメラであることを特徴とする請求項９３に記載の撮影・記録・配信装置。
【請求項９５】
撮影手段は、識別子信号認識手段から撮影開始信号を受け取った後、一定時間の間、動画を撮影するカメラであることを特徴とする請求項９３に記載の撮影・記録・配信装置。
【請求項９６】
識別子データが一致した旨の照合結果を受け取った後、識別子信号認識手段は、直ちに、撮影手段に撮影開始信号を送出し、
撮影開始信号を受け取った撮影手段は、所定時間経過後、撮影を行うことを特徴とする請求項９２に記載の撮影・記録・配信装置。
【請求項９７】
撮影手段は、静止画を撮影するカメラであることを特徴とする請求項９６に記載の撮影・記録・配信装置。
【請求項９８】
撮影手段は、所定時間経過後、一定時間の間、動画を撮影するカメラであることを特徴とする請求項９６に記載の撮影・記録・配信装置。
【請求項９９】
識別子信号認識手段が受け取る識別子信号の強度が第１の強度以上となったとき、識別子信号認識手段は、該識別子信号に基づく識別子データを識別子サーバに送出し、
識別子信号認識手段が受け取る識別子信号の強度が第１の強度を越える第２の強度以上となり、且つ、識別子データが一致した旨の照合結果を受け取った後、識別子信号認識手段は、撮影手段に撮影開始信号を送出し、
撮影開始信号を受け取った撮影手段は撮影を行い、
識別子信号認識手段が受け取る識別子信号の強度が第１の強度以下となったとき、識別子信号認識手段は、撮影手段に動作停止信号を送出することを特徴とする請求項９２に記載の撮影・記録・配信装置。
【請求項１００】
撮影手段は、静止画を撮影するカメラであることを特徴とする請求項９９に記載の撮影・記録・配信装置。
【請求項１０１】
撮影手段は、識別子信号認識手段から撮影開始信号を受け取った後、一定時間の間、動画を撮影するカメラであることを特徴とする請求項９９に記載の撮影・記録・配信装置。
【請求項１０２】
識別子信号認識手段が受け取る識別子信号の強度が第２の強度以下となったとき、識別子信号認識手段は、撮影手段に撮影停止信号を送出し、
撮影手段は、識別子信号認識手段から撮影開始信号を受け取ってから撮影停止信号を受け取るまでの間、動画を撮影するカメラであることを特徴とする請求項９９に記載の撮影・記録・配信装置。
【請求項１０３】
（Ａ）撮影される人物に所持され、該人物に付与された固有の識別子を識別子信号として送出する識別子信号送出手段と、
（Ｂ）識別子信号送出手段から送出された識別子信号を受け取る識別子信号認識手段と、
（Ｃ）該人物の撮影を行う撮影手段と、
（Ｄ）撮影手段によって撮影された画像を、データベース化して記録する画像記録サーバと、
（Ｅ）画像記録サーバと通信回線を介して接続された端末機器と、
（Ｆ）識別子データを記録した識別子サーバ、
を具備し、
識別子信号を受け取った識別子信号認識手段は、該識別子信号に基づく識別子データを識別子サーバに送出し、
該識別子サーバは、識別子サーバ内に記録された識別子データと識別子信号認識手段から送出された識別子データとを照合し、
識別子データが一致した場合、識別子サーバの指示に基づき撮影手段は撮影を行い、
画像記録サーバは、画像記録サーバに記録され、データベース化されたデータ及び／又はデータベース化完了通知を、端末機器に配信することを特徴とする撮影・記録・配信装置。
【請求項１０４】
識別子データが一致した旨の照合結果を出してから所定時間経過後、識別子サーバは撮影手段に撮影開始信号を送出し、撮影開始信号を受け取った撮影手段は撮影を行うことを特徴とする請求項１０３に記載の撮影・記録・配信装置。
【請求項１０５】
撮影手段は、静止画を撮影するカメラであることを特徴とする請求項１０４に記載の撮影・記録・配信装置。
【請求項１０６】
撮影手段は、識別子サーバから撮影開始信号を受け取った後、一定時間の間、動画を撮影するカメラであることを特徴とする請求項１０４に記載の撮影・記録・配信装置。
【請求項１０７】
識別子データが一致した場合、識別子サーバは、直ちに、撮影手段に撮影開始信号を送出し、
撮影開始信号を受け取った撮影手段は、所定時間経過後、撮影を行うことを特徴とする請求項１０３に記載の撮影・記録・配信装置。
【請求項１０８】
撮影手段は、静止画を撮影するカメラであることを特徴とする請求項１０７に記載の撮影・記録・配信装置。
【請求項１０９】
撮影手段は、所定時間経過後、一定時間の間、動画を撮影するカメラであることを特徴とする請求項１０７に記載の撮影・記録・配信装置。
【請求項１１０】
識別子信号認識手段が受け取る識別子信号の強度が第１の強度以上となったとき、識別子信号認識手段は、該識別子信号に基づく識別子データを識別子サーバに送出し、
識別子信号認識手段が受け取る識別子信号の強度が第１の強度を越える第２の強度以上となったとき、識別子信号認識手段は、撮影手段に撮影開始信号を送出し、
識別子データが一致した場合、識別子サーバは、撮影手段に撮影開始信号を送出し、
識別子サーバ及び識別子信号認識手段から撮影開始信号を受け取った撮影手段は撮影を行い、
識別子信号認識手段が受け取る識別子信号の強度が第１の強度以下となったとき、識別子信号認識手段は、撮影手段に動作停止信号を送出することを特徴とする請求項１０３に記載の撮影・記録・配信装置。
【請求項１１１】
識別子信号認識手段が受け取る識別子信号の強度が第２の強度以下となったとき、識別子信号認識手段は、撮影手段に撮影停止信号を送出し、
撮影手段は、識別子サーバ及び識別子信号認識手段から撮影開始信号を受け取ってから撮影停止信号を受け取るまでの間、動画を撮影するカメラであることを特徴とする請求項１１０に記載の撮影・記録・配信装置。
【請求項１１２】
識別子信号認識手段が受け取る識別子信号の強度が第１の強度以上となったとき、識別子信号認識手段は、該識別子信号に基づく識別子データを識別子サーバに送出し、
識別子信号認識手段が受け取る識別子信号の強度が第１の強度を越える第２の強度以上となったとき、識別子信号認識手段は、識別子サーバに撮影開始信号を送出し、
識別子データが一致し、且つ、識別子信号認識手段から撮影開始信号を受け取った識別子サーバは、撮影手段に撮影開始信号を送出し、
識別子サーバから撮影開始信号を受け取った撮影手段は撮影を行い、
識別子信号認識手段が受け取る識別子信号の強度が第１の強度以下となったとき、識別子信号認識手段は、識別子サーバに動作停止信号を送出し、
識別子信号認識手段から動作停止信号を受け取った識別子サーバは、撮影手段に動作停止信号を送出することを特徴とする請求項１０３に記載の撮影・記録・配信装置。
【請求項１１３】
識別子信号認識手段が受け取る識別子信号の強度が第２の強度以下となったとき、識別子信号認識手段は、識別子サーバに撮影停止信号を送出し、
識別子信号認識手段から撮影停止信号を受け取った識別子サーバは、撮影手段に撮影停止信号を送出し、
撮影手段は、識別子サーバから撮影開始信号を受け取ってから撮影停止信号を受け取るまでの間、動画を撮影するカメラであることを特徴とする請求項１１２に記載の撮影・記録・配信装置。
【請求項１１４】
撮影手段は、静止画を撮影するカメラであることを特徴とする請求項１１０又は請求項１１２に記載の撮影・記録・配信装置。
【請求項１１５】
撮影手段は、撮影開始信号を受け取った後、一定時間の間、動画を撮影するカメラであることを特徴とする請求項１１０又は請求項１１２に記載の撮影・記録・配信装置。
【請求項１１６】
撮影手段と画像記録サーバとは、通信回線を介して接続されていることを特徴とする請求項８１、請求項９２及び請求項１０３のいずれか１項に記載の撮影・記録・配信装置。
【請求項１１７】
画像記録サーバに記録されるデータベース化されたデータは、少なくとも、撮影日時、人物に付与された識別子、及び、デジタル化された画像データから構成されていることを特徴とする請求項８１、請求項９２及び請求項１０３のいずれか１項に記載の撮影・記録・配信装置。
【請求項１１８】
画像記録サーバは、通信回線を介した端末機器からの要求に応じて、画像記録サーバに記録されたデータの内、少なくとも画像データを通信回線を介して端末機器に配信することを特徴とする請求項１１７に記載の撮影・記録・配信装置。
【請求項１１９】
画像記録サーバは、通信回線を介した端末機器からの要求に応じて、人物に付与された識別子により特定された画像記録サーバに記録されたデータの内、少なくとも画像データを端末機器に通信回線を介して配信することを特徴とする請求項１１８に記載の撮影・記録・配信装置。
【請求項１２０】
画像記録サーバは、通信回線を介した端末機器からの要求に応じて、更に、撮影日時により特定された画像記録サーバに記録されたデータの内、少なくとも画像データを通信回線を介して端末機器に配信することを特徴とする請求項１１９に記載の撮影・記録・配信装置。
【請求項１２１】
画像記録サーバは、通信回線を介した端末機器からの要求に応じて、画像記録サーバに記録され、デジタル化された画像データの編集を行い、その後、少なくとも編集された画像データを通信回線を介して端末機器に配信することを特徴とする請求項１１７に記載の撮影・記録・配信装置。
【請求項１２２】
デジタル化された画像データの編集は、画像データ中の人物に相当するデータ部と画像合成用テンプレートとの合成であることを特徴とする請求項１２１に記載の撮影・記録・配信装置。
【請求項１２３】
デジタル化された画像データの編集は、画像データのアルバム化であることを特徴とする請求項１２１に記載の撮影・記録・配信装置。
【請求項１２４】
画像記録サーバは、画像記録サーバに記録され、デジタル化された画像データの編集を行い、
通信回線を介した端末機器からの要求に応じて、少なくとも編集された画像データを通信回線を介して端末機器に配信し、
その後、画像記録サーバは、通信回線を介した端末機器からの再編集要求に応じて、編集された画像データの再編集を行い、その後、少なくとも再編集された画像データを通信回線を介して端末機器に配信することを特徴とする請求項１１７に記載の撮影・記録・配信装置。
【請求項１２５】
デジタル化された画像データの編集及び／又は再編集は、画像データ中の人物に相当するデータ部と画像合成用テンプレートとの合成であることを特徴とする請求項１２４に記載の撮影・記録・配信装置。
【請求項１２６】
デジタル化された画像データの編集及び／又は再編集は、画像データのアルバム化であることを特徴とする請求項１２４に記載の撮影・記録・配信装置。
【請求項１２７】
画像記録サーバに記録されるデータベース化されたデータは、更に、撮影手段を識別する撮影手段識別子から構成されていることを特徴とする請求項１１７に記載の撮影・記録・配信装置。
【請求項１２８】
画像記録サーバは、通信回線を介した端末機器からの要求に応じて、画像記録サーバに記録されたデータの内、少なくとも画像データを通信回線を介して端末機器に配信することを特徴とする請求項１２７に記載の撮影・記録・配信装置。
【請求項１２９】
画像記録サーバは、通信回線を介した端末機器からの要求に応じて、人物に付与された識別子により特定された画像記録サーバに記録されたデータの内、少なくとも画像データを通信回線を介して端末機器に配信することを特徴とする請求項１２８に記載の撮影・記録・配信装置。
【請求項１３０】
画像記録サーバは、通信回線を介した端末機器からの要求に応じて、更に、撮影日時により特定された画像記録サーバに記録されたデータの内、少なくとも画像データを通信回線を介して端末機器に配信することを特徴とする請求項１２９に記載の撮影・記録・配信装置。
【請求項１３１】
画像記録サーバは、通信回線を介した端末機器からの要求に応じて、更に、撮影手段識別子により特定された画像記録サーバに記録されたデータの内、少なくとも画像データを通信回線を介して端末機器に配信することを特徴とする請求項１３０に記載の撮影・記録・配信装置。
【請求項１３２】
画像記録サーバは、通信回線を介した端末機器からの要求に応じて、画像記録サーバに記録され、デジタル化された画像データの編集を行い、その後、少なくとも編集された画像データを通信回線を介して端末機器に配信することを特徴とする請求項１２７に記載の撮影・記録・配信装置。
【請求項１３３】
デジタル化された画像データの編集は、画像データ中の人物に相当するデータ部と画像合成用テンプレートとの合成であることを特徴とする請求項１３２に記載の撮影・記録・配信装置。
【請求項１３４】
デジタル化された画像データの編集は、画像データのアルバム化であることを特徴とする請求項１３２に記載の撮影・記録・配信装置。
【請求項１３５】
画像記録サーバは、画像記録サーバに記録され、デジタル化された画像データの編集を行い、
通信回線を介した端末機器からの要求に応じて、少なくとも編集された画像データを通信回線を介して端末機器に配信し、
その後、画像記録サーバは、通信回線を介した端末機器からの再編集要求に応じて、編集された画像データの再編集を行い、その後、少なくとも再編集された画像データを通信回線を介して端末機器に配信することを特徴とする請求項１２７に記載の撮影・記録・配信装置。
【請求項１３６】
デジタル化された画像データの編集及び／又は再編集は、画像データ中の人物に相当するデータ部と画像合成用テンプレートとの合成であることを特徴とする請求項１３５に記載の撮影・記録・配信装置。
【請求項１３７】
デジタル化された画像データの編集及び／又は再編集は、画像データのアルバム化であることを特徴とする請求項１３５に記載の撮影・記録・配信装置。
【請求項１３８】
識別子信号送出手段は、人物に着脱可能に装着されていることを特徴とする請求項８１、請求項９２及び請求項１０３のいずれか１項に記載の撮影・記録・配信装置。
【請求項１３９】
識別子信号送出手段は、装着された人物が、固有の識別子が付与された人物であるか否かを検出する検出手段を有することを特徴とする請求項１３８に記載の撮影・記録・配信装置。
【請求項１４０】
撮影される人物に所持された識別子信号送出手段から、該人物に付与された固有の識別子に相当する識別子信号を送出し、
識別子信号送出手段から送出された識別子信号を受け取った識別子信号認識手段から発された撮影を行うべき旨の指示に基づき、撮影手段によって該人物の撮影を行うことを特徴とする撮影方法。
【請求項１４１】
識別子信号を受け取ってから所定時間経過後、識別子信号認識手段から撮影手段に撮影開始信号が送出され、撮影開始信号を受け取った撮影手段によって撮影が行われることを特徴とする請求項１４０に記載の撮影方法。
【請求項１４２】
撮影手段によって静止画の撮影を行うことを特徴とする請求項１４１に記載の撮影方法。
【請求項１４３】
識別子信号認識手段から撮影開始信号を受け取ってから一定時間の間、撮影手段によって動画の撮影を行うことを特徴とする請求項１４１に記載の撮影方法。
【請求項１４４】
識別子信号を受け取った後、直ちに、識別子信号認識手段から撮影手段に撮影開始信号が送出され、撮影開始信号を受け取ってから所定時間経過後、撮影手段によって撮影を行うことを特徴とする請求項１４０に記載の撮影方法。
【請求項１４５】
撮影手段によって静止画の撮影を行うことを特徴とする請求項１４４に記載の撮影方法。
【請求項１４６】
所定時間経過後、撮影手段によって、一定時間の間、動画の撮影を行うことを特徴とする請求項１４４に記載の撮影方法。
【請求項１４７】
識別子信号認識手段が受け取る識別子信号の強度が第１の強度以上となったとき、識別子信号認識手段から撮影手段に動作開始信号が送出され、
識別子信号認識手段が受け取る識別子信号の強度が第１の強度を越える第２の強度以上となったとき、識別子信号認識手段から撮影手段に撮影開始信号が送出され、
撮影開始信号を受け取った撮影手段によって撮影が行われ、
識別子信号認識手段が受け取る識別子信号の強度が第１の強度以下となったとき、識別子信号認識手段から撮影手段に動作停止信号が送出されることを特徴とする請求項１４０に記載の撮影方法。
【請求項１４８】
撮影手段によって静止画の撮影を行うことを特徴とする請求項１４７に記載の撮影方法。
【請求項１４９】
識別子信号認識手段から撮影開始信号を受け取った後、一定時間の間、撮影手段によって動画の撮影を行うことを特徴とする請求項１４７に記載の撮影方法。
【請求項１５０】
識別子信号認識手段が受け取る識別子信号の強度が第２の強度以下となったとき、識別子信号認識手段から撮影手段に撮影停止信号が送出され、
識別子信号認識手段から撮影開始信号を受け取ってから撮影停止信号を受け取るまでの間、撮影手段によって動画を撮影することを特徴とする請求項１４７に記載の撮影方法。
【請求項１５１】
撮影される人物に所持された識別子信号送出手段から、該人物に付与された固有の識別子に相当する識別子信号を送出し、
識別子信号送出手段から送出された識別子信号を受け取った識別子信号認識手段から、該識別子信号に基づく識別子データを識別子サーバに送出し、
該識別子サーバにおいて、識別子サーバ内に記録された識別子データと識別子信号認識手段から送出された識別子データとを照合し、照合結果を識別子信号認識手段に送出し、
識別子データが一致した旨の照合結果を識別子信号認識手段が受け取った後、識別子信号認識手段から発された撮影を行うべき旨の指示に基づき、撮影手段によって該人物の撮影を行うことを特徴とする撮影方法。
【請求項１５２】
識別子データが一致した旨の照合結果を受け取ってから所定時間経過後、識別子信号認識手段から撮影手段に撮影開始信号が送出され、撮影開始信号を受け取った撮影手段によって撮影が行われることを特徴とする請求項１５１に記載の撮影方法。
【請求項１５３】
撮影手段によって静止画の撮影を行うことを特徴とする請求項１５２に記載の撮影方法。
【請求項１５４】
識別子信号認識手段から撮影開始信号を受け取ってから一定時間の間、撮影手段によって動画の撮影を行うことを特徴とする請求項１５２に記載の撮影方法。
【請求項１５５】
識別子データが一致した旨の照合結果を受け取った後、直ちに、識別子信号認識手段から撮影手段に撮影開始信号が送出され、撮影開始信号を受け取ってから所定時間経過後、撮影手段によって撮影を行うことを特徴とする請求項１５１に記載の撮影方法。
【請求項１５６】
撮影手段によって静止画の撮影を行うことを特徴とする請求項１５５に記載の撮影方法。
【請求項１５７】
所定時間経過後、撮影手段によって、一定時間の間、動画の撮影を行うことを特徴とする請求項１５５に記載の撮影方法。
【請求項１５８】
識別子信号認識手段が受け取る識別子信号の強度が第１の強度以上となったとき、識別子信号認識手段から該識別子信号に基づく識別子データが識別子サーバに送出され、
識別子信号認識手段が受け取る識別子信号の強度が第１の強度を越える第２の強度以上となり、且つ、識別子データが一致した旨の照合結果を受け取った後、識別子信号認識手段から撮影手段に撮影開始信号が送出され、
撮影開始信号を受け取った撮影手段によって撮影が行われ、
識別子信号認識手段が受け取る識別子信号の強度が第１の強度以下となったとき、識別子信号認識手段から撮影手段に動作停止信号が送出されることを特徴とする請求項１５１に記載の撮影方法。
【請求項１５９】
撮影手段によって静止画の撮影を行うことを特徴とする請求項１５８に記載の撮影方法。
【請求項１６０】
識別子信号認識手段から撮影開始信号を受け取った後、一定時間の間、撮影手段によって動画の撮影を行うことを特徴とする請求項１５８に記載の撮影方法。
【請求項１６１】
識別子信号認識手段が受け取る識別子信号の強度が第２の強度以下となったとき、識別子信号認識手段から撮影手段に撮影停止信号が送出され、
識別子信号認識手段から撮影開始信号を受け取ってから撮影停止信号を受け取るまでの間、撮影手段によって動画を撮影することを特徴とする請求項１５８に記載の撮影方法。
【請求項１６２】
撮影される人物に所持された識別子信号送出手段から、該人物に付与された固有の識別子に相当する識別子信号を送出し、
識別子信号送出手段から送出された識別子信号を受け取った識別子信号認識手段から、該識別子信号に基づく識別子データを識別子サーバに送出し、
該識別子サーバにおいて、識別子サーバ内に記録された識別子データと識別子信号認識手段から送出された識別子データとを照合し、識別子データが一致した場合、識別子サーバから発された撮影を行うべき旨の指示に基づき、撮影手段によって該人物の撮影を行うことを特徴とする撮影方法。
【請求項１６３】
識別子データが一致した場合、所定時間経過後、識別子サーバから撮影を行うべき旨の指示を発することを特徴とする請求項１６２に記載の撮影方法。
【請求項１６４】
撮影手段によって静止画の撮影を行うことを特徴とする請求項１６３に記載の撮影方法。
【請求項１６５】
撮影を行うべき旨の指示を受け取ってから一定時間の間、撮影手段によって動画の撮影を行うことを特徴とする請求項１６３に記載の撮影方法。
【請求項１６６】
撮影を行うべき旨の指示を受け取ってから所定時間経過後、撮影手段によって撮影を行うことを特徴とする請求項１６２に記載の撮影方法。
【請求項１６７】
撮影手段によって静止画の撮影を行うことを特徴とする請求項１６６に記載の撮影方法。
【請求項１６８】
所定時間経過後、撮影手段によって、一定時間の間、動画の撮影を行うことを特徴とする請求項１６６に記載の撮影方法。
【請求項１６９】
識別子信号認識手段が受け取る識別子信号の強度が第１の強度以上となったとき、識別子信号認識手段から該識別子信号に基づく識別子データが識別子サーバに送出され、
識別子信号認識手段が受け取る識別子信号の強度が第１の強度を越える第２の強度以上となったとき、識別子信号認識手段から撮影手段に撮影開始信号が送出され、
識別子データが一致した場合、識別子サーバから撮影手段に撮影開始信号が送出され、
識別子サーバ及び識別子信号認識手段から撮影開始信号を受け取った撮影手段によって撮影が行われ、
識別子信号認識手段が受け取る識別子信号の強度が第１の強度以下となったとき、識別子信号認識手段から撮影手段に動作停止信号が送出されることを特徴とする請求項１６２に記載の撮影方法。
【請求項１７０】
識別子信号認識手段が受け取る識別子信号の強度が第２の強度以下となったとき、識別子信号認識手段から撮影手段に撮影停止信号が送出され、
識別子サーバ及び識別子信号認識手段から撮影開始信号を受け取ってから撮影停止信号を受け取るまでの間、撮影手段によって動画を撮影することを特徴とする請求項１６９に記載の撮影方法。
【請求項１７１】
識別子信号認識手段が受け取る識別子信号の強度が第１の強度以上となったとき、識別子信号認識手段から該識別子信号に基づく識別子データが識別子サーバに送出され、
識別子信号認識手段が受け取る識別子信号の強度が第１の強度を越える第２の強度以上となったとき、識別子信号認識手段から識別子サーバに撮影開始信号が送出され、
識別子データが一致し、且つ、識別子信号認識手段から撮影開始信号を受け取ったとき、識別子サーバから撮影手段に撮影開始信号が送出され、
識別子サーバから撮影開始信号を受け取った撮影手段によって撮影が行われ、識別子信号認識手段が受け取る識別子信号の強度が第１の強度以下となったとき、識別子信号認識手段から識別子サーバに動作停止信号が送出され、
識別子信号認識手段から動作停止信号を受け取った識別子サーバから撮影手段に動作停止信号が送出されることを特徴とする請求項１６２に記載の撮影方法。
【請求項１７２】
識別子信号認識手段が受け取る識別子信号の強度が第２の強度以下となったとき、識別子信号認識手段から識別子サーバに撮影停止信号が送出され、
識別子信号認識手段から撮影停止信号を受け取った識別子サーバは、撮影手段に撮影停止信号を送出し、
識別子サーバから撮影開始信号を受け取ってから撮影停止信号を受け取るまでの間、撮影手段によって動画を撮影することを特徴とする請求項１７１に記載の撮影方法。
【請求項１７３】
撮影手段によって静止画の撮影を行うことを特徴とする請求項１６９又は請求項１７１に記載の撮影方法。
【請求項１７４】
撮影開始信号を受け取った後、一定時間の間、撮影手段によって動画の撮影を行うことを特徴とする請求項１６９又は請求項１７１に記載の撮影方法。
【請求項１７５】
識別子信号送出手段は、人物に着脱可能に装着されていることを特徴とする請求項１４０、請求項１５１及び請求項１６２のいずれか１項に記載の撮影方法。
【請求項１７６】
識別子信号送出手段は、装着された人物が、固有の識別子が付与された人物であるか否かを検出する検出手段を有することを特徴とする請求項１７５に記載の撮影方法。
【請求項１７７】
撮影される人物に所持された識別子信号送出手段から、該人物に付与された固有の識別子に相当する識別子信号を送出し、
識別子信号送出手段から送出された識別子信号を受け取った識別子信号認識手段から発された撮影を行うべき旨の指示に基づき、撮影手段によって該人物の撮影を行い、
撮影手段によって撮影された画像を、データベース化して画像記録サーバに記録することを特徴とする撮影・記録方法。
【請求項１７８】
識別子信号を受け取ってから所定時間経過後、識別子信号認識手段から撮影手段に撮影開始信号が送出され、撮影開始信号を受け取った撮影手段によって撮影が行われることを特徴とする請求項１７７に記載の撮影・記録方法。
【請求項１７９】
撮影手段によって静止画の撮影を行うことを特徴とする請求項１７８に記載の撮影・記録方法。
【請求項１８０】
識別子信号認識手段から撮影開始信号を受け取ってから一定時間の間、撮影手段によって動画の撮影を行うことを特徴とする請求項１７８に記載の撮影・記録方法。
【請求項１８１】
識別子信号を受け取った後、直ちに、識別子信号認識手段から撮影手段に撮影開始信号が送出され、撮影開始信号を受け取ってから所定時間経過後、撮影手段によって撮影を行うことを特徴とする請求項１７７に記載の撮影・記録方法。
【請求項１８２】
撮影手段によって静止画の撮影を行うことを特徴とする請求項１８１に記載の撮影・記録方法。
【請求項１８３】
所定時間経過後、撮影手段によって、一定時間の間、動画の撮影を行うことを特徴とする請求項１８１に記載の撮影・記録方法。
【請求項１８４】
識別子信号認識手段が受け取る識別子信号の強度が第１の強度以上となったとき、識別子信号認識手段から撮影手段に動作開始信号が送出され、
識別子信号認識手段が受け取る識別子信号の強度が第１の強度を越える第２の強度以上となったとき、識別子信号認識手段から撮影手段に撮影開始信号が送出され、
撮影開始信号を受け取った撮影手段によって撮影が行われ、
識別子信号認識手段が受け取る識別子信号の強度が第１の強度以下となったとき、識別子信号認識手段から撮影手段に動作停止信号が送出されることを特徴とする請求項１７７に記載の撮影・記録方法。
【請求項１８５】
撮影手段によって静止画の撮影を行うことを特徴とする請求項１８４に記載の撮影・記録方法。
【請求項１８６】
識別子信号認識手段から撮影開始信号を受け取った後、一定時間の間、撮影手段によって動画の撮影を行うことを特徴とする請求項１８４に記載の撮影・記録方法。
【請求項１８７】
識別子信号認識手段が受け取る識別子信号の強度が第２の強度以下となったとき、識別子信号認識手段から撮影手段に撮影停止信号が送出され、
識別子信号認識手段から撮影開始信号を受け取ってから撮影停止信号を受け取るまでの間、撮影手段によって動画を撮影することを特徴とする請求項１８４に記載の撮影・記録方法。
【請求項１８８】
撮影される人物に所持された識別子信号送出手段から、該人物に付与された固有の識別子に相当する識別子信号を送出し、
識別子信号送出手段から送出された識別子信号を受け取った識別子信号認識手段から、該識別子信号に基づく識別子データを識別子サーバに送出し、
該識別子サーバにおいて、識別子サーバ内に記録された識別子データと識別子信号認識手段から送出された識別子データとを照合し、照合結果を識別子信号認識手段に送出し、
識別子データが一致した旨の照合結果を識別子信号認識手段が受け取った後、識別子信号認識手段から発された撮影を行うべき旨の指示に基づき、撮影手段によって該人物の撮影を行い、
撮影手段によって撮影された画像を、データベース化して画像記録サーバに記録することを特徴とする撮影・記録方法。
【請求項１８９】
識別子データが一致した旨の照合結果を受け取ってから所定時間経過後、識別子信号認識手段から撮影手段に撮影開始信号が送出され、撮影開始信号を受け取った撮影手段によって撮影が行われることを特徴とする請求項１８８に記載の撮影・記録方法。
【請求項１９０】
撮影手段によって静止画の撮影を行うことを特徴とする請求項１８９に記載の撮影・記録方法。
【請求項１９１】
識別子信号認識手段から撮影開始信号を受け取ってから一定時間の間、撮影手段によって動画の撮影を行うことを特徴とする請求項１８９に記載の撮影・記録方法。
【請求項１９２】
識別子データが一致した旨の照合結果を受け取った後、直ちに、識別子信号認識手段から撮影手段に撮影開始信号が送出され、撮影開始信号を受け取ってから所定時間経過後、撮影手段によって撮影を行うことを特徴とする請求項１８８に記載の撮影・記録方法。
【請求項１９３】
撮影手段によって静止画の撮影を行うことを特徴とする請求項１９２に記載の撮影・記録方法。
【請求項１９４】
所定時間経過後、撮影手段によって、一定時間の間、動画の撮影を行うことを特徴とする請求項１９２に記載の撮影・記録方法。
【請求項１９５】
識別子信号認識手段が受け取る識別子信号の強度が第１の強度以上となったとき、識別子信号認識手段から該識別子信号に基づく識別子データが識別子サーバに送出され、
識別子信号認識手段が受け取る識別子信号の強度が第１の強度を越える第２の強度以上となり、且つ、識別子データが一致した旨の照合結果を受け取った後、識別子信号認識手段から撮影手段に撮影開始信号が送出され、
撮影開始信号を受け取った撮影手段によって撮影が行われ、
識別子信号認識手段が受け取る識別子信号の強度が第１の強度以下となったとき、識別子信号認識手段から撮影手段に動作停止信号が送出されることを特徴とする請求項１８８に記載の撮影・記録方法。
【請求項１９６】
撮影手段によって静止画の撮影を行うことを特徴とする請求項１９５に記載の撮影・記録方法。
【請求項１９７】
識別子信号認識手段から撮影開始信号を受け取った後、一定時間の間、撮影手段によって動画の撮影を行うことを特徴とする請求項１９５に記載の撮影・記録方法。
【請求項１９８】
識別子信号認識手段が受け取る識別子信号の強度が第２の強度以下となったとき、識別子信号認識手段から撮影手段に撮影停止信号が送出され、
識別子信号認識手段から撮影開始信号を受け取ってから撮影停止信号を受け取るまでの間、撮影手段によって動画を撮影することを特徴とする請求項１９５に記載の撮影・記録方法。
【請求項１９９】
撮影される人物に所持された識別子信号送出手段から、該人物に付与された固有の識別子に相当する識別子信号を送出し、
識別子信号送出手段から送出された識別子信号を受け取った識別子信号認識手段から、該識別子信号に基づく識別子データを識別子サーバに送出し、
該識別子サーバにおいて、識別子サーバ内に記録された識別子データと識別子信号認識手段から送出された識別子データとを照合し、識別子データが一致した場合、識別子サーバから発された撮影を行うべき旨の指示に基づき、撮影手段によって該人物の撮影を行い、
撮影手段によって撮影された画像を、データベース化して画像記録サーバに記録することを特徴とする撮影・記録方法。
【請求項２００】
識別子データが一致した場合、所定時間経過後、識別子サーバから撮影を行うべき旨の指示を発することを特徴とする請求項１９９に記載の撮影・記録方法。
【請求項２０１】
撮影手段によって静止画の撮影を行うことを特徴とする請求項２００に記載の撮影・記録方法。
【請求項２０２】
撮影を行うべき旨の指示を受け取ってから一定時間の間、撮影手段によって動画の撮影を行うことを特徴とする請求項２００に記載の撮影・記録方法。
【請求項２０３】
撮影を行うべき旨の指示を受け取ってから所定時間経過後、撮影手段によって撮影を行うことを特徴とする請求項１９９に記載の撮影・記録方法。
【請求項２０４】
撮影手段によって静止画の撮影を行うことを特徴とする請求項２０３に記載の撮影・記録方法。
【請求項２０５】
所定時間経過後、撮影手段によって、一定時間の間、動画の撮影を行うことを特徴とする請求項２０３に記載の撮影・記録方法。
【請求項２０６】
識別子信号認識手段が受け取る識別子信号の強度が第１の強度以上となったとき、識別子信号認識手段から該識別子信号に基づく識別子データが識別子サーバに送出され、
識別子信号認識手段が受け取る識別子信号の強度が第１の強度を越える第２の強度以上となったとき、識別子信号認識手段から撮影手段に撮影開始信号が送出され、
識別子データが一致した場合、識別子サーバから撮影手段に撮影開始信号が送出され、
識別子サーバ及び識別子信号認識手段から撮影開始信号を受け取った撮影手段によって撮影が行われ、
識別子信号認識手段が受け取る識別子信号の強度が第１の強度以下となったとき、識別子信号認識手段から撮影手段に動作停止信号が送出されることを特徴とする請求項１９９に記載の撮影・記録方法。
【請求項２０７】
識別子信号認識手段が受け取る識別子信号の強度が第２の強度以下となったとき、識別子信号認識手段から撮影手段に撮影停止信号が送出され、
識別子サーバ及び識別子信号認識手段から撮影開始信号を受け取ってから撮影停止信号を受け取るまでの間、撮影手段によって動画を撮影することを特徴とする請求項２０６に記載の撮影・記録方法。
【請求項２０８】
識別子信号認識手段が受け取る識別子信号の強度が第１の強度以上となったとき、識別子信号認識手段から該識別子信号に基づく識別子データが識別子サーバに送出され、
識別子信号認識手段が受け取る識別子信号の強度が第１の強度を越える第２の強度以上となったとき、識別子信号認識手段から識別子サーバに撮影開始信号が送出され、
識別子データが一致し、且つ、識別子信号認識手段から撮影開始信号を受け取ったとき、識別子サーバから撮影手段に撮影開始信号が送出され、
識別子サーバから撮影開始信号を受け取った撮影手段によって撮影が行われ、識別子信号認識手段が受け取る識別子信号の強度が第１の強度以下となったとき、識別子信号認識手段から識別子サーバに動作停止信号が送出され、
識別子信号認識手段から動作停止信号を受け取った識別子サーバから撮影手段に動作停止信号が送出されることを特徴とする請求項１９９に記載の撮影・記録方法。
【請求項２０９】
識別子信号認識手段が受け取る識別子信号の強度が第２の強度以下となったとき、識別子信号認識手段から識別子サーバに撮影停止信号が送出され、
識別子信号認識手段から撮影停止信号を受け取った識別子サーバは、撮影手段に撮影停止信号を送出し、
識別子サーバから撮影開始信号を受け取ってから撮影停止信号を受け取るまでの間、撮影手段によって動画を撮影することを特徴とする請求項２０８に記載の撮影・記録方法。
【請求項２１０】
撮影手段によって静止画の撮影を行うことを特徴とする請求項２０６又は請求項２０８に記載の撮影・記録方法。
【請求項２１１】
撮影開始信号を受け取った後、一定時間の間、撮影手段によって動画の撮影を行うことを特徴とする請求項２０６又は請求項２０８に記載の撮影・記録方法。
【請求項２１２】
撮影手段と画像記録サーバとは、通信回線を介して接続されていることを特徴とする請求項１７７、請求項１８８及び請求項１９９のいずれか１項に記載の撮影・記録方法。
【請求項２１３】
画像記録サーバに記録されるデータベース化されたデータは、少なくとも、撮影日時、人物に付与された識別子、及び、デジタル化された画像データから構成されていることを特徴とする請求項１７７、請求項１８８及び請求項１９９のいずれか１項に記載の撮影・記録方法。
【請求項２１４】
画像記録サーバに記録されるデータベース化されたデータは、更に、撮影手段を識別する撮影手段識別子から構成されていることを特徴とする請求項２１３に記載の撮影・記録方法。
【請求項２１５】
画像記録サーバによって、画像記録サーバに記録され、デジタル化された画像データの編集を行うことを特徴とする請求項２１３に記載の撮影・記録方法。
【請求項２１６】
デジタル化された画像データの編集は、画像データ中の人物に相当するデータ部と画像合成用テンプレートとの合成であることを特徴とする請求項２１５に記載の撮影・記録方法。
【請求項２１７】
デジタル化された画像データの編集は、画像データのアルバム化であることを特徴とする請求項２１５に記載の撮影・記録方法。
【請求項２１８】
識別子信号送出手段は、人物に着脱可能に装着されていることを特徴とする請求項１７７、請求項１８８及び請求項１９９のいずれか１項に記載の撮影・記録方法。
【請求項２１９】
識別子信号送出手段は、装着された人物が、固有の識別子が付与された人物であるか否かを検出する検出手段を有することを特徴とする請求項２１８に記載の撮影・記録方法。
【請求項２２０】
撮影される人物に所持された識別子信号送出手段から、該人物に付与された固有の識別子に相当する識別子信号を送出し、
識別子信号送出手段から送出された識別子信号を受け取った識別子信号認識手段から発された撮影を行うべき旨の指示に基づき、撮影手段によって該人物の撮影を行い、
撮影手段によって撮影された画像を、データベース化して画像記録サーバに記録し、
画像記録サーバに記録され、データベース化されたデータ及び／又はデータベース化完了通知を、通信回線を介して端末機器に配信することを特徴とする撮影・記録・配信方法。
【請求項２２１】
識別子信号を受け取ってから所定時間経過後、識別子信号認識手段から撮影手段に撮影開始信号が送出され、撮影開始信号を受け取った撮影手段によって撮影が行われることを特徴とする請求項２２０に記載の撮影・記録・配信方法。
【請求項２２２】
撮影手段によって静止画の撮影を行うことを特徴とする請求項２２１に記載の撮影・記録・配信方法。
【請求項２２３】
識別子信号認識手段から撮影開始信号を受け取ってから一定時間の間、撮影手段によって動画の撮影を行うことを特徴とする請求項２２１に記載の撮影・記録・配信方法。
【請求項２２４】
識別子信号を受け取った後、直ちに、識別子信号認識手段から撮影手段に撮影開始信号が送出され、撮影開始信号を受け取ってから所定時間経過後、撮影手段によって撮影を行うことを特徴とする請求項２２０に記載の撮影・記録・配信方法。
【請求項２２５】
撮影手段によって静止画の撮影を行うことを特徴とする請求項２２４に記載の撮影・記録・配信方法。
【請求項２２６】
所定時間経過後、撮影手段によって、一定時間の間、動画の撮影を行うことを特徴とする請求項２２４に記載の撮影・記録・配信方法。
【請求項２２７】
識別子信号認識手段が受け取る識別子信号の強度が第１の強度以上となったとき、識別子信号認識手段から撮影手段に動作開始信号が送出され、
識別子信号認識手段が受け取る識別子信号の強度が第１の強度を越える第２の強度以上となったとき、識別子信号認識手段から撮影手段に撮影開始信号が送出され、
撮影開始信号を受け取った撮影手段によって撮影が行われ、
識別子信号認識手段が受け取る識別子信号の強度が第１の強度以下となったとき、識別子信号認識手段から撮影手段に動作停止信号が送出されることを特徴とする請求項２２０に記載の撮影・記録・配信方法。
【請求項２２８】
撮影手段によって静止画の撮影を行うことを特徴とする請求項２２７に記載の撮影・記録・配信方法。
【請求項２２９】
識別子信号認識手段から撮影開始信号を受け取った後、一定時間の間、撮影手段によって動画の撮影を行うことを特徴とする請求項２２７に記載の撮影・記録・配信方法。
【請求項２３０】
識別子信号認識手段が受け取る識別子信号の強度が第２の強度以下となったとき、識別子信号認識手段から撮影手段に撮影停止信号が送出され、
識別子信号認識手段から撮影開始信号を受け取ってから撮影停止信号を受け取るまでの間、撮影手段によって動画を撮影することを特徴とする請求項２２７に記載の撮影・記録・配信方法。
【請求項２３１】
撮影される人物に所持された識別子信号送出手段から、該人物に付与された固有の識別子に相当する識別子信号を送出し、
識別子信号送出手段から送出された識別子信号を受け取った識別子信号認識手段から、該識別子信号に基づく識別子データを識別子サーバに送出し、
該識別子サーバにおいて、識別子サーバ内に記録された識別子データと識別子信号認識手段から送出された識別子データとを照合し、照合結果を識別子信号認識手段に送出し、
識別子データが一致した旨の照合結果を識別子信号認識手段が受け取った後、識別子信号認識手段から発された撮影を行うべき旨の指示に基づき、撮影手段によって該人物の撮影を行い、
撮影手段によって撮影された画像を、データベース化して画像記録サーバに記録し、
画像記録サーバに記録され、データベース化されたデータ及び／又はデータベース化完了通知を、通信回線を介して端末機器に配信することを特徴とする撮影・記録・配信方法。
【請求項２３２】
識別子データが一致した旨の照合結果を受け取ってから所定時間経過後、識別子信号認識手段から撮影手段に撮影開始信号が送出され、撮影開始信号を受け取った撮影手段によって撮影が行われることを特徴とする請求項２３１に記載の撮影・記録・配信方法。
【請求項２３３】
撮影手段によって静止画の撮影を行うことを特徴とする請求項２３２に記載の撮影・記録・配信方法。
【請求項２３４】
識別子信号認識手段から撮影開始信号を受け取ってから一定時間の間、撮影手段によって動画の撮影を行うことを特徴とする請求項２３２に記載の撮影・記録・配信方法。
【請求項２３５】
識別子データが一致した旨の照合結果を受け取った後、直ちに、識別子信号認識手段から撮影手段に撮影開始信号が送出され、撮影開始信号を受け取ってから所定時間経過後、撮影手段によって撮影を行うことを特徴とする請求項２３１に記載の撮影・記録・配信方法。
【請求項２３６】
撮影手段によって静止画の撮影を行うことを特徴とする請求項２３５に記載の撮影・記録・配信方法。
【請求項２３７】
所定時間経過後、撮影手段によって、一定時間の間、動画の撮影を行うことを特徴とする請求項２３５に記載の撮影・記録・配信方法。
【請求項２３８】
識別子信号認識手段が受け取る識別子信号の強度が第１の強度以上となったとき、識別子信号認識手段から該識別子信号に基づく識別子データが識別子サーバに送出され、
識別子信号認識手段が受け取る識別子信号の強度が第１の強度を越える第２の強度以上となり、且つ、識別子データが一致した旨の照合結果を受け取った後、識別子信号認識手段から撮影手段に撮影開始信号が送出され、
撮影開始信号を受け取った撮影手段によって撮影が行われ、
識別子信号認識手段が受け取る識別子信号の強度が第１の強度以下となったとき、識別子信号認識手段から撮影手段に動作停止信号が送出されることを特徴とする請求項２３１に記載の撮影・記録・配信方法。
【請求項２３９】
撮影手段によって静止画の撮影を行うことを特徴とする請求項２３８に記載の撮影・記録・配信方法。
【請求項２４０】
識別子信号認識手段から撮影開始信号を受け取った後、一定時間の間、撮影手段によって動画の撮影を行うことを特徴とする請求項２３８に記載の撮影・記録・配信方法。
【請求項２４１】
識別子信号認識手段が受け取る識別子信号の強度が第２の強度以下となったとき、識別子信号認識手段から撮影手段に撮影停止信号が送出され、
識別子信号認識手段から撮影開始信号を受け取ってから撮影停止信号を受け取るまでの間、撮影手段によって動画を撮影することを特徴とする請求項２３８に記載の撮影・記録・配信方法。
【請求項２４２】
撮影される人物に所持された識別子信号送出手段から、該人物に付与された固有の識別子に相当する識別子信号を送出し、
識別子信号送出手段から送出された識別子信号を受け取った識別子信号認識手段から、該識別子信号に基づく識別子データを識別子サーバに送出し、
該識別子サーバにおいて、識別子サーバ内に記録された識別子データと識別子信号認識手段から送出された識別子データとを照合し、識別子データが一致した場合、識別子サーバから発された撮影を行うべき旨の指示に基づき、撮影手段によって該人物の撮影を行い、
撮影手段によって撮影された画像を、データベース化して画像記録サーバに記録し、
画像記録サーバに記録され、データベース化されたデータ及び／又はデータベース化完了通知を、通信回線を介して端末機器に配信することを特徴とする撮影・記録・配信方法。
【請求項２４３】
識別子データが一致した場合、所定時間経過後、識別子サーバから撮影を行うべき旨の指示を発することを特徴とする請求項２４２に記載の撮影・記録・配信方法。
【請求項２４４】
撮影手段によって静止画の撮影を行うことを特徴とする請求項２４３に記載の撮影・記録・配信方法。
【請求項２４５】
撮影を行うべき旨の指示を受け取ってから一定時間の間、撮影手段によって動画の撮影を行うことを特徴とする請求項２４３に記載の撮影・記録・配信方法。
【請求項２４６】
撮影を行うべき旨の指示を受け取ってから所定時間経過後、撮影手段によって撮影を行うことを特徴とする請求項２４２に記載の撮影・記録・配信方法。
【請求項２４７】
撮影手段によって静止画の撮影を行うことを特徴とする請求項２４６に記載の撮影・記録・配信方法。
【請求項２４８】
所定時間経過後、撮影手段によって、一定時間の間、動画の撮影を行うことを特徴とする請求項２４６に記載の撮影・記録・配信方法。
【請求項２４９】
識別子信号認識手段が受け取る識別子信号の強度が第１の強度以上となったとき、識別子信号認識手段から該識別子信号に基づく識別子データが識別子サーバに送出され、
識別子信号認識手段が受け取る識別子信号の強度が第１の強度を越える第２の強度以上となったとき、識別子信号認識手段から撮影手段に撮影開始信号が送出され、
識別子データが一致した場合、識別子サーバから撮影手段に撮影開始信号が送出され、
識別子サーバ及び識別子信号認識手段から撮影開始信号を受け取った撮影手段によって撮影が行われ、
識別子信号認識手段が受け取る識別子信号の強度が第１の強度以下となったとき、識別子信号認識手段から撮影手段に動作停止信号が送出されることを特徴とする請求項２４２に記載の撮影・記録・配信方法。
【請求項２５０】
識別子信号認識手段が受け取る識別子信号の強度が第２の強度以下となったとき、識別子信号認識手段から撮影手段に撮影停止信号が送出され、
識別子サーバ及び識別子信号認識手段から撮影開始信号を受け取ってから撮影停止信号を受け取るまでの間、撮影手段によって動画を撮影することを特徴とする請求項２４９に記載の撮影・記録・配信方法。
【請求項２５１】
識別子信号認識手段が受け取る識別子信号の強度が第１の強度以上となったとき、識別子信号認識手段から該識別子信号に基づく識別子データが識別子サーバに送出され、
識別子信号認識手段が受け取る識別子信号の強度が第１の強度を越える第２の強度以上となったとき、識別子信号認識手段から識別子サーバに撮影開始信号が送出され、
識別子データが一致し、且つ、識別子信号認識手段から撮影開始信号を受け取ったとき、識別子サーバから撮影手段に撮影開始信号が送出され、
識別子サーバから撮影開始信号を受け取った撮影手段によって撮影が行われ、識別子信号認識手段が受け取る識別子信号の強度が第１の強度以下となったとき、識別子信号認識手段から識別子サーバに動作停止信号が送出され、
識別子信号認識手段から動作停止信号を受け取った識別子サーバから撮影手段に動作停止信号が送出されることを特徴とする請求項２４２に記載の撮影・記録・配信方法。
【請求項２５２】
識別子信号認識手段が受け取る識別子信号の強度が第２の強度以下となったとき、識別子信号認識手段から識別子サーバに撮影停止信号が送出され、
識別子信号認識手段から撮影停止信号を受け取った識別子サーバは、撮影手段に撮影停止信号を送出し、
識別子サーバから撮影開始信号を受け取ってから撮影停止信号を受け取るまでの間、撮影手段によって動画を撮影することを特徴とする請求項２５１に記載の撮影・記録・配信方法。
【請求項２５３】
撮影手段によって静止画の撮影を行うことを特徴とする請求項２４９又は請求項２５１に記載の撮影・記録・配信方法。
【請求項２５４】
撮影開始信号を受け取った後、一定時間の間、撮影手段によって動画の撮影を行うことを特徴とする請求項２４９又は請求項２５１に記載の撮影・記録・配信方法。
【請求項２５５】
撮影手段と画像記録サーバとは、通信回線を介して接続されていることを特徴とする請求項２２０、請求項２３１及び請求項２４２のいずれか１項に記載の撮影・記録・配信方法。
【請求項２５６】
画像記録サーバに記録されるデータベース化されたデータは、少なくとも、撮影日時、人物に付与された識別子、及び、デジタル化された画像データから構成されていることを特徴とする請求項２２０、請求項２３１及び請求項２４２のいずれか１項に記載の撮影・記録・配信方法。
【請求項２５７】
通信回線を介した端末機器からの要求に応じて、画像記録サーバに記録されたデータの内、少なくとも画像データを、画像記録サーバから通信回線を介して端末機器に配信することを特徴とする請求項２５６に記載の撮影・記録・配信方法。
【請求項２５８】
通信回線を介した端末機器からの要求に応じて、人物に付与された識別子により特定された画像記録サーバに記録されたデータの内、少なくとも画像データを、画像記録サーバから端末機器に通信回線を介して配信することを特徴とする請求項２５７に記載の撮影・記録・配信方法。
【請求項２５９】
通信回線を介した端末機器からの要求に応じて、更に、撮影日時により特定された画像記録サーバに記録されたデータの内、少なくとも画像データを、画像記録サーバから通信回線を介して端末機器に配信することを特徴とする請求項２５８に記載の撮影・記録・配信方法。
【請求項２６０】
通信回線を介した端末機器からの要求に応じて、画像記録サーバによって、画像記録サーバに記録され、デジタル化された画像データの編集を行い、その後、少なくとも編集された画像データを、画像記録サーバから通信回線を介して端末機器に配信することを特徴とする請求項２５６に記載の撮影・記録・配信方法。
【請求項２６１】
デジタル化された画像データの編集は、画像データ中の人物に相当するデータ部と画像合成用テンプレートとの合成であることを特徴とする請求項２６０に記載の撮影・記録・配信方法。
【請求項２６２】
デジタル化された画像データの編集は、画像データのアルバム化であることを特徴とする請求項２６０に記載の撮影・記録・配信方法。
【請求項２６３】
画像記録サーバによって、画像記録サーバに記録され、デジタル化された画像データの編集を行い、
通信回線を介した端末機器からの要求に応じて、少なくとも編集された画像データを、画像記録サーバから通信回線を介して端末機器に配信し、
その後、画像記録サーバによって、通信回線を介した端末機器からの再編集要求に応じて、編集された画像データの再編集を行い、その後、少なくとも再編集された画像データを、画像記録サーバから通信回線を介して端末機器に配信することを特徴とする請求項２５６に記載の撮影・記録・配信方法。
【請求項２６４】
デジタル化された画像データの編集及び／又は再編集は、画像データ中の人物に相当するデータ部と画像合成用テンプレートとの合成であることを特徴とする請求項２６３に記載の撮影・記録・配信方法。
【請求項２６５】
デジタル化された画像データの編集及び／又は再編集は、画像データのアルバム化であることを特徴とする請求項２６３に記載の撮影・記録・配信方法。
【請求項２６６】
画像記録サーバに記録されるデータベース化されたデータは、更に、撮影手段を識別する撮影手段識別子から構成されていることを特徴とする請求項２５６に記載の撮影・記録・配信方法。
【請求項２６７】
通信回線を介した端末機器からの要求に応じて、画像記録サーバに記録されたデータの内、少なくとも画像データを、画像記録サーバから通信回線を介して端末機器に配信することを特徴とする請求項２６６に記載の撮影・記録・配信方法。
【請求項２６８】
通信回線を介した端末機器からの要求に応じて、人物に付与された識別子により特定された画像記録サーバに記録されたデータの内、少なくとも画像データを、画像記録サーバから通信回線を介して端末機器に配信することを特徴とする請求項２６７に記載の撮影・記録・配信方法。
【請求項２６９】
通信回線を介した端末機器からの要求に応じて、更に、撮影日時により特定された画像記録サーバに記録されたデータの内、少なくとも画像データを、画像記録サーバから通信回線を介して端末機器に配信することを特徴とする請求項２６８に記載の撮影・記録・配信方法。
【請求項２７０】
通信回線を介した端末機器からの要求に応じて、更に、撮影手段識別子により特定された画像記録サーバに記録されたデータの内、少なくとも画像データを、画像記録サーバから通信回線を介して端末機器に配信することを特徴とする請求項２６９に記載の撮影・記録・配信方法。
【請求項２７１】
通信回線を介した端末機器からの要求に応じて、画像記録サーバによって、画像記録サーバに記録され、デジタル化された画像データの編集を行い、その後、少なくとも編集された画像データを、画像記録サーバから通信回線を介して端末機器に配信することを特徴とする請求項２６６に記載の撮影・記録・配信方法。
【請求項２７２】
デジタル化された画像データの編集は、画像データ中の人物に相当するデータ部と画像合成用テンプレートとの合成であることを特徴とする請求項２７１に記載の撮影・記録・配信方法。
【請求項２７３】
デジタル化された画像データの編集は、画像データのアルバム化であることを特徴とする請求項２７１に記載の撮影・記録・配信方法。
【請求項２７４】
画像記録サーバによって、画像記録サーバに記録され、デジタル化された画像データの編集を行い、
通信回線を介した端末機器からの要求に応じて、少なくとも編集された画像データを、画像記録サーバから通信回線を介して端末機器に配信し、
その後、画像記録サーバによって、通信回線を介した端末機器からの再編集要求に応じて、編集された画像データの再編集を行い、その後、少なくとも再編集された画像データを、画像記録サーバから通信回線を介して端末機器に配信することを特徴とする請求項２６６に記載の撮影・記録・配信方法。
【請求項２７５】
デジタル化された画像データの編集及び／又は再編集は、画像データ中の人物に相当するデータ部と画像合成用テンプレートとの合成であることを特徴とする請求項２７４に記載の撮影・記録・配信方法。
【請求項２７６】
デジタル化された画像データの編集及び／又は再編集は、画像データのアルバム化であることを特徴とする請求項２７４に記載の撮影・記録・配信方法。
【請求項２７７】
識別子信号送出手段は、人物に着脱可能に装着されていることを特徴とする請求項２２０、請求項２３１及び請求項２４２のいずれか１項に記載の撮影・記録・配信方法。
【請求項２７８】
識別子信号送出手段は、装着された人物が、固有の識別子が付与された人物であるか否かを検出する検出手段を有することを特徴とする請求項２７７に記載の撮影・記録・配信方法。
【発明の詳細な説明】
【０００１】
【発明の属する技術分野】
本発明は、撮影装置、撮影・記録装置、撮影・記録・配信装置、撮影方法、撮影・記録方法、及び、撮影・記録・配信方法に関する。
【０００２】
【従来の技術】
遊園地や行楽地、レストラン、各種の催物会場等では、これらを訪問した人物の記念のために、写真を撮影することが屡々行われている。写された写真は、撮影者や、遊園地や行楽地、レストラン、各種の催物会場等における関係者（以下、撮影者等と呼ぶ）から撮影された人物に、直ちに、あるいは、後刻、あるいは後日、渡される。あるいは又、或る場所にカメラを設置し、人物が特段に意識しない間に人物を撮影し、後刻、係る人物が所望とする場合には写真を販売することも屡々行われている。
【０００３】
【発明が解決しようとする課題】
これらの従来の方法においては、撮影時、撮影される人物（以下、便宜上、被写人物と呼ぶ）の識別を自動的には（即ち、被写人物が意識することなく、自然に）行っていない。従って、現状では、撮影者等は、被写人物の住所等を被写人物に直接尋ねるか、あるいは又、撮影した写真を掲示し、被写人物が掲示された写真を見て、所望の写真を購入している。しかしながら、このような方法は、煩雑な方法である。
【０００４】
また、一人あるいは複数の被写人物の写真を複数枚、撮影した場合、撮影者等がこれらの複数枚の写真の編集、加工等を行って、被写人物に提供するといった方法は、採用されておらず、また、たとえ採用したとしても、非常に煩雑な作業となる。
【０００５】
あるいは又、人物が持参したカメラを用いて、知人や友人あるいは第三者による係る人物の撮影が行われている。しかしながら、カメラを持参するといった行為自体、煩雑な行為である。また、知人や友人あるいは第三者によって係る人物の撮影を行ってもらうことも、煩雑な行為であるし、シャッターチャンスを逃がす場合があったり、自然の表情や何気ない表情を撮影することは意外と難しい。更には、カメラを持参した人物と知人や友人を全員で一緒に撮影しようとした場合には、例えば三脚を使用して撮影するか、第三者に撮影を依頼しなければならない。
【０００６】
従って、本発明の目的は、撮影される人物がカメラを持参する必要が無く、撮影される人物の識別を自動的に行い、画像データを容易に取得し得る撮影装置及び撮影方法、係る撮影装置及び撮影方法を適用した撮影・記録装置及び撮影・記録方法、並びに、撮影される人物の識別を自動的に行い、画像データを容易に取得し、更に、撮影によって得られたデータを撮影された人物に容易に配信し得る撮影・記録・配信装置及び撮影・記録・配信方法を提供することにある。
【０００７】
【課題を解決するための手段】
上記の目的を達成するための本発明の第１の態様に係る撮影装置は、
（Ａ）撮影される人物に所持され、該人物に付与された固有の識別子を識別子信号として送出する識別子信号送出手段と、
（Ｂ）識別子信号送出手段から送出された識別子信号を受け取る識別子信号認識手段と、
（Ｃ）識別子信号を受け取った識別子信号認識手段の指示に基づき、該人物の撮影を行う撮影手段、
を具備することを特徴とする。
【０００８】
上記の目的を達成するための本発明の第１の態様に係る撮影・記録装置は、
（Ａ）撮影される人物に所持され、該人物に付与された固有の識別子を識別子信号として送出する識別子信号送出手段と、
（Ｂ）識別子信号送出手段から送出された識別子信号を受け取る識別子信号認識手段と、
（Ｃ）識別子信号を受け取った識別子信号認識手段の指示に基づき、該人物の撮影を行う撮影手段と、
（Ｄ）撮影手段によって撮影された画像を、データベース化して記録する画像記録サーバ、
を具備することを特徴とする。
【０００９】
上記の目的を達成するための本発明の第１の態様に係る撮影・記録・配信装置は、
（Ａ）撮影される人物に所持され、該人物に付与された固有の識別子を識別子信号として送出する識別子信号送出手段と、
（Ｂ）識別子信号送出手段から送出された識別子信号を受け取る識別子信号認識手段と、
（Ｃ）識別子信号を受け取った識別子信号認識手段の指示に基づき、該人物の撮影を行う撮影手段と、
（Ｄ）撮影手段によって撮影された画像を、データベース化して記録する画像記録サーバと、
（Ｅ）画像記録サーバと通信回線を介して接続された端末機器、
を具備し、
画像記録サーバは、画像記録サーバに記録され、データベース化されたデータ及び／又はデータベース化完了通知を、端末機器に配信することを特徴とする。
【００１０】
上記の目的を達成するための本発明の第２の態様に係る撮影装置は、
（Ａ）撮影される人物に所持され、該人物に付与された固有の識別子を識別子信号として送出する識別子信号送出手段と、
（Ｂ）識別子信号送出手段から送出された識別子信号を受け取る識別子信号認識手段と、
（Ｃ）識別子信号を受け取った識別子信号認識手段の指示に基づき、該人物の撮影を行う撮影手段と、
（Ｄ）識別子データを記録した識別子サーバ、
を具備し、
識別子信号を受け取った識別子信号認識手段は、該識別子信号に基づく識別子データを識別子サーバに送出し、
該識別子サーバは、識別子サーバ内に記録された識別子データと識別子信号認識手段から送出された識別子データとを照合し、照合結果を識別子信号認識手段に送出し、
識別子データが一致した旨の照合結果を識別子信号認識手段が受け取った後、識別子信号認識手段は撮影手段に撮影を行うべき指示を発することを特徴とする。
【００１１】
上記の目的を達成するための本発明の第２の態様に係る撮影・記録装置は、
（Ａ）撮影される人物に所持され、該人物に付与された固有の識別子を識別子信号として送出する識別子信号送出手段と、
（Ｂ）識別子信号送出手段から送出された識別子信号を受け取る識別子信号認識手段と、
（Ｃ）識別子信号を受け取った識別子信号認識手段の指示に基づき、該人物の撮影を行う撮影手段と、
（Ｄ）撮影手段によって撮影された画像を、データベース化して記録する画像記録サーバと、
（Ｅ）識別子データを記録した識別子サーバ、
を具備し、
識別子信号を受け取った識別子信号認識手段は、該識別子信号に基づく識別子データを識別子サーバに送出し、
該識別子サーバは、識別子サーバ内に記録された識別子データと識別子信号認識手段から送出された識別子データとを照合し、照合結果を識別子信号認識手段に送出し、
識別子データが一致した旨の照合結果を識別子信号認識手段が受け取った後、識別子信号認識手段は撮影手段に撮影を行うべき指示を発することを特徴とする。
【００１２】
上記の目的を達成するための本発明の第２の態様に係る撮影・記録・配信装置は、
（Ａ）撮影される人物に所持され、該人物に付与された固有の識別子を識別子信号として送出する識別子信号送出手段と、
（Ｂ）識別子信号送出手段から送出された識別子信号を受け取る識別子信号認識手段と、
（Ｃ）識別子信号を受け取った識別子信号認識手段の指示に基づき、該人物の撮影を行う撮影手段と、
（Ｄ）撮影手段によって撮影された画像を、データベース化して記録する画像記録サーバと、
（Ｅ）画像記録サーバと通信回線を介して接続された端末機器と、
（Ｆ）識別子データを記録した識別子サーバ、
を具備し、
識別子信号を受け取った識別子信号認識手段は、該識別子信号に基づく識別子データを識別子サーバに送出し、
該識別子サーバは、識別子サーバ内に記録された識別子データと識別子信号認識手段から送出された識別子データとを照合し、照合結果を識別子信号認識手段に送出し、
識別子データが一致した旨の照合結果を識別子信号認識手段が受け取った後、識別子信号認識手段は撮影手段に撮影を行うべき指示を発し、
画像記録サーバは、画像記録サーバに記録され、データベース化されたデータ及び／又はデータベース化完了通知を、端末機器に配信することを特徴とする。
【００１３】
上記の目的を達成するための本発明の第３の態様に係る撮影装置は、
（Ａ）撮影される人物に所持され、該人物に付与された固有の識別子を識別子信号として送出する識別子信号送出手段と、
（Ｂ）識別子信号送出手段から送出された識別子信号を受け取る識別子信号認識手段と、
（Ｃ）該人物の撮影を行う撮影手段と、
（Ｄ）識別子データを記録した識別子サーバ、
を具備し、
識別子信号を受け取った識別子信号認識手段は、該識別子信号に基づく識別子データを識別子サーバに送出し、
該識別子サーバは、識別子サーバ内に記録された識別子データと識別子信号認識手段から送出された識別子データとを照合し、
識別子データが一致した場合、識別子サーバの指示に基づき撮影手段は撮影を行うことを特徴とする。
【００１４】
上記の目的を達成するための本発明の第３の態様に係る撮影・記録装置は、
（Ａ）撮影される人物に所持され、該人物に付与された固有の識別子を識別子信号として送出する識別子信号送出手段と、
（Ｂ）識別子信号送出手段から送出された識別子信号を受け取る識別子信号認識手段と、
（Ｃ）該人物の撮影を行う撮影手段と、
（Ｄ）撮影手段によって撮影された画像を、データベース化して記録する画像記録サーバと、
（Ｅ）識別子データを記録した識別子サーバ、
を具備し、
識別子信号を受け取った識別子信号認識手段は、該識別子信号に基づく識別子データを識別子サーバに送出し、
該識別子サーバは、識別子サーバ内に記録された識別子データと識別子信号認識手段から送出された識別子データとを照合し、
識別子データが一致した場合、識別子サーバの指示に基づき撮影手段は撮影を行うことを特徴とする。
【００１５】
上記の目的を達成するための本発明の第３の態様に係る撮影・記録・配信装置は、
（Ａ）撮影される人物に所持され、該人物に付与された固有の識別子を識別子信号として送出する識別子信号送出手段と、
（Ｂ）識別子信号送出手段から送出された識別子信号を受け取る識別子信号認識手段と、
（Ｃ）該人物の撮影を行う撮影手段と、
（Ｄ）撮影手段によって撮影された画像を、データベース化して記録する画像記録サーバと、
（Ｅ）画像記録サーバと通信回線を介して接続された端末機器と、
（Ｆ）識別子データを記録した識別子サーバ、
を具備し、
識別子信号を受け取った識別子信号認識手段は、該識別子信号に基づく識別子データを識別子サーバに送出し、
該識別子サーバは、識別子サーバ内に記録された識別子データと識別子信号認識手段から送出された識別子データとを照合し、
識別子データが一致した場合、識別子サーバの指示に基づき撮影手段は撮影を行い、
画像記録サーバは、画像記録サーバに記録され、データベース化されたデータ及び／又はデータベース化完了通知を、端末機器に配信することを特徴とする。
【００１６】
上記の目的を達成するための本発明の第１の態様に係る撮影方法は、
撮影される人物に所持された識別子信号送出手段から、該人物に付与された固有の識別子に相当する識別子信号を送出し、
識別子信号送出手段から送出された識別子信号を受け取った識別子信号認識手段から発された撮影を行うべき旨の指示に基づき、撮影手段によって該人物の撮影を行うことを特徴とする。
【００１７】
上記の目的を達成するための本発明の第１の態様に係る撮影・記録方法は、
撮影される人物に所持された識別子信号送出手段から、該人物に付与された固有の識別子に相当する識別子信号を送出し、
識別子信号送出手段から送出された識別子信号を受け取った識別子信号認識手段から発された撮影を行うべき旨の指示に基づき、撮影手段によって該人物の撮影を行い、
撮影手段によって撮影された画像を、データベース化して画像記録サーバに記録することを特徴とする。
【００１８】
上記の目的を達成するための本発明の第１の態様に係る撮影・記録・配信方法は、
撮影される人物に所持された識別子信号送出手段から、該人物に付与された固有の識別子に相当する識別子信号を送出し、
識別子信号送出手段から送出された識別子信号を受け取った識別子信号認識手段から発された撮影を行うべき旨の指示に基づき、撮影手段によって該人物の撮影を行い、
撮影手段によって撮影された画像を、データベース化して画像記録サーバに記録し、
画像記録サーバに記録され、データベース化されたデータ及び／又はデータベース化完了通知を、通信回線を介して端末機器に配信することを特徴とする。
【００１９】
上記の目的を達成するための本発明の第２の態様に係る撮影方法は、
撮影される人物に所持された識別子信号送出手段から、該人物に付与された固有の識別子に相当する識別子信号を送出し、
識別子信号送出手段から送出された識別子信号を受け取った識別子信号認識手段から、該識別子信号に基づく識別子データを識別子サーバに送出し、
該識別子サーバにおいて、識別子サーバ内に記録された識別子データと識別子信号認識手段から送出された識別子データとを照合し、照合結果を識別子信号認識手段に送出し、
識別子データが一致した旨の照合結果を識別子信号認識手段が受け取った後、識別子信号認識手段から発された撮影を行うべき旨の指示に基づき、撮影手段によって該人物の撮影を行うことを特徴とする。
【００２０】
上記の目的を達成するための本発明の第２の態様に係る撮影・記録方法は、
撮影される人物に所持された識別子信号送出手段から、該人物に付与された固有の識別子に相当する識別子信号を送出し、
識別子信号送出手段から送出された識別子信号を受け取った識別子信号認識手段から、該識別子信号に基づく識別子データを識別子サーバに送出し、
該識別子サーバにおいて、識別子サーバ内に記録された識別子データと識別子信号認識手段から送出された識別子データとを照合し、照合結果を識別子信号認識手段に送出し、
識別子データが一致した旨の照合結果を識別子信号認識手段が受け取った後、識別子信号認識手段から発された撮影を行うべき旨の指示に基づき、撮影手段によって該人物の撮影を行い、
撮影手段によって撮影された画像を、データベース化して画像記録サーバに記録することを特徴とする。
【００２１】
上記の目的を達成するための本発明の第２の態様に係る撮影・記録・配信方法は、
撮影される人物に所持された識別子信号送出手段から、該人物に付与された固有の識別子に相当する識別子信号を送出し、
識別子信号送出手段から送出された識別子信号を受け取った識別子信号認識手段から、該識別子信号に基づく識別子データを識別子サーバに送出し、
該識別子サーバにおいて、識別子サーバ内に記録された識別子データと識別子信号認識手段から送出された識別子データとを照合し、照合結果を識別子信号認識手段に送出し、
識別子データが一致した旨の照合結果を識別子信号認識手段が受け取った後、識別子信号認識手段から発された撮影を行うべき旨の指示に基づき、撮影手段によって該人物の撮影を行い、
撮影手段によって撮影された画像を、データベース化して画像記録サーバに記録し、
画像記録サーバに記録され、データベース化されたデータ及び／又はデータベース化完了通知を、通信回線を介して端末機器に配信することを特徴とする。
【００２２】
上記の目的を達成するための本発明の第３の態様に係る撮影方法は、
撮影される人物に所持された識別子信号送出手段から、該人物に付与された固有の識別子に相当する識別子信号を送出し、
識別子信号送出手段から送出された識別子信号を受け取った識別子信号認識手段から、該識別子信号に基づく識別子データを識別子サーバに送出し、
該識別子サーバにおいて、識別子サーバ内に記録された識別子データと識別子信号認識手段から送出された識別子データとを照合し、識別子データが一致した場合、識別子サーバから発された撮影を行うべき旨の指示に基づき、撮影手段によって該人物の撮影を行うことを特徴とする。
【００２３】
上記の目的を達成するための本発明の第３の態様に係る撮影・記録方法は、
撮影される人物に所持された識別子信号送出手段から、該人物に付与された固有の識別子に相当する識別子信号を送出し、
識別子信号送出手段から送出された識別子信号を受け取った識別子信号認識手段から、該識別子信号に基づく識別子データを識別子サーバに送出し、
該識別子サーバにおいて、識別子サーバ内に記録された識別子データと識別子信号認識手段から送出された識別子データとを照合し、識別子データが一致した場合、識別子サーバから発された撮影を行うべき旨の指示に基づき、撮影手段によって該人物の撮影を行い、
撮影手段によって撮影された画像を、データベース化して画像記録サーバに記録することを特徴とする。
【００２４】
上記の目的を達成するための本発明の第３の態様に係る撮影・記録・配信方法は、
撮影される人物に所持された識別子信号送出手段から、該人物に付与された固有の識別子に相当する識別子信号を送出し、
識別子信号送出手段から送出された識別子信号を受け取った識別子信号認識手段から、該識別子信号に基づく識別子データを識別子サーバに送出し、
該識別子サーバにおいて、識別子サーバ内に記録された識別子データと識別子信号認識手段から送出された識別子データとを照合し、識別子データが一致した場合、識別子サーバから発された撮影を行うべき旨の指示に基づき、撮影手段によって該人物の撮影を行い、
撮影手段によって撮影された画像を、データベース化して画像記録サーバに記録し、
画像記録サーバに記録され、データベース化されたデータ及び／又はデータベース化完了通知を、通信回線を介して端末機器に配信することを特徴とする。
【００２５】
本発明の第１の態様〜第３の態様に係る撮影装置／撮影・記録装置／撮影・記録・配信装置／撮影方法／撮影・記録方法／撮影・記録・配信方法（以下、これらを総称して、単に本発明と呼ぶ場合がある）においては、識別子信号送出手段は撮影される人物に所持されているが、「所持」の具体的な形態として、識別子信号送出手段が人物に着脱可能に装着されている形態（即ち、撮影される人物が、識別子信号送出手段を、直接、身体に付けている形態）、撮影される人物の服等に取り付けられた形態、撮影される人物の服のポケットやバッグ等の内に納められた形態を例示することができる。また、識別子信号送出手段として、腕時計型送受信機、腕時計型送信機、首掛けペンダント型送受信機、首掛けペンダント型送信機、ブレスレット型送受信機、ブレスレット型送信機、指輪型送受信機、指輪型送信機、電磁結合方式ＲＦタグ、電磁誘導方式ＲＦタグ、マイクロ波方式ＲＦタグ、光方式ＲＦタグ、携帯電話、携帯ゲーム機、ＩＣカード、静電誘導による読み出し／書き込み（追記）が可能なメモリ機能と物理的／化学的センサ機能を薄膜・ＬＳＩ技術で一体化したライブチップを貼り付け可能にシール状に加工したライブシール（Ｌｉｖｅ　Ｓｅａｌ）を例示することができる。更には、識別子信号として、マイクロ波を含む電波、赤外線、無線ＬＡＮのプロトコルの一種であるブルートゥース方式における信号を挙げることができる。
【００２６】
また、本発明にあっては、撮影される人物に付与された固有の識別子として、数字及び／又はアルファベットの組合せ、生体に基づく識別子（静脈パターン、指紋、声紋、網膜像といったバイオ・テンプレート）を例示することができる。即ち、固有の識別子は、外部（第三者）から付与されたものであってもよいし、先天的に人物が有するものであってもよく、「人物に付与された」という文言は、後者も包含する。識別子信号送出手段が人物に着脱可能に装着されている場合、識別子信号送出手段は、装着された人物が、固有の識別子が付与された人物であるか否かを検出する検出手段を有することが、一層好ましい。検出手段として、具体的には、例えば、バイオ・テンプレートを検出し得る検出手段を挙げることができる。また、識別子信号は、識別子の構成に依り、識別子それ自体であってもよいし、識別子を暗号化したものであってもよいし、識別子を所定のフォーマットに則りデータ化したものであってもよいし、識別子を符号化・変調したものであってもよい。また、識別子データも、識別子信号の構成に依り、識別子信号それ自体であってもよいし、識別子信号を暗号化したものであってもよいし、識別子信号を所定のフォーマットに則りデータ化したものであってもよい。識別子信号送出手段は、１台以上備えられていればよく、２台以上であってもよい。
【００２７】
本発明における識別子信号認識手段は、識別子信号送出手段の送出する識別子信号に応じた受発信機とすればよい。識別子信号認識手段は、１台以上備えられていればよく、２台以上であってもよい。
【００２８】
本発明における撮影手段として、デジタルスチルカメラ、デジタルビデオカメラを例示することができる。撮影手段は、１台以上備えられていればよく、２台以上であってもよい。撮影手段は、例えば、識別子信号送出手段の送出する識別子信号の強度に応じて、首振り、ズーム、パン等の動作が可能な構成、構造とすることもできる。
【００２９】
本発明の第１の態様あるいは第２の態様に係る撮影方法／撮影・記録方法／撮影・記録・配信方法においては、識別子信号認識手段から発された撮影を行うべき旨の指示に基づき、また、また、本発明の第３の態様に係る撮影方法／撮影・記録方法／撮影・記録・配信方法においては、識別子サーバから発された撮影を行うべき旨の指示に基づき、撮影手段によって該人物の撮影を行うが、撮影手段としてデジタルビデオカメラを用いる場合、デジタルビデオカメラによって、常時、撮影を行う形態も有り得る。このような場合には、識別子信号認識手段あるいは識別子サーバから発された撮影を行うべき旨の指示は、識別子信号認識手段あるいは識別子サーバから発された画像データを残すべき旨の指示と等価である。即ち、識別子信号認識手段あるいは識別子サーバから発された画像データを残すべき旨の指示に基づき、撮影手段によって撮影され続け、場合によっては記録され続ける画像データの内、画像データを残すべき旨の指示以降の画像データ（場合によっては、所定時間経過後の画像データ）を撮影手段は一旦記憶すればよい。このような構成も、本発明の第１の態様〜第３の態様に係る撮影方法／撮影・記録方法／撮影・記録・配信方法に包含される。
【００３０】
本発明の第１の態様あるいは第２の態様に係る撮影装置／撮影・記録装置／撮影・記録・配信装置／撮影方法／撮影・記録方法／撮影・記録・配信方法において、識別子信号認識手段と撮影手段との接続は、通信回線を介する接続や配線を介する接続、マイクロ波を含む電波や赤外線を用いた接続とすることができ、更には、撮影手段に識別子信号認識手段が組み込まれた構成、撮影手段それ自体が識別子信号認識手段としての機能を有する構成を採用することもできる。また、撮影手段による撮影の実行は、識別子信号を受け取った識別子信号認識手段の指示に基づくだけでなく、それに加えて、撮影される人物の声や合図の検出に基づいて行ってもよい。
【００３１】
本発明の第２の態様あるいは第３の態様に係る撮影装置／撮影・記録装置／撮影・記録・配信装置／撮影方法／撮影・記録方法／撮影・記録・配信方法にあっては、識別子信号認識手段と識別子サーバとの接続は、通信回線を介する接続や配線を介する接続とすることができ、更には、識別子信号認識手段に識別子サーバが組み込まれた構成を採用することもできるし、識別子サーバと画像記録サーバとが１つのサーバから構成されていてもよいし、撮影手段に識別子サーバが組み込まれた構成、撮影手段に画像記録サーバが組み込まれた構成、撮影手段に識別子サーバ及び画像記録サーバが組み込まれた構成を採用することもできる。更には、本発明の第３の態様に係る撮影装置／撮影・記録装置／撮影・記録・配信装置／撮影方法／撮影・記録方法／撮影・記録・配信方法にあっては、識別子サーバを、識別子を単に記録しておくサーバと、上述した識別子サーバの有する機能を実行するサーバとに分離した構成とすることもできる。
【００３２】
本発明の第３の態様に係る撮影装置／撮影・記録装置／撮影・記録・配信装置／撮影方法／撮影・記録方法／撮影・記録・配信方法にあっては、識別子サーバと撮影手段との接続は、通信回線を介する接続や配線を介する接続とすることができる。また、撮影手段による撮影の実行は、識別子サーバの指示に基づくだけでなく、それに加えて、撮影される人物の声や合図の検出に基づいて行ってもよい。
【００３３】
本発明の第１の態様〜第３の態様に係る撮影・記録装置／撮影・記録・配信装置／撮影・記録方法／撮影・記録・配信方法にあっては、撮影手段によって撮影された画像をデータベース化するが、このデータベース化は、リアルタイム処理であってもよいし、バッチ処理であってもよい。画像記録サーバとして、通常の構成、構造を有するサーバを用いればよい。画像記録サーバの有する機能として、単なる画像記録だけでなく、画像記録と画像の編集を挙げることができる。また、撮影手段によって撮影された画像データには、例えば、音声データが含まれていてもよい。
【００３４】
本発明の第１の態様〜第３の態様に係る撮影・記録・配信装置／撮影・記録・配信方法において、端末機器は、識別子信号認識手段や撮影手段が配置された場所の近傍に配置されていてもよく、この場合、端末機器として、ＣＲＴ、液晶表示装置、プラズマ表示装置、あるいは、これらと各種のキーボード等の組合せを例示することができる。あるいは又、端末機器として、撮影される人物に所持された携帯電話や携帯ゲーム機、ＰＤＡ、撮影される人物に所持され、予め登録されたパーソナルコンピュータ等を例示することができる。配信の形態として、単にデータをディスプレイ等に表示する形態、ストリーミングデータを表示する形態、端末機器にダウンロードする形態を挙げることができる。配信は、例えば、インターネット経由や専用回線を用いて行うことができる。更には、端末機器を操作する人物が撮影された人物であるか否かの照合は、例えば、先に説明した「固有の識別子」を認識することで行うことができる。
【００３５】
本発明の第２の態様あるいは第３の態様に係る撮影装置／撮影・記録装置／撮影・記録・配信装置／撮影方法／撮影・記録方法／撮影・記録・配信方法における識別子サーバとして、通常の構成、構造を有するサーバを用いればよい。
【００３６】
本発明の第１の態様に係る撮影装置／撮影・記録装置／撮影・記録・配信装置においては、識別子信号を受け取った識別子信号認識手段は直ちに撮影手段に撮影開始信号を送出し、撮影開始信号を受け取った撮影手段は撮影を行う構成とすることができる。撮影開始信号を受け取った撮影手段は、一定時間の間、撮影を行ってもよいし、識別子信号認識手段が識別子信号を受け取らなくなるまで撮影を行ってもよい。
【００３７】
あるいは又、本発明の第１の態様に係る撮影装置／撮影・記録装置／撮影・記録・配信装置においては、識別子信号を受け取ってから所定時間経過後、識別子信号認識手段は撮影手段に撮影開始信号を送出し、撮影開始信号を受け取った撮影手段は撮影を行う構成とすることができる。
【００３８】
尚、このような構成を有する第１の態様に係る撮影装置／撮影・記録装置／撮影・記録・配信装置を、便宜上、第１Ａの構成の装置と呼ぶ。ここで、例えば、識別子信号認識手段が識別子信号を受け取ってから人物が撮影場所に到達し得る平均的な時間を、所定時間とすればよい。撮影開始信号を受け取った撮影手段は、直ちに撮影を行ってもよいし、或る時間が経過した後に撮影を行ってもよい。
【００３９】
本発明の第２の態様に係る撮影装置／撮影・記録装置／撮影・記録・配信装置においては、識別子データが一致した旨の照合結果を受け取った識別子信号認識手段は直ちに撮影手段に撮影開始信号を送出し、撮影開始信号を受け取った撮影手段は撮影を行う構成とすることができる。撮影開始信号を受け取った撮影手段は、一定時間の間、撮影を行ってもよいし、識別子信号認識手段が識別子信号を受け取らなくなるまで撮影を行ってもよい。
【００４０】
あるいは又、本発明の第２の態様に係る撮影装置／撮影・記録装置／撮影・記録・配信装置においては、識別子データが一致した旨の照合結果を受け取ってから所定時間経過後、識別子信号認識手段は撮影手段に撮影開始信号を送出し、撮影開始信号を受け取った撮影手段は撮影を行う構成とすることができる。
【００４１】
尚、このような構成を有する第２の態様に係る撮影装置／撮影・記録装置／撮影・記録・配信装置を、便宜上、第２Ａの構成の装置と呼ぶ。ここで、例えば、識別子信号認識手段が識別子信号を受け取ってから人物が撮影場所に到達し得る平均的な時間、あるいは又、識別子信号認識手段が照合結果を受け取ってから人物が撮影場所に到達し得る平均的な時間を、所定時間とすればよい。撮影開始信号を受け取った撮影手段は、直ちに撮影を行ってもよいし、或る時間が経過した後に撮影を行ってもよい。
【００４２】
本発明の第３の態様に係る撮影装置／撮影・記録装置／撮影・記録・配信装置においては、識別子データが一致した旨の照合結果を出した識別子サーバは直ちに撮影手段に撮影開始信号を送出し、撮影開始信号を受け取った撮影手段は撮影を行う構成とすることができる。撮影開始信号を受け取った撮影手段は、一定時間の間、撮影を行ってもよいし、識別子信号認識手段が識別子信号を受け取らなくなるまで撮影を行ってもよい。
【００４３】
あるいは又、本発明の第３の態様に係る撮影装置／撮影・記録装置／撮影・記録・配信装置においては、識別子データが一致した旨の照合結果を出してから所定時間経過後、識別子サーバは撮影手段に撮影開始信号を送出し、撮影開始信号を受け取った撮影手段は撮影を行う構成とすることができる。
【００４４】
尚、このような構成を有する第３の態様に係る撮影装置／撮影・記録装置／撮影・記録・配信装置を、便宜上、第３Ａの構成の装置と呼ぶ。ここで、例えば、識別子信号認識手段が識別子信号を受け取ってから人物が撮影場所に到達し得る平均的な時間、あるいは又、識別子サーバが照合結果を出してから人物が撮影場所に到達し得る平均的な時間を、所定時間とすればよい。撮影開始信号を受け取った撮影手段は、直ちに撮影を行ってもよいし、或る時間が経過した後に撮影を行ってもよい。
【００４５】
第１Ａの構成の装置、第２Ａの構成の装置、あるいは、第３Ａの構成の装置にあっては、撮影手段を、静止画を撮影するカメラ（例えば、デジタルスチルカメラ）とすることができる。あるいは又、撮影手段を、第１Ａの構成の装置あるいは第２Ａの構成の装置にあっては識別子信号認識手段から撮影開始信号を受け取った後、また、第３Ａの構成の装置にあっては識別子サーバから撮影開始信号を受け取った後、一定時間の間、動画を撮影するカメラ（例えば、デジタルビデオカメラ）とすることができる。
【００４６】
あるいは又、本発明の第１の態様に係る撮影装置／撮影・記録装置／撮影・記録・配信装置においては、
識別子信号を受け取った識別子信号認識手段は、直ちに、撮影手段に撮影開始信号を送出し、
撮影開始信号を受け取った撮影手段は、所定時間経過後、撮影を行う構成とすることができる。
【００４７】
尚、このような構成を有する第１の態様に係る撮影装置／撮影・記録装置／撮影・記録・配信装置を、便宜上、第１Ｂの構成の装置と呼ぶ。ここで、例えば、識別子信号認識手段が識別子信号を受け取ってから人物が撮影場所に到達し得る時間、あるいは又、撮影手段が撮影開始信号を受け取ってから人物が撮影場所に到達し得る平均的な時間を、所定時間とすればよい。
【００４８】
あるいは又、本発明の第２の態様に係る撮影装置／撮影・記録装置／撮影・記録・配信装置においては、
識別子データが一致した旨の照合結果を受け取った後、識別子信号認識手段は、直ちに、撮影手段に撮影開始信号を送出し、
撮影開始信号を受け取った撮影手段は、所定時間経過後、撮影を行う構成とすることができる。
【００４９】
尚、このような構成を有する第２の態様に係る撮影装置／撮影・記録装置／撮影・記録・配信装置を、便宜上、第２Ｂの構成の装置と呼ぶ。ここで、例えば、識別子信号認識手段が識別子信号を受け取ってから人物が撮影場所に到達し得る平均的な時間、あるいは又、撮影手段が撮影開始信号を受け取ってから人物が撮影場所に到達し得る平均的な時間を、所定時間とすればよい。
【００５０】
あるいは又、本発明の第３の態様に係る撮影装置／撮影・記録装置／撮影・記録・配信装置においては、
識別子データが一致した場合、識別子サーバは、直ちに、撮影手段に撮影開始信号を送出し、
撮影開始信号を受け取った撮影手段は、所定時間経過後、撮影を行う構成とすることができる。
【００５１】
尚、このような構成を有する第３の態様に係る撮影装置／撮影・記録装置／撮影・記録・配信装置を、便宜上、第３Ｂの構成の装置と呼ぶ。ここで、例えば、識別子信号認識手段が識別子信号を受け取ってから人物が撮影場所に到達し得る平均的な時間、あるいは又、撮影手段が撮影開始信号を受け取ってから人物が撮影場所に到達し得る平均的な時間を、所定時間とすればよい。
【００５２】
第１Ｂの構成の装置、第２Ｂの構成の装置、あるいは、第３Ｂの構成の装置にあっては、撮影手段を、静止画を撮影するカメラ（具体的には、例えば、デジタルスチルカメラ）とすることができる。あるいは又、撮影手段を、所定時間経過後、一定時間の間、動画を撮影するカメラ（具体的には、例えば、デジタルビデオカメラ）とすることができる。
【００５３】
あるいは又、本発明の第１の態様に係る撮影装置／撮影・記録装置／撮影・記録・配信装置においては、
識別子信号認識手段が受け取る識別子信号の強度が第１の強度以上となったとき、識別子信号認識手段は、撮影手段に動作開始信号を送出し、
識別子信号認識手段が受け取る識別子信号の強度が第１の強度を越える第２の強度以上となったとき、識別子信号認識手段は、撮影手段に撮影開始信号を送出し、
撮影開始信号を受け取った撮影手段は撮影を行い、
識別子信号認識手段が受け取る識別子信号の強度が第１の強度以下となったとき（第１の強度未満となったときを含む）、識別子信号認識手段は、撮影手段に動作停止信号を送出する構成とすることができる。
【００５４】
尚、このような構成を有する第１の態様に係る撮影装置／撮影・記録装置／撮影・記録・配信装置を、便宜上、第１Ｃの構成の装置と呼ぶ。場合によっては、識別子信号認識手段が撮影手段に動作開始信号を送出する際の一種の閾値である第１の強度と、識別子信号認識手段が撮影手段に動作停止信号を送出する際の一種の閾値である第１の強度とは、同じ強度でなくともよい。
【００５５】
あるいは又、本発明の第２の態様に係る撮影装置／撮影・記録装置／撮影・記録・配信装置においては、
識別子信号認識手段が受け取る識別子信号の強度が第１の強度以上となったとき、識別子信号認識手段は、該識別子信号に基づく識別子データを識別子サーバに送出し、
識別子信号認識手段が受け取る識別子信号の強度が第１の強度を越える第２の強度以上となり、且つ、識別子データが一致した旨の照合結果を受け取った後、識別子信号認識手段は、撮影手段に撮影開始信号を送出し、
撮影開始信号を受け取った撮影手段は撮影を行い、
識別子信号認識手段が受け取る識別子信号の強度が第１の強度以下となったとき（第１の強度未満となったときを含む）、識別子信号認識手段は、撮影手段に動作停止信号を送出する構成とすることができる。
【００５６】
尚、このような構成を有する第２の態様に係る撮影装置／撮影・記録装置／撮影・記録・配信装置を、便宜上、第２Ｃの構成の装置と呼ぶ。この第２Ｃの構成の装置にあっては、識別子信号認識手段が受け取る識別子信号の強度が第１の強度以上となったとき、識別子信号認識手段は、該識別子信号に基づく識別子データを識別子サーバに送出すると同時に、識別子信号認識手段は、撮影手段に動作開始信号を送出することが好ましい。場合によっては、識別子信号認識手段が識別子データを識別子サーバに送出する際の一種の閾値である第１の強度と、識別子信号認識手段が撮影手段に動作停止信号を送出する際の一種の閾値である第１の強度とは、同じ強度でなくともよい。
【００５７】
あるいは又、本発明の第３の態様に係る撮影装置／撮影・記録装置／撮影・記録・配信装置においては、
識別子信号認識手段が受け取る識別子信号の強度が第１の強度以上となったとき、識別子信号認識手段は、該識別子信号に基づく識別子データを識別子サーバに送出し、
識別子信号認識手段が受け取る識別子信号の強度が第１の強度を越える第２の強度以上となったとき、識別子信号認識手段は、撮影手段に撮影開始信号を送出し、
識別子データが一致した場合、識別子サーバは、撮影手段に撮影開始信号を送出し、
識別子サーバ及び識別子信号認識手段から撮影開始信号を受け取った撮影手段は撮影を行い、
識別子信号認識手段が受け取る識別子信号の強度が第１の強度以下となったとき（第１の強度未満となったときを含む）、識別子信号認識手段は、撮影手段に動作停止信号を送出する構成とすることができる。
【００５８】
尚、このような構成を有する第３の態様に係る撮影装置／撮影・記録装置／撮影・記録・配信装置を、便宜上、第３Ｃの構成の装置と呼ぶ。尚、識別子サーバからの撮影開始信号、識別子信号認識手段からの撮影開始信号のいずれか一方のみを受け取った時点では、撮影手段は撮影を行わない。この第３Ｃの構成の装置にあっては、識別子信号認識手段が受け取る識別子信号の強度が第１の強度以上となったとき、識別子信号認識手段は、該識別子信号に基づく識別子データを識別子サーバに送出すると同時に、識別子信号認識手段は、撮影手段に動作開始信号を送出することが好ましい。場合によっては、識別子信号認識手段が識別子データを識別子サーバを送出する際の一種の閾値である第１の強度と、識別子信号認識手段が撮影手段に動作停止信号を送出する際の一種の閾値である第１の強度とは、同じ強度でなくともよい。
【００５９】
あるいは又、本発明の第３の態様に係る撮影装置／撮影・記録装置／撮影・記録・配信装置においては、
識別子信号認識手段が受け取る識別子信号の強度が第１の強度以上となったとき、識別子信号認識手段は、該識別子信号に基づく識別子データを識別子サーバに送出し、
識別子信号認識手段が受け取る識別子信号の強度が第１の強度を越える第２の強度以上となったとき、識別子信号認識手段は、識別子サーバに撮影開始信号を送出し、
識別子データが一致し、且つ、識別子信号認識手段から撮影開始信号を受け取った識別子サーバは、撮影手段に撮影開始信号を送出し、
識別子サーバから撮影開始信号を受け取った撮影手段は撮影を行い、
識別子信号認識手段が受け取る識別子信号の強度が第１の強度以下となったとき（第１の強度未満となったときを含む）、識別子信号認識手段は、識別子サーバに動作停止信号を送出し、
識別子信号認識手段から動作停止信号を受け取った識別子サーバは、撮影手段に動作停止信号を送出する構成とすることができる。
【００６０】
尚、このような構成を有する第３の態様に係る撮影装置／撮影・記録装置／撮影・記録・配信装置を、便宜上、第３Ｄの構成の装置と呼ぶ。この第３Ｄの構成の装置にあっては、識別子信号認識手段が受け取る識別子信号の強度が第１の強度以上となったとき、識別子信号認識手段は、該識別子信号に基づく識別子データを識別子サーバに送出すると同時に、識別子信号認識手段は、識別子サーバに動作開始信号を送出し、更には、識別子サーバは、撮影手段に動作開始信号を送出することが好ましい。場合によっては、識別子信号認識手段が識別子データを識別子サーバを送出する際の一種の閾値である第１の強度と、識別子信号認識手段が識別子サーバに動作停止信号を送出する際の一種の閾値である第１の強度とは、同じ強度でなくともよい。
【００６１】
第１Ｃの構成の装置、あるいは、第２Ｃの構成の装置にあっては、撮影手段を、静止画を撮影するカメラ（例えば、デジタルスチルカメラ）とすることができる。あるいは又、撮影手段を、識別子信号認識手段から撮影開始信号を受け取った後、一定時間の間、動画を撮影するカメラ（例えば、デジタルビデオカメラ）とすることができる。あるいは又、識別子信号認識手段が受け取る識別子信号の強度が第２の強度以下となったとき（第２の強度未満となったときを含む）、識別子信号認識手段は、撮影手段に撮影停止信号を送出し、撮影手段は、識別子信号認識手段から撮影開始信号を受け取ってから撮影停止信号を受け取るまでの間、動画を撮影するカメラ（例えば、デジタルビデオカメラ）とすることができる。場合によっては、識別子信号認識手段が撮影手段に撮影開始信号を送出する際の一種の閾値である第２の強度と、識別子信号認識手段が撮影手段に撮影停止信号を送出する際の一種の閾値である第２の強度とは、同じ強度でなくともよい。
【００６２】
第３Ｃの構成の装置、あるいは、第３Ｄの構成の装置にあっては、撮影手段を、静止画を撮影するカメラ（例えば、デジタルスチルカメラ）とすることができ、あるいは又、撮影手段を、撮影開始信号を受け取った後、一定時間の間、動画を撮影するカメラ（例えば、デジタルビデオカメラ）とすることができる。
【００６３】
あるいは又、第３Ｃの構成の装置においては、識別子信号認識手段が受け取る識別子信号の強度が第２の強度以下となったとき（第２の強度未満となったときを含む）、識別子信号認識手段は、撮影手段に撮影停止信号を送出し、撮影手段は、識別子サーバ及び識別子信号認識手段から撮影開始信号を受け取ってから撮影停止信号を受け取るまでの間、動画を撮影するカメラ（例えば、デジタルビデオカメラ）である構成とすることができる。場合によっては、撮影開始信号を送出する際の一種の閾値である第２の強度と、撮影停止信号を送出する際の一種の閾値である第２の強度とは、同じ強度でなくともよい。
【００６４】
あるいは又、第３Ｄの構成の装置においては、識別子信号認識手段が受け取る識別子信号の強度が第２の強度以下となったとき（第２の強度未満となったときを含む）、識別子信号認識手段は、識別子サーバに撮影停止信号を送出し、識別子信号認識手段から撮影停止信号を受け取った識別子サーバは、撮影手段に撮影停止信号を送出し、撮影手段は、識別子サーバから撮影開始信号を受け取ってから撮影停止信号を受け取るまでの間、動画を撮影するカメラ（例えば、デジタルビデオカメラ）である構成とすることができる。場合によっては、撮影開始信号を送出する際の一種の閾値である第２の強度と、撮影停止信号を送出する際の一種の閾値である第２の強度とは、同じ強度でなくともよい。
【００６５】
本発明の第１の態様〜第３の態様に係る撮影・記録装置／撮影・記録・配信装置においては、撮影手段と画像記録サーバとは、通信回線を介して接続されている構成とすることができるが、これに限定するものではなく、配線を介する構成、撮影手段に画像記録サーバが組み込まれた構成を挙げることができる。ここで、撮影手段と画像記録サーバとが通信回線を介して接続されている場合、より具体的には、インターネットを経由する形態、専用回線を使用する形態を挙げることができる。
【００６６】
また、本発明の第１の態様〜第３の態様に係る撮影・記録装置においては、画像記録サーバに記録されるデータベース化されたデータは、少なくとも、撮影日時、人物に付与された識別子、及び、デジタル化された画像データから構成されている形態とすることができる。そして、この場合、画像記録サーバに記録されるデータベース化されたデータは、更に、撮影手段を識別する撮影手段識別子から構成されている形態とすることができる。あるいは又、この場合、画像記録サーバは、デジタル化された画像データを記録するだけでもよいが、画像記録サーバに記録され、デジタル化された画像データの編集を行う構成とすることが好ましい。そして、この場合、デジタル化された画像データの編集は、例えば、画像データ中の人物に相当するデータ部と画像合成用テンプレートとの合成とすることができ、あるいは又、画像データのアルバム化（ムービー化を含む）である構成とすることができる。
【００６７】
ここで、アルバム化として、画像の抽出、並べ替え、画像データ中の人物に相当するデータ部と画像合成用テンプレートとの合成、各種文章やテロップの挿入、ナレーションの挿入、ドラマ仕立てを例示することができる。また、画像の抽出として、例えば、撮影時期や撮影時間、撮影時刻、及び／又は、撮影手段識別子に基づき行ってもよいし、一定時間間隔で抜き出してもよいし、ベストショット検出に基づいて行ってもよい。ベストショットとして、例えば、人物の笑顔の撮影、最も鮮明な撮影、顔の肌色面積を算出することでの顔が撮影手段を向いているときの撮影、ベストショットを得るために識別子信号認識手段と同種の手段を最適撮影場所の近傍に配置し、係る手段に人物が近接したときの撮影、人物があげた笑い声を検出したときの撮影、例えば人物の音声に基づく合図による撮影を例示することができる。画像合成用テンプレートは、画像記録サーバに記録されていてもよいし、他のサーバに記録されていてもよい。以下の説明においても同様である。
【００６８】
また、本発明の第１の態様〜第３の態様に係る撮影・記録・配信装置においても、画像記録サーバに記録されるデータベース化されたデータは、少なくとも、撮影日時、人物に付与された識別子、及び、デジタル化された画像データから構成されている形態とすることができる。
【００６９】
そして、本発明の第１の態様〜第３の態様に係る撮影・記録・配信装置において画像記録サーバに記録されるデータベース化されたデータが上述のように構成されている場合、画像記録サーバは、通信回線を介した端末機器からの要求に応じて、画像記録サーバに記録されたデータの内、少なくとも画像データを通信回線を介して端末機器に配信する構成とすることができる。更には、画像記録サーバは、通信回線を介した端末機器からの要求に応じて、人物に付与された識別子により特定された画像記録サーバに記録されたデータの内、少なくとも画像データを端末機器に通信回線を介して配信する構成とすることができる。そして、更には、画像記録サーバは、通信回線を介した端末機器からの要求に応じて、更に、撮影日時により特定された画像記録サーバに記録されたデータの内、少なくとも画像データを通信回線を介して端末機器に配信する構成とすることができる。場合によっては、これらの配信の形態を、通信回線を介した端末機器からの要求を必要とせずに、画像記録サーバは、通信回線を介して端末機器に自動的に行ってもよい。
【００７０】
あるいは又、本発明の第１の態様〜第３の態様に係る撮影・記録・配信装置において画像記録サーバに記録されるデータベース化されたデータが上述のように構成されている場合、画像記録サーバは、通信回線を介した端末機器からの要求に応じて、画像記録サーバに記録され、デジタル化された画像データの編集を行い、その後、少なくとも編集された画像データを通信回線を介して端末機器に配信する構成とすることができる。そして、更には、デジタル化された画像データの編集は、例えば、画像データ中の人物に相当するデータ部と画像合成用テンプレートとの合成とすることができ、あるいは又、デジタル化された画像データの編集は、画像データのアルバム化（ムービー化を含む）とすることができる。場合によっては、これらの配信の形態を、通信回線を介した端末機器からの要求を必要とせずに、画像記録サーバは、通信回線を介して端末機器に自動的に行ってもよい。
【００７１】
あるいは又、本発明の第１の態様〜第３の態様に係る撮影・記録・配信装置において画像記録サーバに記録されるデータベース化されたデータが上述のように構成されている場合、
画像記録サーバは、画像記録サーバに記録され、デジタル化された画像データの編集を行い、
通信回線を介した端末機器からの要求に応じて、少なくとも編集された画像データを通信回線を介して端末機器に配信し、
その後、画像記録サーバは、通信回線を介した端末機器からの再編集要求に応じて、編集された画像データの再編集を行い、その後、少なくとも再編集された画像データを通信回線を介して端末機器に配信する構成とすることができる。そして、更には、デジタル化された画像データの編集及び／又は再編集は、例えば、画像データ中の人物に相当するデータ部と画像合成用テンプレートとの合成とすることができ、あるいは又、デジタル化された画像データの編集及び／又は再編集は、画像データのアルバム化（ムービー化を含む）とすることができる。場合によっては、これらの配信の形態を、通信回線を介した端末機器からの要求を必要とせずに、画像記録サーバは、通信回線を介して端末機器に自動的に行ってもよい。
【００７２】
あるいは又、本発明の第１の態様〜第３の態様に係る撮影・記録・配信装置において画像記録サーバに記録されるデータベース化されたデータが上述のように構成されている場合、画像記録サーバに記録されるデータベース化されたデータは、更に、撮影手段を識別する撮影手段識別子から構成されている形態とすることができる。
【００７３】
そして、上述のように画像記録サーバに記録されるデータベース化されたデータが更に撮影手段を識別する撮影手段識別子から構成されている場合、更には、画像記録サーバは、通信回線を介した端末機器からの要求に応じて、画像記録サーバに記録されたデータの内、少なくとも画像データを通信回線を介して端末機器に配信する構成とすることができる。更には、画像記録サーバは、通信回線を介した端末機器からの要求に応じて、人物に付与された識別子により特定された画像記録サーバに記録されたデータの内、少なくとも画像データを通信回線を介して端末機器に配信する構成とすることができる。更には、画像記録サーバは、通信回線を介した端末機器からの要求に応じて、更に、撮影日時により特定された画像記録サーバに記録されたデータの内、少なくとも画像データを通信回線を介して端末機器に配信する構成とすることができる。更には、画像記録サーバは、通信回線を介した端末機器からの要求に応じて、更に、撮影手段識別子により特定された画像記録サーバに記録されたデータの内、少なくとも画像データを通信回線を介して端末機器に配信する構成とすることができる。場合によっては、これらの配信の形態を、通信回線を介した端末機器からの要求を必要とせずに、画像記録サーバは、通信回線を介して端末機器に自動的に行ってもよい。
【００７４】
あるいは又、上述のように画像記録サーバに記録されるデータベース化されたデータが更に撮影手段を識別する撮影手段識別子から構成されている場合、画像記録サーバは、通信回線を介した端末機器からの要求に応じて、画像記録サーバに記録され、デジタル化された画像データの編集を行い、その後、少なくとも編集された画像データを通信回線を介して端末機器に配信する構成とすることができる。そして、更には、デジタル化された画像データの編集は、画像データ中の人物に相当するデータ部と画像合成用テンプレートとの合成とすることができ、あるいは又、デジタル化された画像データの編集は、画像データのアルバム化（ムービー化を含む）とすることができる。場合によっては、これらの配信の形態を、通信回線を介した端末機器からの要求を必要とせずに、画像記録サーバは、通信回線を介して端末機器に自動的に行ってもよい。
【００７５】
あるいは又、上述のように画像記録サーバに記録されるデータベース化されたデータが更に撮影手段を識別する撮影手段識別子から構成されている場合、画像記録サーバは、画像記録サーバに記録され、デジタル化された画像データの編集を行い、通信回線を介した端末機器からの要求に応じて、少なくとも編集された画像データを通信回線を介して端末機器に配信し、その後、画像記録サーバは、通信回線を介した端末機器からの再編集要求に応じて、編集された画像データの再編集を行い、その後、少なくとも再編集された画像データを通信回線を介して端末機器に配信する構成とすることができる。そして、この場合、デジタル化された画像データの編集及び／又は再編集は、画像データ中の人物に相当するデータ部と画像合成用テンプレートとの合成とすることができ、あるいは又、デジタル化された画像データの編集及び／又は再編集は、画像データのアルバム化（ムービー化を含む）とすることができる。場合によっては、これらの配信の形態を、通信回線を介した端末機器からの要求を必要とせずに、画像記録サーバは、通信回線を介して端末機器に自動的に行ってもよい。
【００７６】
本発明の第１の態様に係る撮影方法／撮影・記録方法／撮影・記録・配信方法においては、識別子信号を受け取った識別子信号認識手段によって直ちに撮影手段に撮影開始信号が送出され、撮影開始信号を受け取った撮影手段によって撮影が行われる構成とすることができる。撮影開始信号を受け取った撮影手段によって、一定時間の間、撮影が行われてもよいし、識別子信号認識手段が識別子信号を受け取らなくなるまで撮影が行われてもよい。
【００７７】
あるいは又、本発明の第１の態様に係る撮影方法／撮影・記録方法／撮影・記録・配信方法においては、識別子信号を受け取ってから所定時間経過後、識別子信号認識手段から撮影手段に撮影開始信号が送出され、撮影開始信号を受け取った撮影手段によって撮影が行われる構成とすることができる。
【００７８】
尚、このような構成を有する第１の態様に係る撮影方法／撮影・記録方法／撮影・記録・配信方法を、便宜上、第１Ａの構成の方法と呼ぶ。ここで、例えば、識別子信号認識手段が識別子信号を受け取ってから人物が撮影場所に到達し得る平均的な時間を、所定時間とすればよい。撮影開始信号を受け取った撮影手段は、直ちに撮影を行ってもよいし、或る時間が経過した後に撮影を行ってもよい。
【００７９】
本発明の第２の態様に係る撮影方法／撮影・記録方法／撮影・記録・配信方法においては、識別子データが一致した旨の照合結果を受け取った識別子信号認識手段によって直ちに撮影手段に撮影開始信号が送出され、撮影開始信号を受け取った撮影手段によって撮影が行われる構成とすることができる。撮影開始信号を受け取った撮影手段にとって、一定時間の間、撮影が行われてもよいし、識別子信号認識手段が識別子信号を受け取らなくなるまで撮影が行われてもよい。
【００８０】
あるいは又、本発明の第２の態様に係る撮影方法／撮影・記録方法／撮影・記録・配信方法においては、識別子データが一致した旨の照合結果を受け取ってから所定時間経過後、識別子信号認識手段から撮影手段に撮影開始信号が送出され、撮影開始信号を受け取った撮影手段によって撮影が行われる構成とすることができる。
【００８１】
尚、このような構成を有する第２の態様に係る撮影方法／撮影・記録方法／撮影・記録・配信方法を、便宜上、第２Ａの構成の方法と呼ぶ。ここで、例えば、識別子信号認識手段が識別子信号を受け取ってから人物が撮影場所に到達し得る平均的な時間、あるいは又、識別子信号認識手段が照合結果を受け取ってから人物が撮影場所に到達し得る平均的な時間を、所定時間とすればよい。撮影開始信号を受け取った撮影手段は、直ちに撮影を行ってもよいし、或る時間が経過した後に撮影を行ってもよい。
【００８２】
本発明の第３の態様に係る撮影方法／撮影・記録方法／撮影・記録・配信方法においては、識別子データが一致した旨の照合結果を出した識別子サーバによって直ちに撮影手段に撮影開始信号が送出され、撮影開始信号を受け取った撮影手段によって撮影が行われる構成とすることができる。撮影開始信号を受け取った撮影手段によって、一定時間の間、撮影が行われてもよいし、識別子信号認識手段が識別子信号を受け取らなくなるまで撮影が行われてもよい。
【００８３】
あるいは又、本発明の第３の態様に係る撮影方法／撮影・記録方法／撮影・記録・配信方法においては、識別子データが一致した場合、所定時間経過後、識別子サーバから撮影を行うべき旨の指示を発する構成とすることができる。
【００８４】
尚、このような構成を有する第３の態様に係る撮影方法／撮影・記録方法／撮影・記録・配信方法を、便宜上、第３Ａの構成の方法と呼ぶ。ここで、例えば、識別子信号認識手段が識別子信号を受け取ってから人物が撮影場所に到達し得る平均的な時間、あるいは又、識別子サーバが照合結果を出してから人物が撮影場所に到達し得る平均的な時間を、所定時間とすればよい。撮影開始信号を受け取った撮影手段は、直ちに撮影を行ってもよいし、或る時間が経過した後に撮影を行ってもよい。
【００８５】
第１Ａの構成の方法、あるいは、第２Ａの構成の方法にあっては、撮影手段（例えば、デジタルスチルカメラ）によって静止画の撮影を行うことができ、あるいは又、識別子信号認識手段から撮影開始信号を受け取ってから一定時間の間、撮影手段（例えば、デジタルビデオカメラ）によって動画の撮影を行うことができる。また、第３Ａの構成の方法にあっては、撮影手段（例えば、デジタルスチルカメラ）によって静止画の撮影を行うことができ、あるいは又、撮影を行うべき旨の指示を受け取ってから一定時間の間、撮影手段（例えば、デジタルビデオカメラ）によって動画の撮影を行う構成とすることができる。
【００８６】
また、本発明の第１の態様に係る撮影方法／撮影・記録方法／撮影・記録・配信方法においては、識別子信号を受け取った後、直ちに、識別子信号認識手段から撮影手段に撮影開始信号が送出され、撮影開始信号を受け取ってから所定時間経過後、撮影手段によって撮影を行う構成とすることができる。
【００８７】
尚、このような構成を有する第１の態様に係る撮影方法／撮影・記録方法／撮影・記録・配信方法を、便宜上、第１Ｂの構成の方法と呼ぶ。ここで、例えば、識別子信号認識手段が識別子信号を受け取ってから人物が撮影場所に到達し得る平均的な時間、あるいは又、撮影手段が撮影開始信号を受け取ってから人物が撮影場所に到達し得る平均的な時間を、所定時間とすればよい。
【００８８】
あるいは又、本発明の第２の態様に係る撮影方法／撮影・記録方法／撮影・記録・配信方法においては、識別子データが一致した旨の照合結果を受け取った後、直ちに、識別子信号認識手段から撮影手段に撮影開始信号が送出され、撮影開始信号を受け取ってから所定時間経過後、撮影手段によって撮影を行う構成とすることができる。
【００８９】
尚、このような構成を有する第２の態様に係る撮影方法／撮影・記録方法／撮影・記録・配信方法を、便宜上、第２Ｂの構成の方法と呼ぶ。ここで、例えば、識別子信号認識手段が識別子信号を受け取ってから人物が撮影場所に到達し得る平均的な時間、あるいは又、撮影手段が撮影開始信号を受け取ってから人物が撮影場所に到達し得る平均的な時間を、所定時間とすればよい。
【００９０】
あるいは又、本発明の第３の態様に係る撮影方法／撮影・記録方法／撮影・記録・配信方法においては、撮影を行うべき旨の指示を受け取ってから所定時間経過後、撮影手段によって撮影を行う構成とすることができる。
【００９１】
尚、このような構成を有する第３の態様に係る撮影方法／撮影・記録方法／撮影・記録・配信方法を、便宜上、第３Ｂの構成の方法と呼ぶ。ここで、例えば、識別子信号認識手段が識別子信号を受け取ってから人物が撮影場所に到達し得る平均的な時間、あるいは又、撮影手段が撮影開始信号を受け取ってから人物が撮影場所に到達し得る平均的な時間を、所定時間とすればよい。
【００９２】
第１Ｂの構成の方法、第２Ｂの構成の方法、あるいは、第３Ｂの構成の方法にあっては、撮影手段（具体的には、例えば、デジタルスチルカメラ）によって静止画の撮影を行うことができ、あるいは又、所定時間経過後、撮影手段（具体的には、例えば、デジタルビデオカメラ）によって、一定時間の間、動画の撮影を行うことができる。
【００９３】
また、本発明の第１の態様に係る撮影方法／撮影・記録方法／撮影・記録・配信方法においては、
識別子信号認識手段が受け取る識別子信号の強度が第１の強度以上となったとき、識別子信号認識手段から撮影手段に動作開始信号が送出され、
識別子信号認識手段が受け取る識別子信号の強度が第１の強度を越える第２の強度以上となったとき、識別子信号認識手段から撮影手段に撮影開始信号が送出され、
撮影開始信号を受け取った撮影手段によって撮影が行われ、
識別子信号認識手段が受け取る識別子信号の強度が第１の強度以下となったとき（第１の強度未満となったときを含む）、識別子信号認識手段から撮影手段に動作停止信号が送出される構成とすることができる。
【００９４】
尚、このような構成を有する第１の態様に係る撮影方法／撮影・記録方法／撮影・記録・配信方法を、便宜上、第１Ｃの構成の方法と呼ぶ。場合によっては、識別子信号認識手段が撮影手段に動作開始信号を送出する際の一種の閾値である第１の強度と、識別子信号認識手段が撮影手段に動作停止信号を送出する際の一種の閾値である第１の強度とは、同じ強度でなくともよい。
【００９５】
あるいは又、本発明の第２の態様に係る撮影方法／撮影・記録方法／撮影・記録・配信方法においては、
識別子信号認識手段が受け取る識別子信号の強度が第１の強度以上となったとき、識別子信号認識手段から該識別子信号に基づく識別子データが識別子サーバに送出され、
識別子信号認識手段が受け取る識別子信号の強度が第１の強度を越える第２の強度以上となり、且つ、識別子データが一致した旨の照合結果を受け取った後、識別子信号認識手段から撮影手段に撮影開始信号が送出され、
撮影開始信号を受け取った撮影手段によって撮影が行われ、
識別子信号認識手段が受け取る識別子信号の強度が第１の強度以下となったとき（第１の強度未満となったときを含む）、識別子信号認識手段から撮影手段に動作停止信号が送出される構成とすることができる。
【００９６】
尚、このような構成を有する第２の態様に係る撮影方法／撮影・記録方法／撮影・記録・配信方法を、便宜上、第２Ｃの構成の方法と呼ぶ。この第２Ｃの構成の方法にあっては、識別子信号認識手段が受け取る識別子信号の強度が第１の強度以上となったとき、識別子信号認識手段から該識別子信号に基づく識別子データが識別子サーバに送出されると同時に、識別子信号認識手段から、撮影手段に動作開始信号を送出することが好ましい。場合によっては、識別子信号認識手段が識別子データを識別子サーバに送出する際の一種の閾値である第１の強度と、識別子信号認識手段が撮影手段に動作停止信号を送出する際の一種の閾値である第１の強度とは、同じ強度でなくともよい。
【００９７】
あるいは又、本発明の第３の態様に係る撮影方法／撮影・記録方法／撮影・記録・配信方法においては、
識別子信号認識手段が受け取る識別子信号の強度が第１の強度以上となったとき、識別子信号認識手段から該識別子信号に基づく識別子データが識別子サーバに送出され、
識別子信号認識手段が受け取る識別子信号の強度が第１の強度を越える第２の強度以上となったとき、識別子信号認識手段から撮影手段に撮影開始信号が送出され、
識別子データが一致した場合、識別子サーバから撮影手段に撮影開始信号が送出され、
識別子サーバ及び識別子信号認識手段から撮影開始信号を受け取った撮影手段によって撮影が行われ、
識別子信号認識手段が受け取る識別子信号の強度が第１の強度以下となったとき（第１の強度未満となったときを含む）、識別子信号認識手段から撮影手段に動作停止信号が送出される構成とすることができる。
【００９８】
尚、このような構成を有する第３の態様に係る撮影方法／撮影・記録方法／撮影・記録・配信方法を、便宜上、第３Ｃの構成の方法と呼ぶ。尚、識別子サーバからの撮影開始信号、識別子信号認識手段からの撮影開始信号のいずれか一方のみを受け取った時点では、撮影手段は撮影を行わない。この第３Ｃの構成の方法にあっては、識別子信号認識手段が受け取る識別子信号の強度が第１の強度以上となったとき、識別子信号認識手段から該識別子信号に基づく識別子データが識別子サーバに送出されると同時に、識別子信号認識手段から、撮影手段に動作開始信号を送出することが好ましい。場合によっては、識別子信号認識手段が識別子データを識別子サーバを送出する際の一種の閾値である第１の強度と、識別子信号認識手段が撮影手段に動作停止信号を送出する際の一種の閾値である第１の強度とは、同じ強度でなくともよい。
【００９９】
あるいは又、本発明の第３の態様に係る撮影方法／撮影・記録方法／撮影・記録・配信方法においては、
識別子信号認識手段が受け取る識別子信号の強度が第１の強度以上となったとき、識別子信号認識手段から該識別子信号に基づく識別子データが識別子サーバに送出され、
識別子信号認識手段が受け取る識別子信号の強度が第１の強度を越える第２の強度以上となったとき、識別子信号認識手段から識別子サーバに撮影開始信号が送出され、
識別子データが一致し、且つ、識別子信号認識手段から撮影開始信号を受け取ったとき、識別子サーバから撮影手段に撮影開始信号が送出され、
識別子サーバから撮影開始信号を受け取った撮影手段によって撮影が行われ、識別子信号認識手段が受け取る識別子信号の強度が第１の強度以下となったとき（第１の強度未満となったときを含む）、識別子信号認識手段から識別子サーバに動作停止信号が送出され、
識別子信号認識手段から動作停止号を受け取った識別子サーバから撮影手段に動作停止信号が送出される構成とすることができる。
【０１００】
尚、このような構成を有する第３の態様に係る撮影方法／撮影・記録方法／撮影・記録・配信方法を、便宜上、第３Ｄの構成の方法と呼ぶ。この第３Ｄの構成の方法にあっては、識別子信号認識手段が受け取る識別子信号の強度が第１の強度以上となったとき、識別子信号認識手段から該識別子信号に基づく識別子データを識別子サーバに送出すると同時に、識別子信号認識手段から識別子サーバに動作開始信号を送出し、更には、識別子サーバから撮影手段に動作開始信号を送出することが好ましい。場合によっては、識別子信号認識手段が識別子データを識別子サーバを送出する際の一種の閾値である第１の強度と、識別子信号認識手段が識別子サーバに動作停止信号を送出する際の一種の閾値である第１の強度とは、同じ強度でなくともよい。
【０１０１】
第１Ｃの構成の方法、あるいは、第２Ｃの構成の方法にあっては、撮影手段（具体的には、例えば、デジタルスチルカメラ）によって静止画の撮影を行うことができ、あるいは又、識別子信号認識手段から撮影開始信号を受け取った後、一定時間の間、撮影手段（具体的には、例えば、デジタルビデオカメラ）によって動画の撮影を行うことができる。あるいは又、識別子信号認識手段が受け取る識別子信号の強度が第２の強度以下となったとき（第２の強度未満となったときを含む）、識別子信号認識手段から撮影手段に撮影停止信号が送出され、識別子信号認識手段から撮影開始信号を受け取ってから撮影停止信号を受け取るまでの間、撮影手段（例えば、デジタルビデオカメラ）によって動画を撮影する構成とすることができる。場合によっては、識別子信号認識手段が撮影手段に撮影開始信号を送出する際の一種の閾値である第２の強度と、識別子信号認識手段が撮影手段に撮影停止信号を送出する際の一種の閾値である第２の強度とは、同じ強度でなくともよい。
【０１０２】
第３Ｃの構成の方法あるいは第３Ｄの構成の方法にあっては、撮影手段（具体的には、例えば、デジタルスチルカメラ）によって静止画の撮影を行うことができ、あるいは又、撮影開始信号を受け取った後、一定時間の間、撮影手段（具体的には、例えば、デジタルビデオカメラ）によって動画の撮影を行うことができる。
【０１０３】
あるいは又、第３Ｃの構成の方法にあっては、
識別子信号認識手段が受け取る識別子信号の強度が第２の強度以下となったとき（第２の強度未満となったときを含む）、識別子信号認識手段から撮影手段に撮影停止信号が送出され、
識別子サーバ及び識別子信号認識手段から撮影開始信号を受け取ってから撮影停止信号を受け取るまでの間、撮影手段（具体的には、例えば、デジタルビデオカメラ）によって動画を撮影する構成とすることができる。場合によっては、撮影開始信号を送出する際の一種の閾値である第２の強度と、撮影停止信号を送出する際の一種の閾値である第２の強度とは、同じ強度でなくともよい。
【０１０４】
また、第３Ｄの構成の方法にあっては、
識別子信号認識手段が受け取る識別子信号の強度が第２の強度以下となったとき（第２の強度未満となったときを含む）、識別子信号認識手段から識別子サーバに撮影停止信号が送出され、
識別子信号認識手段から撮影停止信号を受け取った識別子サーバは、撮影手段に撮影停止信号を送出し、
識別子サーバから撮影開始信号を受け取ってから撮影停止信号を受け取るまでの間、撮影手段（具体的には、例えば、デジタルビデオカメラ）によって動画を撮影する構成とすることができる。場合によっては、撮影開始信号を送出する際の一種の閾値である第２の強度と、撮影停止信号を送出する際の一種の閾値である第２の強度とは、同じ強度でなくともよい。
【０１０５】
本発明の第１の態様〜第３の態様に係る撮影・記録方法／撮影・記録・配信方法において、撮影手段と画像記録サーバとは、通信回線を介して接続されている構成とすることができるが、これに限定するものではなく、配線を介する構成、撮影手段に画像記録サーバが組み込まれた構成を挙げることができる。ここで、撮影手段と画像記録サーバとが通信回線を介して接続されている場合、より具体的には、インターネットを経由する形態、専用回線を使用する形態を挙げることができる。
【０１０６】
本発明の第１の態様〜第３の態様に係る撮影・記録方法においては、画像記録サーバに記録されるデータベース化されたデータは、少なくとも、撮影日時、人物に付与された識別子、及び、デジタル化された画像データから構成されている形態とすることができる。
【０１０７】
そして、この場合、画像記録サーバに記録されるデータベース化されたデータは、更に、撮影手段を識別する撮影手段識別子から構成されている形態とすることができる。あるいは又、この場合、画像記録サーバによって、デジタル化された画像データを記録するだけでもよいが、画像記録サーバに記録され、デジタル化された画像データの編集を行うことが好ましく、更には、デジタル化された画像データの編集は、画像データ中の人物に相当するデータ部と画像合成用テンプレートとの合成とすることができ、あるいは又、デジタル化された画像データの編集は、画像データのアルバム化（ムービー化を含む）とすることができる。
【０１０８】
本発明の第１の態様〜第３の態様に係る撮影・記録・配信方法においては、画像記録サーバに記録されるデータベース化されたデータは、少なくとも、撮影日時、人物に付与された識別子、及び、デジタル化された画像データから構成されている形態とすることができる。
【０１０９】
そして、本発明の第１の態様〜第３の態様に係る撮影・記録・配信方法において画像記録サーバに記録されるデータベース化されたデータが上述のように構成されている場合、通信回線を介した端末機器からの要求に応じて、画像記録サーバに記録されたデータの内、少なくとも画像データを、画像記録サーバから通信回線を介して端末機器に配信することができる。更には、通信回線を介した端末機器からの要求に応じて、人物に付与された識別子により特定された画像記録サーバに記録されたデータの内、少なくとも画像データを、画像記録サーバから端末機器に通信回線を介して配信することができる。更には、通信回線を介した端末機器からの要求に応じて、更に、撮影日時により特定された画像記録サーバに記録されたデータの内、少なくとも画像データを、画像記録サーバから通信回線を介して端末機器に配信することができる。場合によっては、これらの配信の形態を、通信回線を介した端末機器からの要求を必要とせずに、画像記録サーバは、通信回線を介して端末機器に自動的に行ってもよい。
【０１１０】
あるいは又、本発明の第１の態様〜第３の態様に係る撮影・記録・配信方法において画像記録サーバに記録されるデータベース化されたデータが上述のように構成されている場合、通信回線を介した端末機器からの要求に応じて、画像記録サーバによって、画像記録サーバに記録され、デジタル化された画像データの編集を行い、その後、少なくとも編集された画像データを、画像記録サーバから通信回線を介して端末機器に配信することができる。そして、更には、デジタル化された画像データの編集は、画像データ中の人物に相当するデータ部と画像合成用テンプレートとの合成とすることができ、あるいは又、デジタル化された画像データの編集は、画像データのアルバム化（ムービー化を含む）とすることができる。場合によっては、これらの配信の形態を、通信回線を介した端末機器からの要求を必要とせずに、画像記録サーバは、通信回線を介して端末機器に自動的に行ってもよい。
【０１１１】
あるいは又、本発明の第１の態様〜第３の態様に係る撮影・記録・配信方法において画像記録サーバに記録されるデータベース化されたデータが上述のように構成されている場合、
画像記録サーバによって、画像記録サーバに記録され、デジタル化された画像データの編集を行い、
通信回線を介した端末機器からの要求に応じて、少なくとも編集された画像データを、画像記録サーバから通信回線を介して端末機器に配信し、
その後、画像記録サーバによって、通信回線を介した端末機器からの再編集要求に応じて、編集された画像データの再編集を行い、その後、少なくとも再編集された画像データを、画像記録サーバから通信回線を介して端末機器に配信する構成とすることができる。そして、この場合、デジタル化された画像データの編集及び／又は再編集は、画像データ中の人物に相当するデータ部と画像合成用テンプレートとの合成とすることができ、あるいは又、デジタル化された画像データの編集及び／又は再編集は、画像データのアルバム化（ムービー化を含む）とすることができる。場合によっては、これらの配信の形態を、通信回線を介した端末機器からの要求を必要とせずに、画像記録サーバは、通信回線を介して端末機器に自動的に行ってもよい。
【０１１２】
あるいは又、本発明の第１の態様〜第３の態様に係る撮影・記録・配信方法において画像記録サーバに記録されるデータベース化されたデータが上述のように構成されている場合、画像記録サーバに記録されるデータベース化されたデータは、更に、撮影手段を識別する撮影手段識別子から構成されている形態とすることができる。
【０１１３】
そして、上述のように画像記録サーバに記録されるデータベース化されたデータが更に撮影手段を識別する撮影手段識別子から構成されている場合、更には、通信回線を介した端末機器からの要求に応じて、画像記録サーバに記録されたデータの内、少なくとも画像データを、画像記録サーバから通信回線を介して端末機器に配信することができる。更には、通信回線を介した端末機器からの要求に応じて、人物に付与された識別子により特定された画像記録サーバに記録されたデータの内、少なくとも画像データを、画像記録サーバから通信回線を介して端末機器に配信することができる。更には、通信回線を介した端末機器からの要求に応じて、更に、撮影日時により特定された画像記録サーバに記録されたデータの内、少なくとも画像データを、画像記録サーバから通信回線を介して端末機器に配信することができる。更には、通信回線を介した端末機器からの要求に応じて、更に、撮影手段識別子により特定された画像記録サーバに記録されたデータの内、少なくとも画像データを、画像記録サーバから通信回線を介して端末機器に配信する構成とすることができる。場合によっては、これらの配信の形態を、通信回線を介した端末機器からの要求を必要とせずに、画像記録サーバは、通信回線を介して端末機器に自動的に行ってもよい。
【０１１４】
あるいは又、上述のように画像記録サーバに記録されるデータベース化されたデータが更に撮影手段を識別する撮影手段識別子から構成されている場合、通信回線を介した端末機器からの要求に応じて、画像記録サーバによって、画像記録サーバに記録され、デジタル化された画像データの編集を行い、その後、少なくとも編集された画像データを、画像記録サーバから通信回線を介して端末機器に配信することができる。そして、更には、デジタル化された画像データの編集は、画像データ中の人物に相当するデータ部と画像合成用テンプレートとの合成とすることができ、あるいは又、デジタル化された画像データの編集は、画像データのアルバム化（ムービー化を含む）とすることができる。場合によっては、これらの配信の形態を、通信回線を介した端末機器からの要求を必要とせずに、画像記録サーバは、通信回線を介して端末機器に自動的に行ってもよい。
【０１１５】
あるいは又、上述のように画像記録サーバに記録されるデータベース化されたデータが更に撮影手段を識別する撮影手段識別子から構成されている場合、
画像記録サーバによって、画像記録サーバに記録され、デジタル化された画像データの編集を行い、
通信回線を介した端末機器からの要求に応じて、少なくとも編集された画像データを、画像記録サーバから通信回線を介して端末機器に配信し、
その後、画像記録サーバによって、通信回線を介した端末機器からの再編集要求に応じて、編集された画像データの再編集を行い、その後、少なくとも再編集された画像データを、画像記録サーバから通信回線を介して端末機器に配信する構成とすることができる。そして、この場合、デジタル化された画像データの編集及び／又は再編集は、画像データ中の人物に相当するデータ部と画像合成用テンプレートとの合成とすることができ、あるいは又、デジタル化された画像データの編集及び／又は再編集は、画像データのアルバム化（ムービー化を含む）とすることができる。場合によっては、これらの配信の形態を、通信回線を介した端末機器からの要求を必要とせずに、画像記録サーバは、通信回線を介して端末機器に自動的に行ってもよい。
【０１１６】
本発明の第１の態様〜第３の態様に係る撮影・記録・配信方法にあっては、場合によっては、端末機器を用いて画像データの編集や再編集を行ってもよい。
【０１１７】
本発明における撮影手段は、例えば、アミューズメント・パークや遊園地、行楽地、運動場、レストラン、結婚式場、各種の催物会場、イベント会場、音楽会場等に設置すればよい。
【０１１８】
本発明においては、識別子信号送出手段と識別子信号認識手段とを備えることによって、撮影される人物の識別を自動的に行うことが可能となり、即ち、撮影される人物に意識されること無く撮影される人物の識別を行うことが可能となり、画像データを容易に取得することができるし、更には、撮影によって得られたデータを撮影された人物に容易に配信することが可能となる。
【０１１９】
【発明の実施の形態】
以下、図面を参照して、発明の実施の形態（以下、実施の形態と略称する）に基づき本発明を説明する。
【０１２０】
（実施の形態１）
実施の形態１は、本発明の第１の態様に係る撮影装置／撮影・記録装置／撮影・記録・配信装置／撮影方法／撮影・記録方法／撮影・記録・配信方法に関し、更には、第１Ａの構成の装置、第１Ａの構成の方法に関する。
【０１２１】
実施の形態１の撮影装置／撮影・記録装置／撮影・記録・配信装置の概念図を図１に示す。
【０１２２】
実施の形態１の撮影装置は、撮影される人物１０に所持され、この人物１０に付与された固有の識別子ＩＤを識別子信号ＩＤＳとして送出する識別子信号送出手段２１と、識別子信号送出手段２１から送出された識別子信号ＩＤＳを受け取る識別子信号認識手段２２と、識別子信号ＩＤＳを受け取った識別子信号認識手段２２の指示（具体的には、撮影開始信号）に基づき人物１０の撮影を行う撮影手段２３を具備している。尚、識別子信号認識手段２２及び撮影手段２３を、それぞれ、１台、具備している。
【０１２３】
また、実施の形態１の撮影・記録装置は、上記の撮影装置に加えて、撮影手段２３によって撮影された画像をデータベース化して記録する画像記録サーバ３０を具備している。ここで、画像記録サーバ３０は、従来のサーバと同じ構成、構造を有している。撮影手段２３と画像記録サーバ３０とは、通信回線を介して、より具体的には、インターネット５０を経由して、接続されている。
【０１２４】
更には、実施の形態１の撮影・記録・配信装置は、上記の撮影装置及び画像記録サーバ３０から構成された撮影・記録装置に加えて、画像記録サーバ３０と通信回線を介して接続された端末機器４０を具備している。そして、画像記録サーバ３０は、画像記録サーバ３０に記録され、データベース化されたデータを端末機器４０に配信する。ここで、画像記録サーバ３０と端末機器４０とは、より具体的には、インターネット５０を経由して接続されている。尚、図１においては、１台の端末機器４０を図示しているが、実際には、多数の端末機器４０が、インターネット５０を経由して画像記録サーバ３０に接続されている。以下の図面においても同様である。
【０１２５】
実施の形態１における識別子信号送出手段２１は、具体的には、腕時計型送信機である。この腕時計型送信機は、撮影される人物１０に所持されている。より具体的には、腕時計型送信機は、撮影される人物１０の腕に、直接、装着されている。実施の形態１において、撮影される人物１０に付与された固有の識別子ＩＤは、数字及び／又はアルファベットの組合せである。更には、識別子信号ＩＤＳは、識別子ＩＤそれ自体、即ち、識別子ＩＤと同じ数字及び／又はアルファベットの組合せを符号化、変調したものである。
【０１２６】
実施の形態１における識別子信号送出手段２１である腕時計型送信機、及び、識別子信号認識手段２２の詳細については、後述する。
【０１２７】
実施の形態１においては、識別子信号ＩＤＳを受け取ってから所定時間経過後、識別子信号認識手段２２は撮影手段２３に撮影開始信号を送出し、撮影開始信号を受け取った撮影手段２３は撮影を行う。ここで、撮影手段２３は、静止画を撮影するカメラ（より具体的には、固定されたデジタルスチルカメラ）である。識別子信号認識手段２２と撮影手段２３とは、配線２４によって接続されている。
【０１２８】
実施の形態１における端末機器４０は、パーソナルコンピュータである。この端末機器４０には、識別子信号認識手段２２と同じものが備えられており、端末機器４０を操作する人物が、人物１０に付与された固有の識別子ＩＤを識別子信号ＩＤＳとして送出する識別子信号送出手段２１を所持している場合、端末機器４０を用いて、画像記録サーバ３０に記録され、データベース化されたデータを画像記録サーバ３０から受け取ることができる。
【０１２９】
実施の形態１において、画像記録サーバ３０に記録されるデータベース化されたデータは、撮影日時、人物に付与された識別子ＩＤ、及び、デジタル化された画像データから構成されている。また、画像記録サーバ３０は、画像記録サーバ３０に記録され、デジタル化された画像データの編集を行う。具体的には、デジタル化された画像データの編集は、画像データ中の人物に相当するデータ部と画像合成用テンプレートとの合成である。画像合成用テンプレートは、画像記録サーバ３０内に記憶されている。
【０１３０】
実施の形態１において、画像記録サーバ３０は、通信回線（具体的には、インターネット５０）を介した端末機器４０からの要求に応じて、画像記録サーバ３０に記録されたデータ（より具体的には、人物１０に付与された識別子ＩＤにより特定され、更には、撮影日時により特定された画像記録サーバ３０に記録されたデータ）の内、画像データ及び撮影日時を通信回線を介して端末機器４０に配信する。より具体的には、画像データ及び撮影日時は、インターネット５０経由で端末機器４０に、例えばダウンロードされる。
【０１３１】
以上に説明した撮影装置／撮影・記録装置／撮影・記録・配信装置を用いた、実施の形態１の撮影方法／撮影・記録方法／撮影・記録・配信方法を、以下、説明する。
【０１３２】
撮影される人物１０に所持された識別子信号送出手段２１は、この人物１０に付与された固有の識別子ＩＤを識別子信号ＩＤＳとして、常時、送出しているものとする。具体的には、識別子信号送出手段２１は、固有の識別子ＩＤを符号化、変調した微弱な電波としての識別子信号ＩＤＳを、常時、発信しているものとする。以下に説明する実施の形態においても同様とする。
【０１３３】
［ステップ−１００］
この微弱な電波を識別子信号認識手段２２が受信し得る領域内に人物１０が入ってくると、識別子信号認識手段２２は、識別子信号送出手段２１から送出された識別子信号ＩＤＳを受け取ることになる。そして、識別子信号認識手段２２は、識別子信号ＩＤＳを受け取ってから所定時間経過後、撮影手段２３に撮影開始信号を送出する。併せて、識別子信号認識手段２２は、識別子信号ＩＤＳから抽出された識別子ＩＤを撮影手段２３に送出する。ここで、所定時間は、例えば、識別子信号認識手段２２が識別子信号ＩＤＳを受け取ってから人物１０が撮影場所に到達し得る平均的な時間であり、この所定時間は、識別子信号認識手段２２に内蔵された一種のタイマーにて計時される。撮影開始信号を受け取った撮影手段２３は、直ちに撮影を行ってもよいし、或る時間が経過した後に撮影を行ってもよい。撮影手段２３による撮影は、デジタルスチルカメラによる周知の撮影動作とすればよい。撮影された画像データは、一旦、撮影手段２３内に記憶される。併せて、識別子信号認識手段２２から送られてきた識別子ＩＤ、及び、撮影日時も、一旦、撮影手段２３内に記憶される。尚、撮影は１回に限定されず、時間を置いて複数回、撮影を行ってもよい。
【０１３４】
［ステップ−１１０］
次いで、インターネット５０に接続されている撮影手段２３は、一旦記憶した画像データ及び識別子ＩＤ、並びに、撮影日時を、インターネット５０経由で、画像記録サーバ３０に送出する。これらのデータを受け取った画像記録サーバ３０は、撮影日時、人物に付与された識別子ＩＤ、及び、デジタル化された画像データから構成されたデータベース内に、これらのデータをレコードとして記録し、保存する。
【０１３５】
［ステップ−１２０］
その後、画像記録サーバ３０は、画像記録サーバ３０に記録され、デジタル化された画像データの編集を行う。但し、この画像データの編集は、必須ではない。具体的には、デジタル化された画像データの編集は、画像データ中の人物に相当するデータ部と画像合成用テンプレートとの合成である。画像合成用テンプレートは、画像記録サーバ３０内に記憶されている。より具体的には、人物１０に相当する画像データの領域を切り出し、画像合成用テンプレートを構成する画像データとの合成をデジタル的に行えばよい。こうして得られた編集画像データもデータベース内の当該レコードに記録・保存される。尚、画像合成用テンプレートは、別のサーバに記憶されていてもよい。以下に説明する実施の形態においても同様である。
【０１３６】
［ステップ−１３０］
画像記録サーバ３０内に、予め、識別子ＩＤと、係る識別子ＩＤを有する人物１０の電子メールアドレスとを登録しておけば、あるいは又、別のサーバ内に予め識別子ＩＤとこの識別子ＩＤを有する人物１０の電子メールアドレスとを登録しておけば、データベース化が完了した時点で、画像記録サーバ３０は、電子メールによって人物１０にデータベース化完了通知（例えば、画像データの保管場所（例えばＵＲＬ）を特定する情報を含む）を、端末機器（パーソナルコンピュータ）４０に送ることができる。以下に説明する実施の形態においても同様とすることができる。あるいは又、場合によっては、画像記録サーバ３０は、少なくとも画像データを通信回線を介して識別子ＩＤを有する人物１０の電子メールアドレスに自動的に配信してもよい。以下に説明する実施の形態においても同様とすることができる。また、撮影手段２３から送られてきた識別子ＩＤが画像記録サーバ３０等に予め登録されていない場合には、画像記録サーバ３０は、撮影手段２３から送られてきた画像データ及び識別子ＩＤ並びに撮影日時を廃棄して、データベース内にこれらのデータをレコードとして記録しない構成としてもよく、この場合には、全てのジョブを中止する。識別子ＩＤの画像記録サーバ３０等への登録は、例えば、端末機器（パーソナルコンピュータ）４０を用いてインターネット５０経由で予め行っておけばよい。以下に説明する実施の形態においても同様とすればよい。但し、識別子ＩＤの画像記録サーバ３０等への登録は、必須ではない。
【０１３７】
［ステップ−１４０］
電子メールによってデータベース化完了通知を受け取った人物１０は、端末機器（パーソナルコンピュータ）４０を操作してインターネット５０経由で画像記録サーバ３０にアクセスする。この端末機器４０には、識別子信号認識手段２２と同じものが備えられており、端末機器４０を操作する人物が、人物１０に付与された固有の識別子ＩＤを識別子信号ＩＤＳとして送出する識別子信号送出手段２１を所持している場合、端末機器４０を用いて画像記録サーバ３０にアクセスしたとき、端末機器４０は、端末機器４０を操作する人物が人物１０であるとの認証及び識別子ＩＤを画像記録サーバ３０に送出する。尚、端末機器４０を用いて画像記録サーバ３０にアクセスした後、識別子ＩＤやパスワード等を端末機器４０から入力することによって、端末機器４０を操作する人物が人物１０であるとの認証を行ってもよい。また、撮影が行われてから或る時間が経過した後、データベース化完了通知を受け取ること無く、人物１０は、端末機器（パーソナルコンピュータ）４０を操作してインターネット５０経由で画像記録サーバ３０にアクセスしてもよい。
【０１３８】
［ステップ−１５０］
画像記録サーバ３０は、データベース中から、識別子ＩＤが一致したレコードを抽出する。そして、レコードを構成する画像データ及び撮影日時を端末機器４０に送出し、端末機器４０のディスプレイ上にこれらのデータを表示する。
【０１３９】
尚、画像記録サーバ３０にアクセスした後、画像記録サーバ３０から撮影日時の入力を促す構成としてもよい。この場合、画像記録サーバ３０は、データベース中から、識別子ＩＤが一致し、且つ、入力された撮影日時が一致したレコードを抽出すればよい。
【０１４０】
また、端末機器４０のディスプレイ上に表示されたデータが複数の場合、人物１０が所望とするデータを特定する番号等を端末機器４０に入力し、端末機器４０はこの番号等を画像記録サーバ３０に送出し、画像記録サーバ３０からこの番号等によって特定されたデータ（レコード）をダウンロードする形態としてもよい。
【０１４１】
画像データ等の端末機器４０のディスプレイ上への表示、あるいは、ダウンロードに対して課金する場合には、例えば、電話料金や通信回線使用料、プロバイダへの支払いに加えればよい。課金は、例えば、保管場所、保管期間、保管容量、編集や再編集の作業量等に基づき行えばよい。
【０１４２】
以上に説明した［ステップ−１５０］の形態を、以下に説明する実施の形態においても採用することができる。
【０１４３】
撮影手段であるデジタルスチルカメラを、例えば、識別子信号送出手段２１の送出する識別子信号ＩＤＳの強度に応じて、首振り、ズーム、パン等の動作が可能な構成、構造としてもよい。以下に説明する実施の形態においても同様とすることができる。
【０１４４】
更には、撮影手段を、デジタルスチルカメラの代わりに、デジタルビデオカメラとしてもよい。この場合、撮影手段であるデジタルビデオカメラは、識別子信号認識手段２２から撮影開始信号を受け取った後、一定時間の間、動画を撮影する。また、この場合、撮影手段であるデジタルビデオカメラを、例えば、識別子信号送出手段２１の送出する識別子信号ＩＤＳの強度に応じて、首振り、ズーム、パン等の動作が可能な構成、構造としてもよい。以下に説明する実施の形態においても同様である。更には、画像データは、例えば、ストリーミングデータとすることができる。以下に説明する実施の形態においても同様とすることができる。
【０１４５】
また、デジタル化された画像データの編集を、画像データのアルバム化とすることもできる。この場合、撮影・記録装置／撮影・記録・配信装置を１台の識別子信号認識手段２２及び１台の撮影手段２３から構成し、撮影手段２３をデジタルスチルカメラとする場合、撮影手段２３によって複数回の撮影を行い、得られた画像データをアルバム化すればよい。あるいは又、デジタル化された画像データの編集を画像データのアルバム化とする場合、撮影・記録装置／撮影・記録・配信装置を１台の識別子信号認識手段２２及び１台の撮影手段２３から構成し、撮影手段２３をデジタルビデオカメラとする場合、撮影手段２３によって一定時間の間、撮影を行い、得られた画像データをアルバム化すればよい。ここで、アルバム化として、画像の抽出、並べ替え、画像データ中の人物に相当するデータ部と画像合成用テンプレートとの合成を例示することができる。また、画像の抽出として、例えば、撮影時期や撮影時間、撮影時刻、及び／又は、撮影手段識別子（後述する）に基づき行ってもよいし、ベストショット（例えば、人物の笑顔）検出に基づいて行ってもよい。以下に説明する実施の形態においても同様とすることができる。
【０１４６】
更には、識別子信号送出手段２１を、装着された人物が、固有の識別子ＩＤが付与された人物１０であるか否かを検出する検出手段を有する構成とすることもでき、更には、以下に説明する実施の形態においても同様とすることができる。尚、このような識別子信号送出手段２１については後述する。
【０１４７】
また、識別子信号ＩＤＳを受け取った識別子信号認識手段２２は直ちに撮影手段２３に撮影開始信号を送出し、撮影開始信号を受け取った撮影手段２３は撮影を行う構成とすることもできる。撮影開始信号を受け取った撮影手段２３は、一定時間の間、撮影を行ってもよいし、識別子信号認識手段２２が識別子信号ＩＤＳを受け取らなくなるまで撮影を行ってもよい。以下の実施の形態２〜実施の形態４においても、同様とすることができる。
【０１４８】
（実施の形態２）
実施の形態２は、実施の形態１の変形である。実施の形態２においては、少なくとも１台の識別子信号認識手段２２、及び、複数台の撮影手段２３を備えている。即ち、１台の識別子信号認識手段２２及び複数台の撮影手段２３を備えている場合には、１台の識別子信号認識手段２２によって複数台の撮影手段２３の動作が制御される。一方、複数台の識別子信号認識手段２２及び撮影手段２３を備えている場合には、それぞれの識別子信号認識手段２２によって、この識別子信号認識手段２２に接続された撮影手段２３（１台あるいは２台以上）の動作が制御される。また、撮影手段２３には、それぞれの撮影手段２３を識別する固有の撮影手段識別子Ｃ＿ＩＤが付与され、撮影手段２３に記憶されている。更には、画像記録サーバ３０に記録されるデータベース化されたデータは、撮影日時、人物に付与された識別子ＩＤ、及び、デジタル化された画像データから構成されており、更に、撮影手段２３を識別する撮影手段識別子Ｃ＿ＩＤから構成されている。
【０１４９】
実施の形態２の撮影装置／撮影・記録装置／撮影・記録・配信装置のその他の構成、識別子信号送出手段の動作については、実施の形態１の撮影装置／撮影・記録装置／撮影・記録・配信装置、識別子信号送出手段あるいはその変形例と同様とすることができるので、詳細な説明は省略する。
【０１５０】
以下、実施の形態２の撮影方法／撮影・記録方法／撮影・記録・配信方法を説明する。
【０１５１】
［ステップ−２００］
微弱な電波を識別子信号認識手段２２が受信し得る領域内に人物１０が入ってくると、実施の形態１の［ステップ−１００］と同様のステップが実行される。
【０１５２】
［ステップ−２１０］
次いで、インターネット５０に接続されているそれぞれの撮影手段２３は、一旦記憶した画像データ、識別子ＩＤ及び撮影日時、並びに、撮影手段２３を識別する撮影手段識別子Ｃ＿ＩＤを、インターネット５０経由で画像記録サーバ３０に送出する。これらのデータを受け取った画像記録サーバ３０は、撮影日時、人物に付与された識別子ＩＤ、デジタル化された画像データ、及び、撮影手段２３を識別する撮影手段識別子Ｃ＿ＩＤから構成されたデータベース内に、これらのデータをレコードとして記録し、保存する。
【０１５３】
［ステップ−２２０］
その後、必要に応じて［ステップ−１２０］と同様のステップを実行する。
【０１５４】
［ステップ−２３０］
次いで、必要に応じて［ステップ−１３０］と同様のステップを実行し、更に、［ステップ−１４０］と同様のステップを実行する。
【０１５５】
［ステップ−２４０］
画像記録サーバ３０は、データベース中から、識別子ＩＤが一致したレコードを抽出する。そして、画像記録サーバ３０内に記憶され、撮影手段識別子Ｃ＿ＩＤと撮影場所の関係を記録したテーブルから、抽出されたレコード内の撮影手段識別子Ｃ＿ＩＤに基づき撮影場所を特定し、レコードを構成する画像データ及び撮影日時、並びに、撮影場所を端末機器４０に送出し、端末機器４０のディスプレイ上にこれらのデータを表示する。以降、実施の形態１の［ステップ−１５０］と同様の操作を行えばよい。
【０１５６】
実施の形態１と同様に、デジタル化された画像データの編集を、画像データのアルバム化とすることもできる。この場合、撮影手段２３をデジタルスチルカメラとする場合、複数台の撮影手段２３のそれぞれによって１回あるいは複数の撮影を行い、得られた画像データをアルバム化すればよい。あるいは又、撮影手段２３をデジタルビデオカメラとする場合、複数台の撮影手段２３のそれぞれによって一定時間の間、撮影を行い、得られた画像データをアルバム化すればよい。後述する実施の形態９、実施の形態１６においても同様である。
【０１５７】
（実施の形態３）
実施の形態３は、実施の形態１あるいは実施の形態２の撮影・記録・配信装置／撮影・記録・配信方法の変形である。実施の形態１あるいは実施の形態２においては、［ステップ−１２０］あるいは［ステップ−２２０］において、デジタル化された画像データの編集である画像データ中の人物に相当するデータ部と画像合成用テンプレートとの合成や画像データのアルバム化を、画像記録サーバ３０において、画像記録サーバ３０に与えられた規則に基づき自動的に行う。一方、実施の形態３においては、画像記録サーバ３０は、通信回線（具体的には、例えばインターネット５０）を介した端末機器４０からの要求に応じて、画像記録サーバ３０に記録され、デジタル化された画像データの編集を行い、その後、少なくとも編集された画像データを通信回線（具体的には、インターネット５０）を介して端末機器４０に配信する。
【０１５８】
以下、実施の形態３の撮影・記録・配信方法を説明する。
【０１５９】
［ステップ−３００］
実施の形態３においては、実施の形態１の［ステップ−１００］、［ステップ−１１０］と同様のステップを実行した後、必要に応じて［ステップ−１３０］と同様のステップを実行し、更に、［ステップ−１５０］と同様のステップを実行する。あるいは又、実施の形態２の［ステップ−２００］、［ステップ−２１０］、［ステップ−２３０］、［ステップ−２４０］と同様のステップを実行する。尚、［ステップ−１５０］あるいは［ステップ−２４０］と同様のステップにあっては、端末機器４０のディスプレイ上にデータ（例えば、画像データ及び撮影日時、更には、必要に応じて撮影場所）を表示すると共に、画像記録サーバ３０は画像データのどのような編集を行うかの問い合わせを端末機器４０に送出し、端末機器４０のディスプレイ上にこの問い合わせを表示する。
【０１６０】
［ステップ−３１０］
その後、人物１０は、端末機器４０のディスプレイ上に表示されたデータ（例えば、画像データ及び撮影日時、更には、必要に応じて撮影場所）を必要に応じて選択し、更に、画像データのどのような編集を行うかの問い合わせに対する回答を選択する。端末機器４０は、これらの情報を画像記録サーバ３０に送出する。これらの情報を受け取った画像記録サーバ３０は、画像データのどのような編集を行うかの問い合わせに対する回答に基づき、画像データ中の人物に相当するデータ部と画像合成用テンプレートとの合成、あるいは、画像データのアルバム化といったデジタル化された画像データの編集を行う。これらの画像データの編集は、実施の形態１あるいは実施の形態２にて説明した画像データの編集と同様の作業とすればよい。
【０１６１】
［ステップ−３２０］
その後、画像記録サーバ３０は、編集済みの画像データを端末機器４０に送出し、端末機器４０のディスプレイ上にこれらのデータを表示する。あるいは、編集済みの画像データを端末機器４０にダウンロードする。あるいは、データの表示とダウンロードとの両者を行ってもよい。更には、画像記録サーバ３０と端末機器４０との接続を一旦切断し、後刻、画像記録サーバ３０は、電子メールによって人物１０にデータベース化完了通知（画像データ編集完了の通知であり、例えば、画像データの保管場所を特定する情報を含む）を端末機器（パーソナルコンピュータ）４０に送ってもよいし、後刻、人物１０が再び画像記録サーバ３０にアクセスし、編集済みの画像データを端末機器４０のディスプレイ上に表示してもよいし、編集済みの画像データをダウンロードしてもよい。
【０１６２】
（実施の形態４）
実施の形態４も、実施の形態１あるいは実施の形態２の撮影・記録・配信装置／撮影・記録・配信方法の変形である。
【０１６３】
実施の形態４にあっては、画像記録サーバ３０は、画像記録サーバ３０に記録され、デジタル化された画像データの編集を行い、通信回線（インターネット５０）を介した端末機器４０からの要求に応じて、少なくとも編集された画像データを通信回線（インターネット５０）を介して端末機器４０に配信し、その後、画像記録サーバ３０は、通信回線（インターネット５０）を介した端末機器４０からの再編集要求に応じて、編集された画像データの再編集を行い、その後、少なくとも再編集された画像データを通信回線（インターネット５０）を介して端末機器４０に配信する。
【０１６４】
以下、実施の形態４の撮影・記録・配信方法を説明する。
【０１６５】
［ステップ−４００］
即ち、実施の形態４にあっては、先ず、実施の形態１の［ステップ−１００］〜［ステップ−１５０］と同様のステップ、あるいは実施の形態２の［ステップ−２００］〜［ステップ−２４０］と同様のステップを実行する。尚、［ステップ−１５０］あるいは［ステップ−２４０］と同様のステップにあっては、端末機器４０のディスプレイ上にデータ（例えば、画像データ及び撮影日時、更には、必要に応じて撮影場所）を表示すると共に、画像記録サーバ３０は画像データのどのような再編集を行うかの問い合わせを端末機器４０に送出し、端末機器４０のディスプレイ上にこの問い合わせを表示する。
【０１６６】
［ステップ−４１０］
その後、人物１０は、端末機器４０のディスプレイ上に表示されたデータ（例えば、編集済みの画像データ及び撮影日時、更には、必要に応じて撮影場所）を必要に応じて選択し、更に、画像データのどのような再編集を行うかの問い合わせに対する回答を選択する。端末機器４０は、これらの情報を画像記録サーバ３０に送出する。これらの情報を受け取った画像記録サーバ３０は、画像データのどのような再編集を行うかの問い合わせに対する回答に基づき、画像データ中の人物に相当するデータ部と画像合成用テンプレートとの合成、あるいは、画像データのアルバム化といったデジタル化された画像データの再編集を行う。これらの画像データの再編集は、実施の形態１あるいは実施の形態２にて説明した画像データの編集と同様の作業とすればよい。
【０１６７】
［ステップ−４２０］
その後、画像記録サーバ３０は、再編集済みの画像データを端末機器４０に送出し、端末機器４０のディスプレイ上にこれらのデータを表示する。あるいは、再編集済みの画像データを端末機器４０にダウンロードする。あるいは、データの表示とダウンロードとの両者を行ってもよい。更には、画像記録サーバ３０と端末機器４０との接続を一旦切断し、後刻、画像記録サーバ３０は、電子メールによって人物１０にデータベース化完了通知（画像データ再編集完了の通知であり、例えば、画像データの保管場所を特定する情報を含む）を端末機器（パーソナルコンピュータ）４０に送ってもよいし、後刻、人物１０が再び画像記録サーバ３０にアクセスし、再編集済みの画像データを端末機器４０のディスプレイ上に表示してもよいし、再編集済みの画像データをダウンロードしてもよい。
【０１６８】
（実施の形態５）
実施の形態５は、実施の形態１あるいは実施の形態２の変形であり、第１Ｂの構成の装置、第１Ｂの構成の方法に関する。
【０１６９】
実施の形態５においては、識別子信号ＩＤＳを受け取った識別子信号認識手段２２は、直ちに、撮影手段２３に撮影開始信号を送出し、撮影開始信号を受け取った撮影手段２３は、所定時間経過後、撮影を行う。ここで、所定時間を、例えば、識別子信号認識手段２２が識別子信号ＩＤＳを受け取ってから人物１０が撮影場所に到達し得る平均的な時間、あるいは又、撮影手段２３が撮影開始信号を受け取ってから人物１０が撮影場所に到達し得る平均的な時間とすればよい。また、所定時間は、撮影手段２３に内蔵された一種のタイマーにて計時すればよい。
【０１７０】
以上の点を除き、実施の形態５における撮影装置／撮影・記録装置／撮影・記録・配信装置／撮影方法／撮影・記録方法／撮影・記録・配信方法は、実施の形態１あるいは実施の形態２の撮影装置／撮影・記録装置／撮影・記録・配信装置／撮影方法／撮影・記録方法／撮影・記録・配信方法あるいはこれらの変形と同様とすることができるので、詳細な説明は省略する。また、実施の形態５に対して、実施の形態３あるいは実施の形態４を適用することもできる。
【０１７１】
（実施の形態６）
実施の形態６も実施の形態１あるいは実施の形態２の変形であり、第１Ｃの構成の装置、第１Ｃの構成の方法に関する。
【０１７２】
実施の形態６の撮影装置／撮影・記録装置／撮影・記録・配信装置の概念図を図２に示す。
【０１７３】
実施の形態６にあっては、識別子信号認識手段２２が受け取る識別子信号ＩＤＳの強度Ｉが第１の強度Ｉ１以上となったとき、識別子信号認識手段２２は、撮影手段２３に動作開始信号を送出する。これによって、撮影手段２３は撮影の準備（例えば、電源の投入やアクティブ・モードへの移行）をする。そして、識別子信号認識手段２２が受け取る識別子信号ＩＤＳの強度Ｉが第１の強度Ｉ１を越える第２の強度Ｉ２以上となったとき、識別子信号認識手段２２は、撮影手段２３に撮影開始信号を送出する。その後、撮影開始信号を受け取った撮影手段２３は撮影を行う。更には、識別子信号認識手段２２が受け取る識別子信号ＩＤＳの強度Ｉが第１の強度Ｉ１以下となったとき（第１の強度Ｉ１未満となったときを含む）、識別子信号認識手段２２は、撮影手段２３に動作停止信号を送出する。これによって、撮影手段２３は動作の停止（例えば、電源オフやスリープ・モードへの移行）を行う。
【０１７４】
このような構成とすることで、人物１０の撮影を一層確実に行うことができる。
【０１７５】
尚、撮影手段２３は、実施の形態１と同様に、静止画を撮影するカメラ（具体的には、例えば、デジタルスチルカメラ）とすることができ、あるいは又、識別子信号認識手段２２から撮影開始信号を受け取った後、一定時間の間、動画を撮影するカメラ（具体的には、例えば、デジタルビデオカメラ）とすることができる。
【０１７６】
更には、識別子信号認識手段２２が受け取る識別子信号ＩＤＳの強度Ｉが第２の強度Ｉ２以下となったとき（第２の強度Ｉ２未満となったときを含む）、識別子信号認識手段２２は、撮影手段２３に撮影停止信号を送出し、撮影手段２３は、識別子信号認識手段２２から撮影開始信号を受け取ってから撮影停止信号を受け取るまでの間、動画を撮影するカメラ（具体的には、例えばデジタルビデオカメラ）である構成とすることができるし、あるいは又、所定の時間間隔をおいて複数枚の静止画を撮影するカメラ（具体的には、例えばデジタルスチルカメラ）である構成とすることもできる。このような構成とすることで、撮影手段２３の動作の制御を確実に行うことができるし、人物１０の撮影を更に一層確実に行うことができる。
【０１７７】
以上の点を除き、実施の形態６における撮影装置／撮影・記録装置／撮影・記録・配信装置／撮影方法／撮影・記録方法／撮影・記録・配信方法は、実施の形態１あるいは実施の形態２の撮影装置／撮影・記録装置／撮影・記録・配信装置／撮影方法／撮影・記録方法／撮影・記録・配信方法あるいはこれらの変形と同様とすることができるので、詳細な説明は省略する。また、実施の形態６に対して、実施の形態３、実施の形態４あるいは実施の形態５を適用することもできる。
【０１７８】
尚、識別子信号認識手段２２が受け取る識別子信号ＩＤＳの強度Ｉが第１の強度Ｉ１以上となった場合であっても、識別子信号認識手段２２が受け取る識別子信号ＩＤＳの強度Ｉが第１の強度Ｉ１を越える第２の強度Ｉ２以上となるまでに規定の時間が経過してしまった場合、あるいは又、識別子信号認識手段２２が受け取る識別子信号ＩＤＳの強度Ｉが第１の強度Ｉ１を越える第２の強度Ｉ２とならずに第１の強度Ｉ１以下となってしまった場合、例えば撮影手段２３の制御に基づき全てのジョブを中止する。
【０１７９】
また、識別子信号ＩＤＳから抽出された識別子ＩＤを識別子信号認識手段２２は撮影手段２３に送出するが、この送出のタイミングは、識別子信号認識手段２２が受け取る識別子信号ＩＤＳの強度Ｉが第１の強度Ｉ１以上となったときでもよいし、第２の強度Ｉ２以上となったときでもよい。
【０１８０】
（実施の形態７）
実施の形態７も実施の形態１あるいは実施の形態２の変形である。
【０１８１】
実施の形態７の撮影装置／撮影・記録装置／撮影・記録・配信装置の概念図を図３に示す。
【０１８２】
実施の形態７においては、１台の撮影手段２３に対して識別子信号認識手段が、例えば２台、備えられている。そして、第１の識別子信号認識手段２２Ａが識別子信号ＩＤＳを受け取ったとき、第１の識別子信号認識手段２２Ａは、撮影手段２３に動作開始信号を送出する。これによって、撮影手段２３は撮影の準備（例えば、電源の投入やアクティブ・モードへの移行）をする。そして、第２の識別子信号認識手段２２Ｂが識別子信号ＩＤＳを受け取ったとき、第２の識別子信号認識手段２２Ｂは、撮影手段２３に撮影開始信号を送出する。この撮影開始信号を受け取った撮影手段２３は撮影を行う。更には、第１の識別子信号認識手段２２Ａが識別子信号ＩＤＳを受け取らなくなったとき、第１の識別子信号認識手段２２Ａは、撮影手段２３に動作停止信号を送出する。これによって、撮影手段２３は動作の停止（例えば、電源オフやスリープ・モードへの移行）を行う。尚、第１の識別子信号認識手段２２Ａと撮影手段２３とは配線２４Ａを介して接続され、第２の識別子信号認識手段２２Ｂと撮影手段２３とは配線２４Ｂを介して接続されている。ここで、第２の識別子信号認識手段２２Ｂから撮影手段２３までの距離は、第１の識別子信号認識手段２２Ａから撮影手段２３までの距離よりも短い。
【０１８３】
このような構成とすることで、人物１０の撮影を一層確実に行うことができる。
【０１８４】
尚、撮影手段２３は、実施の形態１と同様に、静止画を撮影するカメラ（具体的には、例えば、デジタルスチルカメラ）とすることができ、あるいは又、第２の識別子信号認識手段２２Ｂから撮影開始信号を受け取った後、一定時間の間、動画を撮影するカメラ（具体的には、例えば、デジタルビデオカメラ）とすることができる。
【０１８５】
更には、第２の識別子信号認識手段２２Ｂが識別子信号ＩＤＳを受け取らなくなったとき、第２の識別子信号認識手段２２Ｂは、撮影手段２３に撮影停止信号を送出し、撮影手段２３は、第２の識別子信号認識手段２２Ｂから撮影開始信号を受け取ってから撮影停止信号を受け取るまでの間、動画を撮影するカメラ（具体的には、例えばデジタルビデオカメラ）である構成とすることができるし、あるいは又、所定の時間間隔をおいて複数枚の静止画を撮影するカメラ（具体的には、例えばデジタルスチルカメラ）である構成とすることもできる。このような構成とすることで、撮影手段２３の動作の制御を確実に行うことができるし、人物１０の撮影を更に一層確実に行うことができる。
【０１８６】
以上の点を除き、実施の形態７における撮影装置／撮影・記録装置／撮影・記録・配信装置／撮影方法／撮影・記録方法／撮影・記録・配信方法は、実施の形態１あるいは実施の形態２の撮影装置／撮影・記録装置／撮影・記録・配信装置／撮影方法／撮影・記録方法／撮影・記録・配信方法あるいはこれらの変形と同様とすることができるので、詳細な説明は省略する。また、実施の形態７に対して、実施の形態３、実施の形態４あるいは実施の形態５を適用することもできる。
【０１８７】
尚、第１の識別子信号認識手段２２Ａが識別子信号ＩＤＳを受け取った後、第２の識別子信号認識手段２２Ｂが識別子信号ＩＤＳを受け取るまでに規定の時間が経過してしまった場合、例えば撮影手段２３の制御に基づき全てのジョブを中止する。
【０１８８】
また、識別子信号ＩＤＳから抽出された識別子ＩＤを、第１の識別子信号認識手段２２Ａが識別子信号ＩＤＳを受け取ったときに第１の識別子信号認識手段２２Ａが撮影手段２３に送出してもよいし、第２の識別子信号認識手段２２Ｂが識別子信号ＩＤＳを受け取ったとき第２の識別子信号認識手段２２Ｂが撮影手段２３に送出してもよい。
【０１８９】
（実施の形態８）
実施の形態８は、本発明の第２の態様に係る撮影装置／撮影・記録装置／撮影・記録・配信装置／撮影方法／撮影・記録方法／撮影・記録・配信方法に関し、更には、第２Ａの構成の装置、第２Ａの構成の方法に関する。
【０１９０】
実施の形態８の撮影装置／撮影・記録装置／撮影・記録・配信装置の概念図を図４に示す。
【０１９１】
実施の形態８における撮影装置は、撮影される人物１０に所持され、この人物１０に付与された固有の識別子ＩＤを識別子信号ＩＤＳとして送出する識別子信号送出手段２１と、識別子信号送出手段２１から送出された識別子信号ＩＤＳを受け取る識別子信号認識手段２２と、識別子信号ＩＤＳを受け取った識別子信号認識手段２２の指示に基づき人物１０の撮影を行う撮影手段２３と、識別子データＩＤＤ＿Ｓを予め記録した識別子サーバ６０を具備している。尚、識別子信号認識手段２２及び撮影手段２３を、それぞれ、１台、具備している。ここで、撮影手段２３は、静止画を撮影するカメラ（より具体的には、固定されたデジタルスチルカメラ）である。
【０１９２】
そして、識別子信号ＩＤＳを受け取った識別子信号認識手段２２は、この識別子信号ＩＤＳに基づく識別子データＩＤＤを識別子サーバ６０に送出する。識別子サーバ６０は、識別子サーバ６０内に予め記録された識別子データＩＤＤ＿Ｓと識別子信号認識手段２２から送出された識別子データＩＤＤとを照合し、照合結果を識別子信号認識手段２２に送出する。そして、識別子データＩＤＤ，ＩＤＤ＿Ｓが一致した旨の照合結果を識別子信号認識手段２２が受け取った後、識別子信号認識手段２２は撮影手段２３に撮影を行うべき指示（撮影開始信号）を発する。識別子サーバ６０と識別子信号認識手段２２とは、通信回線（具体的には、例えば、インターネット５０）を介して接続されている。尚、識別子データＩＤＤ＿Ｓの識別子サーバ６０への登録は、例えば、端末機器（パーソナルコンピュータ）４０を用いてインターネット５０経由で予め行っておけばよい。以下に説明する実施の形態においても同様とすればよい。
【０１９３】
また、実施の形態８の撮影・記録装置は、上記の撮影装置に加えて、撮影手段２３によって撮影された画像をデータベース化して記録する画像記録サーバ３０を具備している。ここで、画像記録サーバ３０は、従来のサーバと同じ構成、構造を有している。撮影手段２３と画像記録サーバ３０とは、通信回線を介して、より具体的には、インターネット５０を経由して、接続されている。
【０１９４】
更には、実施の形態８の撮影・記録・配信装置は、上記の撮影装置及び画像記録サーバ３０から構成された撮影・記録装置に加えて、画像記録サーバ３０と通信回線を介して接続された端末機器４０を具備している。そして、画像記録サーバ３０は、画像記録サーバ３０に記録され、データベース化されたデータを端末機器４０に配信する。ここで、画像記録サーバ３０と端末機器４０とは、より具体的には、インターネット５０を経由して接続されている。
【０１９５】
実施の形態８における識別子信号送出手段２１及び識別子信号認識手段２２は、具体的には、実施の形態１にて説明した腕時計型送信機及び識別子信号認識手段と同様とすることができ、撮影される人物１０に付与された固有の識別子ＩＤは、実施の形態１と同様に数字及び／又はアルファベットの組合せである。更には、識別子信号ＩＤＳも、実施の形態１と同様に、識別子ＩＤと同じ数字及び／又はアルファベットの組合せを符号化、変調したものである。また、識別子データＩＤＤ，ＩＤＤ＿Ｓは、識別子ＩＤを符号化したものである。
【０１９６】
実施の形態８においては、識別子データＩＤＤ，ＩＤＤ＿Ｓが一致した旨の照合結果を受け取ってから所定時間経過後、識別子信号認識手段２２は撮影手段２３に撮影開始信号を送出し、撮影開始信号を受け取った撮影手段２３は撮影を行う。識別子信号認識手段２２と撮影手段２３とは、配線２４によって接続されている。
【０１９７】
実施の形態８における端末機器４０は、実施の形態１にて説明したと同様のパーソナルコンピュータである。この端末機器４０には、識別子信号認識手段２２と同じものが備えられており、端末機器４０を操作する人物が、人物１０に付与された固有の識別子ＩＤを識別子信号ＩＤＳとして送出する識別子信号送出手段２１を所持している場合、端末機器４０を用いて、画像記録サーバ３０に記録され、データベース化されたデータを画像記録サーバ３０から受け取ることができる。
【０１９８】
実施の形態８においても、画像記録サーバ３０に記録されるデータベース化されたデータは、撮影日時、人物に付与された識別子ＩＤ、及び、デジタル化された画像データから構成されている。また、画像記録サーバ３０は、画像記録サーバ３０に記録され、デジタル化された画像データの編集を行う。具体的には、デジタル化された画像データの編集は、画像データ中の人物に相当するデータ部と画像合成用テンプレートとの合成である。画像合成用テンプレートは、画像記録サーバ３０内に記憶されている。
【０１９９】
また、実施の形態８において、画像記録サーバ３０は、通信回線（具体的には、インターネット５０）を介した端末機器４０からの要求に応じて、画像記録サーバ３０に記録されたデータ（より具体的には、人物１０に付与された識別子ＩＤにより特定され、更には、撮影日時により特定された画像記録サーバ３０に記録されたデータ）の内、画像データ及び撮影日時を通信回線を介して端末機器４０に配信する。より具体的には、画像データ及び撮影日時は、インターネット５０経由で端末機器４０に、例えばダウンロードされる。
【０２００】
以上に説明した撮影装置／撮影・記録装置／撮影・記録・配信装置を用いた、実施の形態８の撮影方法／撮影・記録方法／撮影・記録・配信方法を、以下、説明する。
【０２０１】
［ステップ−８００］
微弱な電波を識別子信号認識手段２２が受信し得る領域内に人物１０が入ってくると、識別子信号認識手段２２は、識別子信号送出手段２１から送出された識別子信号ＩＤＳを受け取る。
【０２０２】
［ステップ−８１０］
識別子信号送出手段２１から送出された識別子信号ＩＤＳを受け取った識別子信号認識手段２２は、この識別子信号ＩＤＳに基づく識別子データＩＤＤを識別子サーバ６０にインターネット５０を介して送出する。
【０２０３】
［ステップ−８２０］
識別子データＩＤＤを受け取った識別子サーバ６０は、識別子サーバ６０内に予め記録された識別子データＩＤＤ＿Ｓと識別子信号認識手段２２から送出された識別子データＩＤＤとを照合し、照合結果（一致若しくは不一致）を識別子信号認識手段２２にインターネット５０を介して送出する。尚、識別子サーバ６０内には、識別子データＩＤＤ＿Ｓに対応した人物の有する電子メールアドレスも予め記録されており、照合結果と併せて、電子メールアドレスも識別子信号認識手段２２に送出される。尚、実施の形態１と同様に、電子メールアドレスを画像記録サーバ３０に記録しておいてもよい。
【０２０４】
［ステップ−８３０］
識別子データＩＤＤ，ＩＤＤ＿Ｓが一致した旨の照合結果を識別子サーバ６０から識別子信号認識手段２２が受け取ってから所定時間経過後、識別子信号認識手段２２は、撮影手段２３に撮影開始信号を送出する。併せて、識別子信号ＩＤＳから抽出された識別子ＩＤ、及び、人物１０の電子メールアドレスを識別子信号認識手段２２は撮影手段２３に送出する。ここで、所定時間を、例えば、識別子信号認識手段２２が識別子信号ＩＤＳを受け取ってから人物１０が撮影場所に到達し得る平均的な時間、あるいは又、識別子信号認識手段２２が照合結果を受け取ってから人物１０が撮影場所に到達し得る平均的な時間とすればよい。この所定時間は、識別子信号認識手段２２に内蔵された一種のタイマーにて計時される。撮影開始信号を受け取った撮影手段２３は、直ちに撮影を行ってもよいし、或る時間が経過した後に撮影を行ってもよい。撮影手段２３による撮影は、デジタルスチルカメラによる周知の撮影動作とすればよい。撮影された画像データは、一旦、撮影手段２３内に記憶される。併せて、識別子信号認識手段２２から送られてきた識別子ＩＤ及び電子メールアドレス、並びに、撮影日時も、一旦、撮影手段２３内に記憶される。尚、撮影は１回に限定されず、時間を置いて複数回、撮影を行ってもよい。
【０２０５】
識別子データＩＤＤ，ＩＤＤ＿Ｓが不一致であるとの照合結果を識別子サーバ６０から識別子信号認識手段２２が受け取った場合、識別子信号認識手段２２は、撮影を行うべき旨の指示を発することは無い。この場合には、全てのジョブを中止する。
【０２０６】
［ステップ−８４０］
次いで、実施の形態１の［ステップ−１１０］と同様のステップを実行する。
【０２０７】
［ステップ−８５０］
その後、必要に応じて、実施の形態１の［ステップ−１２０］と同様のステップを実行する。
【０２０８】
［ステップ−８６０］
次いで、必要に応じて実施の形態１の［ステップ−１３０］と同様のステップを実行し、更には、実施の形態１の［ステップ−１４０］と同様のステップを実行する。
【０２０９】
［ステップ−８７０］
その後、実施の形態１の［ステップ−１５０］と同様のステップを実行する。
【０２１０】
尚、実施の形態１で説明したと同様に、画像記録サーバ３０にアクセスした後、画像記録サーバ３０から撮影日時の入力を促す構成としてもよい。この場合、画像記録サーバ３０は、データベース中から、識別子ＩＤが一致し、且つ、入力された撮影日時が一致したレコードを抽出すればよい。また、端末機器４０のディスプレイ上に表示されたデータが複数の場合、人物１０が所望とするデータを特定する番号等を端末機器４０に入力し、端末機器４０はこの番号等を画像記録サーバ３０に送出し、画像記録サーバ３０はこの番号等によって特定されたデータ（レコード）をダウンロードする形態としてもよい。後述する実施の形態１５においても同様である。
【０２１１】
更には、実施の形態１で説明したと同様に、撮影手段を、デジタルスチルカメラの代わりに、デジタルビデオカメラとしてもよい。この場合、撮影手段であるデジタルビデオカメラは、識別子信号認識手段２２から撮影開始信号を受け取った後、一定時間の間、動画を撮影する。後述する実施の形態１５においても同様である。
【０２１２】
また、実施の形態１で説明したと同様に、デジタル化された画像データの編集を、画像データのアルバム化とすることもできる。この場合、デジタルスチルカメラから構成された撮影手段２３によって複数の撮影を行い、得られた画像データをアルバム化すればよい。あるいは又、デジタルビデオカメラから構成された撮影手段２３によって一定時間の間、撮影を行い、得られた画像データをアルバム化すればよい。後述する実施の形態１５においても同様である。
【０２１３】
更には、上述するように、識別子信号送出手段２１を、装着された人物が、固有の識別子ＩＤが付与された人物１０であるか否かを検出する検出手段を有する構成とすることもできる。後述する実施の形態１５においても同様である。
【０２１４】
また、識別子データＩＤＤが一致した旨の照合結果を受け取った識別子信号認識手段２２は直ちに撮影手段２３に撮影開始信号を送出し、撮影開始信号を受け取った撮影手段２３は撮影を行う構成とすることもできる。撮影開始信号を受け取った撮影手段２３は、一定時間の間、撮影を行ってもよいし、識別子信号認識手段２２が識別子信号ＩＤＳを受け取らなくなるまで撮影を行ってもよい。以下の実施の形態９〜実施の形態１１においても、同様とすることができる。
【０２１５】
（実施の形態９）
実施の形態９は、実施の形態８の変形である。実施の形態９においては、実施の形態２にて説明したと同様に、少なくとも１台の識別子信号認識手段２２、及び、複数台の撮影手段２３を備えている。即ち、１台の識別子信号認識手段２２及び複数台の撮影手段２３を備えている場合には、１台の識別子信号認識手段２２によって複数台の撮影手段２３の動作が制御される。一方、複数台の識別子信号認識手段２２及び撮影手段２３を備えている場合には、それぞれの識別子信号認識手段２２によって、この識別子信号認識手段２２に接続された撮影手段２３（１台あるいは２台以上）の動作が制御される。また、撮影手段２３には、それぞれの撮影手段２３を識別する固有の撮影手段識別子Ｃ＿ＩＤが付与され、撮影手段２３に記憶されている。更には、画像記録サーバ３０に記録されるデータベース化されたデータは、撮影日時、及び、人物に付与された識別子ＩＤ、デジタル化された画像データから構成されており、更に、撮影手段２３を識別する撮影手段識別子Ｃ＿ＩＤから構成されている。
【０２１６】
実施の形態９の撮影装置／撮影・記録装置／撮影・記録・配信装置のその他の構成、識別子信号送出手段の動作については、実施の形態８の撮影装置／撮影・記録装置／撮影・記録・配信装置、識別子信号送出手段あるいはその変形例と同様とすることができるので、詳細な説明は省略する。
【０２１７】
以下、実施の形態９の撮影方法／撮影・記録方法／撮影・記録・配信方法を説明する。
【０２１８】
［ステップ−９００］
微弱な電波を識別子信号認識手段２２が受信し得る領域内に人物１０が入ってくると、実施の形態８の［ステップ−８００］と同様のステップが実行され、その後、［ステップ−８１０］〜［ステップ−８３０］と同様のステップが実行される。次いで、実施の形態８の［ステップ−８４０］と同様のステップが実行されるが、このステップにおいては、インターネット５０に接続されているそれぞれの撮影手段２３は、一旦記憶した画像データ、識別子ＩＤ及び撮影日時、並びに、撮影手段２３を識別する撮影手段識別子Ｃ＿ＩＤを、インターネット５０経由で画像記録サーバ３０に送出する。これらのデータを受け取った画像記録サーバ３０は、撮影日時、人物に付与された識別子ＩＤ、デジタル化された画像データ、及び、撮影手段２３を識別する撮影手段識別子Ｃ＿ＩＤから構成されたデータベース内に、これらのデータをレコードとして記録し、保存する。
【０２１９】
［ステップ−９１０］
その後、実施の形態８の［ステップ−８５０］と同様のステップを実行する。
【０２２０】
［ステップ−９２０］
次いで、［ステップ−８６０］と同様のステップを実行する。
【０２２１】
［ステップ−９３０］
画像記録サーバ３０は、データベース中から、識別子ＩＤが一致したレコードを抽出する。そして、画像記録サーバ３０内に記憶され、撮影手段識別子Ｃ＿ＩＤと撮影場所の関係を記録したテーブルから、抽出されたレコード内の撮影手段識別子Ｃ＿ＩＤに基づき撮影場所を特定し、レコードを構成する画像データ及び撮影日時、並びに、撮影場所を端末機器４０に送出し、端末機器４０のディスプレイ上にこれらのデータを表示する。以降、実施の形態１の［ステップ−１５０］と同様の操作を行えばよい。
【０２２２】
（実施の形態１０）
実施の形態１０は、実施の形態８あるいは実施の形態９の撮影・記録・配信装置／撮影・記録・配信方法の変形である。実施の形態８あるいは実施の形態９においては、［ステップ−８５０］あるいは［ステップ−９１０］と同様のステップ（より具体的には、実施の形態１の［ステップ−１２０］と同様のステップ）において、デジタル化された画像データの編集である画像データ中の人物に相当するデータ部と画像合成用テンプレートとの合成や画像データのアルバム化を、画像記録サーバ３０において、画像記録サーバ３０に与えられた規則に基づき自動的に行う。一方、実施の形態１０においては、画像記録サーバ３０は、通信回線（具体的には、例えばインターネット５０）を介した端末機器４０からの要求に応じて、画像記録サーバ３０に記録され、デジタル化された画像データの編集を行い、その後、少なくとも編集された画像データを通信回線（具体的には、インターネット５０）を介して端末機器４０に配信する。
【０２２３】
以下、実施の形態１０の撮影・記録・配信方法を説明する。
【０２２４】
［ステップ−１０００］
実施の形態１０においては、実施の形態８の［ステップ−８００］〜［ステップ−８４０］と同様のステップを実行した後、実施の形態８の［ステップ−８６０］、［ステップ−８７０］と同様のステップを実行する。あるいは又、実施の形態９の［ステップ−９００］、［ステップ−９２０］、［ステップ−９３０］と同様のステップを実行する。尚、［ステップ−８７０］あるいは［ステップ−９３０］と同様のステップにあっては、端末機器４０のディスプレイ上にデータ（例えば、画像データ及び撮影日時、更には、必要に応じて撮影場所）を表示すると共に、画像記録サーバ３０は画像データのどのような編集を行うかの問い合わせを端末機器４０に送出し、端末機器４０のディスプレイ上にこの問い合わせを表示する。
【０２２５】
［ステップ−１０１０］
その後、実施の形態３の［ステップ−３１０］及び［ステップ−３２０］と同様のステップを実行すればよい。
【０２２６】
（実施の形態１１）
実施の形態１１も、実施の形態８あるいは実施の形態９の撮影・記録・配信装置／撮影・記録・配信方法の変形である。
【０２２７】
実施の形態１１にあっては、画像記録サーバ３０は、画像記録サーバ３０に記録され、デジタル化された画像データの編集を行い、通信回線（インターネット５０）を介した端末機器４０からの要求に応じて、少なくとも編集された画像データを通信回線（インターネット５０）を介して端末機器４０に配信し、その後、画像記録サーバ３０は、通信回線（インターネット５０）を介した端末機器４０からの再編集要求に応じて、編集された画像データの再編集を行い、その後、少なくとも再編集された画像データを通信回線（インターネット５０）を介して端末機器４０に配信する。
【０２２８】
以下、実施の形態１１の撮影・記録・配信方法を説明する。
【０２２９】
［ステップ−１１００］
即ち、実施の形態１１にあっては、先ず、実施の形態８の［ステップ−８００］〜［ステップ−８７０］と同様のステップ、あるいは実施の形態９の［ステップ−９００］〜［ステップ−９３０］と同様のステップを実行する。尚、実施の形態８の［ステップ−８７０］における実施の形態１の［ステップ−１５０］と同様のステップ、あるいは、実施の形態９の［ステップ−９３０］と同様のステップにあっては、端末機器４０のディスプレイ上にデータ（例えば、画像データ及び撮影日時、更には、必要に応じて撮影場所）を表示すると共に、画像記録サーバ３０は画像データのどのような再編集を行うかの問い合わせを端末機器４０に送出し、端末機器４０のディスプレイ上にこの問い合わせを表示する。
【０２３０】
［ステップ−１１１０］
その後、実施の形態４の［ステップ−４１０］及び［ステップ−４２０］と同様のステップを実行すればよい。尚、画像データの再編集は、実施の形態１あるいは実施の形態２にて説明した画像データの編集と同様の作業とすればよい。
【０２３１】
（実施の形態１２）
実施の形態１２は、実施の形態８あるいは実施の形態９の変形であり、第２Ｂの構成の装置、第２Ｂの構成の方法に関する。
【０２３２】
実施の形態１２においては、識別子データＩＤＤ，ＩＤＤ＿Ｓが一致した旨の照合結果を受け取った後、識別子信号認識手段２２は、直ちに、撮影手段２３に撮影開始信号を送出し、撮影開始信号を受け取った撮影手段２３は、所定時間経過後、撮影を行う。ここで、所定時間を、例えば、識別子信号認識手段２２が識別子信号ＩＤＳを受け取ってから人物１０が撮影場所に到達し得る平均的な時間、あるいは又、撮影手段２３が撮影開始信号を受け取ってから人物１０が撮影場所に到達し得る平均的な時間とすればよい。また、所定時間は、撮影手段２３に内蔵された一種のタイマーにて計時すればよい。
【０２３３】
以上の点を除き、実施の形態１２における撮影装置／撮影・記録装置／撮影・記録・配信装置／撮影方法／撮影・記録方法／撮影・記録・配信方法は、実施の形態８あるいは実施の形態９の撮影装置／撮影・記録装置／撮影・記録・配信装置／撮影方法／撮影・記録方法／撮影・記録・配信方法あるいはこれらの変形と同様とすることができるので、詳細な説明は省略する。また、実施の形態１２に対して、実施の形態１０あるいは実施の形態１１を適用することもできる。
【０２３４】
（実施の形態１３）
実施の形態１３も実施の形態８あるいは実施の形態９の変形であり、第２Ｃの構成の装置、第２Ｃの構成の方法に関する。
【０２３５】
実施の形態１３の撮影装置／撮影・記録装置／撮影・記録・配信装置の概念図を図５に示す。
【０２３６】
実施の形態１３にあっては、識別子信号認識手段２２が受け取る識別子信号ＩＤＳの強度Ｉが第１の強度Ｉ１以上となったとき、識別子信号認識手段２２は、この識別子信号ＩＤＳに基づく識別子データＩＤＤを識別子サーバ６０に送出する。併せて、識別子信号認識手段２２は、撮影手段２３に動作開始信号を送出する。これによって、撮影手段２３は撮影の準備（例えば、電源の投入やアクティブ・モードへの移行）をする。そして、識別子信号認識手段２２が受け取る識別子信号ＩＤＳの強度Ｉが第１の強度Ｉ１を越える第２の強度Ｉ２以上となり、且つ、識別子データＩＤＤ，ＩＤＤ＿Ｓが一致した旨の照合結果を受け取った後、識別子信号認識手段２２は、撮影手段２３に撮影開始信号を送出する。撮影開始信号を受け取った撮影手段２３は撮影を行い、識別子信号認識手段２２が受け取る識別子信号ＩＤＳの強度Ｉが第１の強度Ｉ１以下となったとき（第１の強度Ｉ１未満となったときを含む）、識別子信号認識手段２２は、撮影手段２３に動作停止信号を送出する。これによって、撮影手段２３は動作の停止（例えば、電源オフやスリープ・モードへの移行）を行う。
【０２３７】
このような構成とすることで、人物１０の撮影を一層確実に行うことができる。
【０２３８】
尚、撮影手段２３は、実施の形態８と同様に、静止画を撮影するカメラ（具体的には、例えば、デジタルスチルカメラ）とすることができ、あるいは又、識別子信号認識手段２２から撮影開始信号を受け取った後、一定時間の間、動画を撮影するカメラ（具体的には、例えば、デジタルビデオカメラ）とすることができる。
【０２３９】
更には、識別子信号認識手段２２が受け取る識別子信号ＩＤＳの強度Ｉが第２の強度Ｉ２以下となったとき（第２の強度Ｉ２未満となったときを含む）、識別子信号認識手段２２は、撮影手段２３に撮影停止信号を送出し、撮影手段２３は、識別子信号認識手段２２から撮影開始信号を受け取ってから撮影停止信号を受け取るまでの間、動画を撮影するカメラ（具体的には、例えばデジタルビデオカメラ）である構成とすることができるし、あるいは又、所定の時間間隔をおいて複数枚の静止画を撮影するカメラ（具体的には、例えばデジタルスチルカメラ）である構成とすることもできる。このような構成とすることで、撮影手段２３の動作の制御を確実に行うことができるし、人物１０の撮影を更に一層確実に行うことができる。
【０２４０】
以上の点を除き、実施の形態１３における撮影装置／撮影・記録装置／撮影・記録・配信装置／撮影方法／撮影・記録方法／撮影・記録・配信方法は、実施の形態８あるいは実施の形態９の撮影装置／撮影・記録装置／撮影・記録・配信装置／撮影方法／撮影・記録方法／撮影・記録・配信方法あるいはこれらの変形と同様とすることができるので、詳細な説明は省略する。また、実施の形態１３に対して、実施の形態１０、実施の形態１１あるいは実施の形態１２を適用することもできる。
【０２４１】
尚、識別子信号認識手段２２が受け取る識別子信号ＩＤＳの強度Ｉが第１の強度Ｉ１以上となった場合であっても、識別子信号認識手段２２が受け取る識別子信号ＩＤＳの強度Ｉが第１の強度Ｉ１を越える第２の強度Ｉ２以上となるまでに規定の時間が経過してしまった場合、あるいは又、識別子信号認識手段２２が受け取る識別子信号ＩＤＳの強度Ｉが第１の強度Ｉ１を越える第２の強度Ｉ２とならずに第１の強度Ｉ１以下となってしまった場合、例えば撮影手段２３の制御に基づき全てのジョブを中止する。
【０２４２】
また、識別子信号ＩＤＳから抽出された識別子ＩＤを識別子信号認識手段２２は撮影手段２３に送出するが、この送出のタイミングは、識別子信号認識手段２２が受け取る識別子信号ＩＤＳの強度Ｉが第１の強度Ｉ１以上となったときでもよいし、第２の強度Ｉ２以上となったときでもよい。
【０２４３】
更には、識別子信号認識手段２２が受け取る識別子信号ＩＤＳの強度Ｉが第２の強度Ｉ２以上となったとき、識別子信号認識手段２２は、この識別子信号ＩＤＳに基づく識別子データＩＤＤを識別子サーバ６０に送出する構成としてもよい。
【０２４４】
（実施の形態１４）
実施の形態１４も実施の形態８あるいは実施の形態９の変形である。
【０２４５】
実施の形態１４の撮影装置／撮影・記録装置／撮影・記録・配信装置の概念図を図６に示す。
【０２４６】
実施の形態１４においては、実施の形態７と同様に、１台の撮影手段２３に対して識別子信号認識手段が、例えば２台、備えられている。そして、第１の識別子信号認識手段２２Ａが識別子信号ＩＤＳを受け取ったとき、第１の識別子信号認識手段２２Ａは、撮影手段２３に動作開始信号を送出する。これによって、撮影手段２３は撮影の準備（例えば、電源の投入やアクティブ・モードへの移行）をする。そして、第２の識別子信号認識手段２２Ｂが識別子信号ＩＤＳを受け取ったとき、第２の識別子信号認識手段２２Ｂは、識別子信号ＩＤＳに基づく識別子データＩＤＤを識別子サーバ６０に送出する。そして、識別子サーバ６０において、識別子サーバ内に記録された識別子データＩＤＤ＿Ｓと第２の識別子信号認識手段２２Ｂから送出された識別子データＩＤＤとを照合し、照合結果を第２の識別子信号認識手段２２Ｂに送出し、識別子データＩＤＤ，ＩＤＤ＿Ｓが一致した旨の照合結果を第２の識別子信号認識手段２２Ｂが受け取った後、第２の識別子信号認識手段２２Ｂから発された撮影を行うべき旨の指示（撮影開始信号）に基づき、撮影手段２３によって撮影を行う。更には、第１の識別子信号認識手段２２Ａが識別子信号ＩＤＳを受け取らなくなったとき、第１の識別子信号認識手段２２Ａは、撮影手段２３に動作停止信号を送出する。これによって、撮影手段２３は動作の停止（例えば、電源オフやスリープ・モードへの移行）を行う。尚、第１の識別子信号認識手段２２Ａと撮影手段２３とは配線２４Ａを介して接続され、第２の識別子信号認識手段２２Ｂと撮影手段２３とは配線２４Ｂを介して接続されている。ここで、第２の識別子信号認識手段２２Ｂから撮影手段２３までの距離は、第１の識別子信号認識手段２２Ａから撮影手段２３までの距離よりも短い。
【０２４７】
このような構成とすることで、人物１０の撮影を一層確実に行うことができる。
【０２４８】
尚、撮影手段２３は、実施の形態８と同様に、静止画を撮影するカメラ（具体的には、例えば、デジタルスチルカメラ）とすることができ、あるいは又、第２の識別子信号認識手段２２Ｂから撮影開始信号を受け取った後、一定時間の間、動画を撮影するカメラ（具体的には、例えば、デジタルビデオカメラ）とすることができる。
【０２４９】
更には、第２の識別子信号認識手段２２Ｂが識別子信号ＩＤＳを受け取らなくなったとき、第２の識別子信号認識手段２２Ｂは、撮影手段２３に撮影停止信号を送出し、撮影手段２３は、第２の識別子信号認識手段２２Ｂから撮影開始信号を受け取ってから撮影停止信号を受け取るまでの間、動画を撮影するカメラ（具体的には、例えばデジタルビデオカメラ）である構成とすることができるし、あるいは又、所定の時間間隔をおいて複数枚の静止画を撮影するカメラ（具体的には、例えばデジタルスチルカメラ）である構成とすることもできる。このような構成とすることで、撮影手段２３の動作の制御を確実に行うことができるし、人物１０の撮影を更に一層確実に行うことができる。
【０２５０】
また、実施の形態１４の撮影装置／撮影・記録装置／撮影・記録・配信装置の変形例の概念図を図７に示すように、第１の識別子信号認識手段２２Ａが識別子信号ＩＤＳを受け取ったときに、第１の識別子信号認識手段２２Ａは、識別子信号ＩＤＳに基づく識別子データＩＤＤを識別子サーバ６０に送出してもよい。そして、識別子サーバ６０において、識別子サーバ内に記録された識別子データＩＤＤ＿Ｓと第１の識別子信号認識手段２２Ａから送出された識別子データＩＤＤとを照合し、照合結果を第１の識別子信号認識手段２２Ａに送出し、識別子データＩＤＤ，ＩＤＤ＿Ｓが一致した旨の照合結果を第１の識別子信号認識手段２２Ａが受け取った後、第１の識別子信号認識手段２２Ａが撮影手段２３に動作開始信号を送出してもよい。この場合、第２の識別子信号認識手段２２Ｂが識別子信号ＩＤＳを受け取ったとき第２の識別子信号認識手段２２Ｂは撮影手段２３に撮影開始信号を送出すればよい。
【０２５１】
そして、この実施の形態１４の変形例にあっても、第２の識別子信号認識手段２２Ｂが識別子信号ＩＤＳを受け取らなくなったとき、第２の識別子信号認識手段２２Ｂは、撮影手段２３に撮影停止信号を送出し、撮影手段２３は、第２の識別子信号認識手段２２Ｂから撮影開始信号を受け取ってから撮影停止信号を受け取るまでの間、動画を撮影するカメラ（具体的には、例えばデジタルビデオカメラ）である構成とすることができるし、あるいは又、所定の時間間隔をおいて複数枚の静止画を撮影するカメラ（具体的には、例えばデジタルスチルカメラ）である構成とすることもできる。このような構成とすることで、撮影手段２３の動作の制御を確実に行うことができるし、人物１０の撮影を更に一層確実に行うことができる。
【０２５２】
更には、この実施の形態１４の変形例にあっては、識別子信号ＩＤＳから抽出された識別子ＩＤを、第１の識別子信号認識手段２２Ａが識別子信号ＩＤＳを受け取ったときに第１の識別子信号認識手段２２Ａが撮影手段２３に送出してもよいし、第２の識別子信号認識手段２２Ｂが識別子信号ＩＤＳを受け取ったとき第２の識別子信号認識手段２２Ｂが撮影手段２３に送出してもよい。
【０２５３】
以上の点を除き、実施の形態１４あるいはその変形例における撮影装置／撮影・記録装置／撮影・記録・配信装置／撮影方法／撮影・記録方法／撮影・記録・配信方法は、実施の形態８あるいは実施の形態９の撮影装置／撮影・記録装置／撮影・記録・配信装置／撮影方法／撮影・記録方法／撮影・記録・配信方法あるいはこれらの変形と同様とすることができるので、詳細な説明は省略する。また、実施の形態１４あるいはその変形例に対して、実施の形態１０、実施の形態１１あるいは実施の形態１２を適用することもできる。
【０２５４】
尚、第１の識別子信号認識手段２２Ａが識別子信号ＩＤＳを受け取ったときであっても、第２の識別子信号認識手段２２Ｂが識別子信号ＩＤＳを受け取るまでに規定の時間が経過してしまった場合、例えば撮影手段２３の制御に基づき全てのジョブを中止する。
【０２５５】
（実施の形態１５）
実施の形態１５は、本発明の第３の態様に係る撮影装置／撮影・記録装置／撮影・記録・配信装置／撮影方法／撮影・記録方法／撮影・記録・配信方法に関し、更には、第３Ａの構成の装置、第３Ａの構成の方法に関する。
【０２５６】
実施の形態１５の撮影装置／撮影・記録装置／撮影・記録・配信装置の概念図を図８に示す。
【０２５７】
実施の形態１５における撮影装置は、撮影される人物１０に所持され、この人物１０に付与された固有の識別子ＩＤを識別子信号ＩＤＳとして送出する識別子信号送出手段２１と、識別子信号送出手段２１から送出された識別子信号ＩＤＳを受け取る識別子信号認識手段２２と、人物１０の撮影を行う撮影手段２３と、識別子データＩＤＤ＿Ｓを記録した識別子サーバ６０を具備している。尚、識別子信号認識手段２２及び撮影手段２３を、それぞれ、１台、具備している。ここで、撮影手段２３は、静止画を撮影するカメラ（より具体的には、固定されたデジタルスチルカメラ）である。
【０２５８】
そして、識別子信号ＩＤＳを受け取った識別子信号認識手段２２は、この識別子信号ＩＤＳに基づく識別子データＩＤＤを識別子サーバ６０に送出し、識別子サーバ６０は、識別子サーバ６０内に予め記録された識別子データＩＤＤ＿Ｓと識別子信号認識手段２２から送出された識別子データＩＤＤとを照合し、識別子データＩＤＤ，ＩＤＤ＿Ｓが一致した場合、識別子サーバ６０の指示（撮影開始信号）に基づき撮影手段２３は撮影を行う。識別子サーバ６０と識別子信号認識手段２２、及び、識別子サーバ６０と撮影手段２３とは、通信回線（具体的には、例えば、インターネット５０）を介して接続されている。
【０２５９】
また、実施の形態１５の撮影・記録装置は、上記の撮影装置に加えて、撮影手段２３によって撮影された画像をデータベース化して記録する画像記録サーバ３０を具備している。ここで、画像記録サーバ３０は、従来のサーバと同じ構成、構造を有している。撮影手段２３と画像記録サーバ３０とは、通信回線を介して、より具体的には、インターネット５０を経由して、接続されている。
【０２６０】
更には、実施の形態１５の撮影・記録・配信装置は、上記の撮影装置及び画像記録サーバ３０から構成された撮影・記録装置に加えて、画像記録サーバ３０と通信回線を介して接続された端末機器４０を具備している。そして、画像記録サーバ３０は、画像記録サーバ３０に記録され、データベース化されたデータを端末機器４０に配信する。ここで、画像記録サーバ３０と端末機器４０とは、より具体的には、インターネット５０を経由して接続されている。
【０２６１】
実施の形態１５における識別子信号送出手段２１及び識別子信号認識手段２２は、具体的には、実施の形態１にて説明した腕時計型送信機及び識別子信号認識手段と同様とすることができ、撮影される人物１０に付与された固有の識別子ＩＤは、実施の形態１と同様に数字及び／又はアルファベットの組合せである。更には、識別子信号ＩＤＳも、実施の形態１と同様に、識別子ＩＤと同じ数字及び／又はアルファベットの組合せを符号化、変調したものである。また、識別子データＩＤＤ，ＩＤＤ＿Ｓは、識別子ＩＤを符号化したものである。
【０２６２】
実施の形態１５においては、識別子データＩＤＤ，ＩＤＤ＿Ｓが一致した旨の照合結果を出してから所定時間経過後、識別子サーバ６０は撮影手段２３に撮影開始信号を送出し、撮影開始信号を受け取った撮影手段２３は撮影を行う。
【０２６３】
実施の形態１５における端末機器４０は、実施の形態１にて説明したと同様のパーソナルコンピュータである。この端末機器４０には、識別子信号認識手段２２と同じものが備えられており、端末機器４０を操作する人物が、人物１０に付与された固有の識別子ＩＤを識別子信号ＩＤＳとして送出する識別子信号送出手段２１を所持している場合、端末機器４０を用いて、画像記録サーバ３０に記録され、データベース化されたデータを画像記録サーバ３０から受け取ることができる。
【０２６４】
実施の形態１５においても、画像記録サーバ３０に記録されるデータベース化されたデータは、撮影日時、人物に付与された識別子ＩＤ、及び、デジタル化された画像データから構成されている。また、画像記録サーバ３０は、画像記録サーバ３０に記録され、デジタル化された画像データの編集を行う。具体的には、デジタル化された画像データの編集は、画像データ中の人物に相当するデータ部と画像合成用テンプレートとの合成である。画像合成用テンプレートは、画像記録サーバ３０内に記憶されている。
【０２６５】
また、実施の形態１５において、画像記録サーバ３０は、通信回線（具体的には、インターネット５０）を介した端末機器４０からの要求に応じて、画像記録サーバ３０に記録されたデータ（より具体的には、人物１０に付与された識別子ＩＤにより特定され、更には、撮影日時により特定された画像記録サーバ３０に記録されたデータ）の内、画像データ及び撮影日時を通信回線を介して端末機器４０に配信する。より具体的には、画像データ及び撮影日時は、インターネット５０経由で端末機器４０に、例えばダウンロードされる。
【０２６６】
以上に説明した撮影装置／撮影・記録装置／撮影・記録・配信装置を用いた、実施の形態１５の撮影方法／撮影・記録方法／撮影・記録・配信方法を、以下、説明する。
【０２６７】
［ステップ−１５００］
微弱な電波を識別子信号認識手段２２が受信し得る領域内に人物１０が入ってくると、識別子信号認識手段２２は、識別子信号送出手段２１から送出された識別子信号ＩＤＳを受け取る。
【０２６８】
［ステップ−１５１０］
識別子信号送出手段２１から送出された識別子信号ＩＤＳを受け取った識別子信号認識手段２２は、この識別子信号ＩＤＳに基づく識別子データＩＤＤを識別子サーバ６０に送出する。
【０２６９】
［ステップ−１５２０］
識別子データＩＤＤを受け取った識別子サーバ６０は、識別子サーバ６０内に予め記録された識別子データＩＤＤ＿Ｓと識別子信号認識手段２２から送出された識別子データＩＤＤとを照合し、識別子データＩＤＤ，ＩＤＤ＿Ｓが一致した場合、識別子サーバ６０の指示に基づき撮影手段２３は撮影を行う。即ち、識別子データＩＤＤ，ＩＤＤ＿Ｓが一致した旨の照合結果を出してから所定時間経過後、識別子サーバ６０は撮影手段２３に撮影開始信号を送出する。ここで、所定時間を、例えば、識別子信号認識手段２２が識別子信号ＩＤＳを受け取ってから人物１０が撮影場所に到達し得る平均的な時間、あるいは又、識別子サーバ６０が照合結果を出してから人物１０が撮影場所に到達し得る平均的な時間とすればよい。尚、識別子サーバ６０内には、識別子データＩＤＤ＿Ｓに対応した人物の有する電子メールアドレスも予め記録されており、照合結果と併せて、識別子信号ＩＤＳに基づく識別子ＩＤ及び電子メールアドレスも撮影手段２３に送出される。尚、実施の形態１と同様に、電子メールアドレスを画像記録サーバ３０に記録しておいてもよい。
【０２７０】
［ステップ−１５３０］
識別子サーバ６０から撮影開始信号を受け取った撮影手段２３は撮影を行う。撮影開始信号を受け取った撮影手段２３は、直ちに撮影を行ってもよいし、或る時間が経過した後に撮影を行ってもよい。撮影手段２３による撮影は、デジタルスチルカメラによる周知の撮影動作とすればよい。撮影された画像データは、一旦、撮影手段２３内に記憶される。併せて、識別子サーバ６０から送られてきた識別子ＩＤ及び電子メールアドレス、並びに、撮影日時も、一旦、撮影手段２３内に記憶される。尚、撮影は１回に限定されず、時間を置いて複数回、撮影を行ってもよい。
【０２７１】
識別子データＩＤＤ，ＩＤＤ＿Ｓが不一致である場合、識別子サーバ６０は、撮影を行うべき旨の指示を発することは無い。この場合には、全てのジョブを中止する。
【０２７２】
［ステップ−１５４０］
次いで、実施の形態１の［ステップ−１１０］と同様のステップを実行する。
【０２７３】
［ステップ−１５５０］
その後、必要に応じて実施の形態１の［ステップ−１２０］と同様のステップを実行する。
【０２７４】
［ステップ−１５６０］
次に、必要に応じて実施の形態１の［ステップ−１３０］、更には、［ステップ−１４０］と同様のステップを実行する。
【０２７５】
［ステップ−１５７０］
その後、実施の形態１の［ステップ−１５０］と同様のステップを実行する。
【０２７６】
尚、識別子データＩＤＤが一致した旨の照合結果を出した識別子サーバ６０は直ちに撮影手段２３に撮影開始信号を送出し、撮影開始信号を受け取った撮影手段２３は撮影を行う構成とすることもできる。撮影開始信号を受け取った撮影手段２３は、一定時間の間、撮影を行ってもよいし、識別子信号認識手段２２が識別子信号ＩＤＳを受け取らなくなるまで撮影を行ってもよい。以下の実施の形態１６〜実施の形態１８においても、同様とすることができる。
【０２７７】
（実施の形態１６）
実施の形態１６は、実施の形態１５の変形である。実施の形態１６においては、実施の形態２にて説明したと同様に、少なくとも１台の識別子信号認識手段２２、及び、複数台の撮影手段２３を備えている。即ち、１台の識別子信号認識手段２２及び複数台の撮影手段２３を備えている場合には、識別子サーバ６０を介した１台の識別子信号認識手段２２によって複数台の撮影手段２３の動作が制御される。一方、複数台の識別子信号認識手段２２及び撮影手段２３を備えている場合には、識別子サーバ６０を介したそれぞれの識別子信号認識手段２２によって撮影手段２３（１台あるいは２台以上）の動作が制御される。また、撮影手段２３には、それぞれの撮影手段２３を識別する固有の撮影手段識別子Ｃ＿ＩＤが付与され、撮影手段２３に記憶されている。更には、画像記録サーバ３０に記録されるデータベース化されたデータは、撮影日時、人物に付与された識別子ＩＤ、及び、デジタル化された画像データから構成されており、更に、撮影手段２３を識別する撮影手段識別子Ｃ＿ＩＤから構成されている。
【０２７８】
実施の形態１６の撮影装置／撮影・記録装置／撮影・記録・配信装置のその他の構成、識別子信号送出手段の動作については、実施の形態１５の撮影装置／撮影・記録装置／撮影・記録・配信装置、識別子信号送出手段あるいはその変形例と同様とすることができるので、詳細な説明は省略する。
【０２７９】
以下、実施の形態１６の撮影方法／撮影・記録方法／撮影・記録・配信方法を説明する。
【０２８０】
［ステップ−１６００］
微弱な電波を識別子信号認識手段２２が受信し得る領域内に人物１０が入ってくると、実施の形態１５の［ステップ−１５００］が実行され、その後、［ステップ−１５１０］〜［ステップ−１５３０］が実行される。次いで、実施の形態１５の［ステップ−１５４０］と同様のステップが実行されるが、このステップにおいては、インターネット５０に接続されているそれぞれの撮影手段２３は、一旦記憶した画像データ、識別子ＩＤ及び撮影日時、並びに、撮影手段２３を識別する撮影手段識別子Ｃ＿ＩＤを、インターネット５０経由で画像記録サーバ３０に送出する。これらのデータを受け取った画像記録サーバ３０は、撮影日時、人物に付与された識別子ＩＤ、デジタル化された画像データ、及び、撮影手段２３を識別する撮影手段識別子Ｃ＿ＩＤから構成されたデータベース内に、これらのデータをレコードとして記録し、保存する。
【０２８１】
［ステップ−１６１０］
その後、必要に応じて実施の形態１５の［ステップ−１５５０］と同様のステップを実行する。
【０２８２】
［ステップ−１６２０］
次いで、実施の形態１５の［ステップ−１５６０］と同様のステップを実行する。
【０２８３】
［ステップ−１６３０］
その後、画像記録サーバ３０は、データベース中から、識別子ＩＤが一致したレコードを抽出する。そして、画像記録サーバ３０内に記憶され、撮影手段識別子Ｃ＿ＩＤと撮影場所の関係を記録したテーブルから、抽出されたレコード内の撮影手段識別子Ｃ＿ＩＤに基づき撮影場所を特定し、レコードを構成する画像データ及び撮影日時、並びに、撮影場所を端末機器４０に送出し、端末機器４０のディスプレイ上にこれらのデータを表示する。以降、実施の形態１の［ステップ−１５０］と同様の操作を行えばよい。
【０２８４】
（実施の形態１７）
実施の形態１７は、実施の形態１５あるいは実施の形態１６の撮影・記録・配信装置／撮影・記録・配信方法の変形である。実施の形態１５あるいは実施の形態１６においては、［ステップ−１５５０］あるいは［ステップ−１６１０］と同様のステップ（より具体的には、実施の形態１の［ステップ−１２０］と同様のステップ）において、デジタル化された画像データの編集である画像データ中の人物に相当するデータ部と画像合成用テンプレートとの合成や画像データのアルバム化を、画像記録サーバ３０において、画像記録サーバ３０に与えられた規則に基づき自動的に行う。一方、実施の形態１７においては、実施の形態３あるいは実施の形態１０と同様に、画像記録サーバ３０は、通信回線（具体的には、例えばインターネット５０）を介した端末機器４０からの要求に応じて、画像記録サーバ３０に記録され、デジタル化された画像データの編集を行い、その後、少なくとも編集された画像データを通信回線（具体的には、インターネット５０）を介して端末機器４０に配信する。
【０２８５】
以下、実施の形態１７の撮影・記録・配信方法を説明する。
【０２８６】
［ステップ−１７００］
実施の形態１７においては、実施の形態１５の［ステップ−１５００］〜［ステップ−１５４０］と同様のステップを実行した後、更に、実施の形態１５の［ステップ−１５６０］、［ステップ−１５７０］と同様のステップを実行する。あるいは又、実施の形態１６の［ステップ−１６００］、［ステップ−１６２０］、更には、［ステップ−１６３０］と同様のステップを実行する。尚、［ステップ−１５７０］あるいは［ステップ−１６３０］と同様のステップにあっては、端末機器４０のディスプレイ上にデータ（例えば、画像データ及び撮影日時、更には、必要に応じて撮影場所）を表示すると共に、画像記録サーバ３０は画像データのどのような編集を行うかの問い合わせを端末機器４０に送出し、端末機器４０のディスプレイ上にこの問い合わせを表示する。
【０２８７】
［ステップ−１７１０］
その後、実施の形態３の［ステップ−３１０］及び［ステップ−３２０］と同様のステップを実行すればよい。
【０２８８】
（実施の形態１８）
実施の形態１８も、実施の形態１５あるいは実施の形態１６の撮影・記録・配信装置／撮影・記録・配信方法の変形である。
【０２８９】
実施の形態１８にあっては、画像記録サーバ３０は、画像記録サーバ３０に記録され、デジタル化された画像データの編集を行い、通信回線（インターネット５０）を介した端末機器４０からの要求に応じて、少なくとも編集された画像データを通信回線（インターネット５０）を介して端末機器４０に配信し、その後、画像記録サーバ３０は、通信回線（インターネット５０）を介した端末機器４０からの再編集要求に応じて、編集された画像データの再編集を行い、その後、少なくとも再編集された画像データを通信回線（インターネット５０）を介して端末機器４０に配信する。
【０２９０】
以下、実施の形態１８の撮影・記録・配信方法を説明する。
【０２９１】
［ステップ−１８００］
即ち、実施の形態１８にあっては、先ず、実施の形態１５の［ステップ−１５００］〜［ステップ−１５７０］と同様のステップ、あるいは実施の形態１６の［ステップ−１６００］〜［ステップ−１６３０］と同様のステップを実行する。尚、実施の形態１５の［ステップ−１５７０］と同様のステップ、あるいは、実施の形態１６の［ステップ−１６３０］と同様のステップにあっては、端末機器４０のディスプレイ上にデータ（例えば、画像データ及び撮影日時、更には、必要に応じて撮影場所）を表示すると共に、画像記録サーバ３０は画像データのどのような再編集を行うかの問い合わせを端末機器４０に送出し、端末機器４０のディスプレイ上にこの問い合わせを表示する。
【０２９２】
［ステップ−１８１０］
その後、実施の形態４の［ステップ−４１０］及び［ステップ−４２０］と同様のステップを実行すればよい。尚、画像データの再編集は、実施の形態１あるいは実施の形態２にて説明した画像データの編集と同様の作業とすればよい。
【０２９３】
（実施の形態１９）
実施の形態１９は、実施の形態１５あるいは実施の形態１６の変形であり、第３Ｂの構成の装置、第３Ｂの構成の方法に関する。
【０２９４】
実施の形態１９においては、識別子データＩＤＤ，ＩＤＤ＿Ｓが一致した場合、識別子サーバ６０は、直ちに、撮影手段２３に撮影開始信号を送出し、撮影開始信号を受け取った撮影手段２３は、所定時間経過後、撮影を行う。ここで、所定時間を、例えば、識別子信号認識手段２２が識別子信号ＩＤＳを受け取ってから人物１０が撮影場所に到達し得る平均的な時間、あるいは又、撮影手段２３が撮影開始信号を受け取ってから人物１０が撮影場所に到達し得る平均的な時間とすればよい。
【０２９５】
以上の点を除き、実施の形態１９における撮影装置／撮影・記録装置／撮影・記録・配信装置／撮影方法／撮影・記録方法／撮影・記録・配信方法は、実施の形態１５あるいは実施の形態１６の撮影装置／撮影・記録装置／撮影・記録・配信装置／撮影方法／撮影・記録方法／撮影・記録・配信方法あるいはこれらの変形と同様とすることができるので、詳細な説明は省略する。また、実施の形態１９に対して、実施の形態１７あるいは実施の形態１８を適用することもできる。
【０２９６】
（実施の形態２０）
実施の形態２０も実施の形態１５あるいは実施の形態１６の変形であり、第３Ｃの構成の装置、第３Ｃの構成の方法に関する。
【０２９７】
実施の形態２０の撮影装置／撮影・記録装置／撮影・記録・配信装置の概念図を図９に示す。
【０２９８】
実施の形態２０にあっては、識別子信号認識手段２２と撮影手段２３とは、配線２４によって接続されている。そして、識別子信号認識手段２２が受け取る識別子信号ＩＤＳの強度Ｉが第１の強度Ｉ１以上となったとき、識別子信号認識手段２２は、この識別子信号ＩＤＳに基づく識別子データＩＤＤを識別子サーバ６０に送出する。そして、識別子信号認識手段２２が受け取る識別子信号ＩＤＳの強度Ｉが第１の強度Ｉ１を越える第２の強度Ｉ２以上となったとき、識別子信号認識手段２２は、撮影手段２３に撮影開始信号（便宜上、第２の撮影開始信号と呼ぶ）を配線２４を介して送出する。更には、識別子データＩＤＤ，ＩＤＤ＿Ｓが一致した場合、識別子サーバ６０は、撮影手段２３に撮影開始信号（便宜上、第１の撮影開始信号と呼ぶ）を送出する。識別子サーバ６０及び識別子信号認識手段２２から第１の撮影開始信号及び第２の撮影開始信号の両方を受け取った撮影手段２３は撮影を行う。そして、識別子信号認識手段２２が受け取る識別子信号ＩＤＳの強度Ｉが第１の強度Ｉ１以下となったとき（第１の強度Ｉ１未満となったときを含む）、識別子信号認識手段２２は、撮影手段２３に配線２４を介して動作停止信号を送出する。これによって、撮影手段２３は動作の停止（例えば、電源オフやスリープ・モードへの移行）を行う。
【０２９９】
このような構成とすることで、人物１０の撮影を一層確実に行うことができる。
【０３００】
尚、撮影手段２３は、実施の形態１５と同様に、静止画を撮影するカメラ（具体的には、例えば、デジタルスチルカメラ）とすることができ、あるいは又、識別子サーバ６０から撮影開始信号を受け取った後、一定時間の間、動画を撮影するカメラ（具体的には、例えば、デジタルビデオカメラ）とすることができる。
【０３０１】
更には、識別子信号認識手段２２が受け取る識別子信号ＩＤＳの強度Ｉが第２の強度Ｉ２以下となったとき（第２の強度Ｉ２未満となったときを含む）、識別子信号認識手段２２は、撮影手段２３に配線２４を介して撮影停止信号を送出し、撮影手段２３は、識別子サーバ６０及び識別子信号認識手段２２から第１の撮影開始信号及び第２の撮影開始信号の両方を受け取ってから撮影停止信号を受け取るまでの間、動画を撮影するカメラ（具体的には、例えばデジタルビデオカメラ）である構成とすることができるし、あるいは又、所定の時間間隔をおいて複数枚の静止画を撮影するカメラ（具体的には、例えばデジタルスチルカメラ）である構成とすることもできる。このような構成とすることで、撮影手段２３の動作の制御を確実に行うことができるし、人物１０の撮影を更に一層確実に行うことができる。
【０３０２】
また、実施の形態２０の撮影装置／撮影・記録装置／撮影・記録・配信装置の変形例の概念図を図１０に示すように、識別子信号認識手段２２が受け取る識別子信号ＩＤＳの強度Ｉが第２の強度Ｉ２以下となったとき（第２の強度Ｉ２未満となったときを含む）、識別子信号認識手段２２は、識別子サーバ６０に撮影停止信号（便宜上、第２の撮影停止信号と呼ぶ）を送出し、更に、識別子サーバ６０は撮影手段２３に撮影停止信号（便宜上、第１の撮影停止信号と呼ぶ）を送出する構成としてもよい。撮影手段２３は、識別子サーバ６０及び識別子信号認識手段２２から撮影開始信号（第１及び第２の撮影開始信号）の両方を受け取ってから第１の撮影停止信号を受け取るまでの間、動画を撮影するカメラ（具体的には、例えばデジタルビデオカメラ）である構成とすることができるし、あるいは又、所定の時間間隔をおいて複数枚の静止画を撮影するカメラ（具体的には、例えばデジタルスチルカメラ）である構成とすることもできる。このような構成とすることで、撮影手段２３の動作の制御を確実に行うことができるし、人物１０の撮影を更に一層確実に行うことができる。尚、この場合、識別子信号認識手段２２が受け取る識別子信号ＩＤＳの強度Ｉが第１の強度Ｉ１以下となったとき（第１の強度Ｉ１未満となったときを含む）、識別子信号認識手段２２は、配線２４を介して、あるいは又、識別子サーバ６０を介して、撮影手段２３に動作停止信号を送出すればよい。
【０３０３】
以上の点を除き、実施の形態２０あるいはその変形例における撮影装置／撮影・記録装置／撮影・記録・配信装置／撮影方法／撮影・記録方法／撮影・記録・配信方法は、実施の形態１５あるいは実施の形態１６の撮影装置／撮影・記録装置／撮影・記録・配信装置／撮影方法／撮影・記録方法／撮影・記録・配信方法あるいはこれらの変形と同様とすることができるので、詳細な説明は省略する。また、実施の形態２０あるいはその変形例に対して、実施の形態１７、実施の形態１８あるいは実施の形態１９を適用することもできる。
【０３０４】
尚、識別子信号認識手段２２が受け取る識別子信号ＩＤＳの強度Ｉが第１の強度Ｉ１以上となった場合であっても、識別子信号認識手段２２が受け取る識別子信号ＩＤＳの強度Ｉが第１の強度Ｉ１を越える第２の強度Ｉ２以上となるまでに規定の時間が経過してしまった場合、あるいは又、識別子信号認識手段２２が受け取る識別子信号ＩＤＳの強度Ｉが第１の強度Ｉ１を越える第２の強度Ｉ２とならずに第１の強度Ｉ１以下となってしまった場合、例えば識別子サーバ６０あるいは撮影手段２３の制御に基づき全てのジョブを中止する。
【０３０５】
また、識別子信号認識手段２２が受け取る識別子信号ＩＤＳの強度Ｉが第１の強度Ｉ１以上となったとき、識別子信号認識手段２２は、この識別子信号ＩＤＳに基づく識別子データＩＤＤを識別子サーバ６０に送出すると同時に、識別子信号認識手段２２は、配線２４を介して、あるいは又、識別子サーバ６０を介して、撮影手段２３に動作開始信号を送出する構成とすることもできる。
【０３０６】
（実施の形態２１）
実施の形態２１も実施の形態１５あるいは実施の形態１６の変形であり、第３Ｄの構成の装置、第３Ｄの構成の方法に関する。
【０３０７】
実施の形態２１の撮影装置／撮影・記録装置／撮影・記録・配信装置の概念図を図１１に示す。
【０３０８】
実施の形態２１にあっては、識別子信号認識手段２２が受け取る識別子信号ＩＤＳの強度Ｉが第１の強度Ｉ１以上となったとき、識別子信号認識手段２２は、この識別子信号ＩＤＳに基づく識別子データＩＤＤを識別子サーバ６０に送出する。そして、識別子信号認識手段２２が受け取る識別子信号ＩＤＳの強度Ｉが第１の強度Ｉ１を越える第２の強度Ｉ２以上となったとき、識別子信号認識手段２２は、識別子サーバ６０に撮影開始信号（便宜上、第２の撮影開始信号と呼ぶ）を送出する。識別子データＩＤＤ，ＩＤＤ＿Ｓが一致し、且つ、識別子信号認識手段２２から第２の撮影開始信号を受け取った識別子サーバ６０は、撮影手段２３に撮影開始信号（便宜上、第１の撮影開始信号と呼ぶ）を送出する。識別子サーバ６０から第１の撮影開始信号を受け取った撮影手段２３は撮影を行う。そして、識別子信号認識手段２２が受け取る識別子信号ＩＤＳの強度Ｉが第１の強度Ｉ１以下となったとき（第１の強度Ｉ１未満となったときを含む）、識別子信号認識手段２２は、識別子サーバ６０に動作停止信号（便宜上、第２の動作停止信号と呼ぶ）を送出し、識別子信号認識手段２２から第２の動作停止信号を受け取った識別子サーバ６０は、撮影手段２３に動作停止信号（便宜上、第１の動作停止信号と呼ぶ）を送出する。これによって、撮影手段２３は動作の停止（例えば、電源オフやスリープ・モードへの移行）を行う。
【０３０９】
このような構成とすることで、人物１０の撮影を一層確実に行うことができる。
【０３１０】
尚、撮影手段２３は、実施の形態１５と同様に、静止画を撮影するカメラ（具体的には、例えば、デジタルスチルカメラ）とすることができ、あるいは又、識別子サーバ６０から撮影開始信号を受け取った後、一定時間の間、動画を撮影するカメラ（具体的には、例えば、デジタルビデオカメラ）とすることができる。
【０３１１】
更には、識別子信号認識手段２２が受け取る識別子信号ＩＤＳの強度Ｉが第２の強度Ｉ２以下となったとき（第２の強度Ｉ２未満となったときを含む）、識別子信号認識手段２２は、識別子サーバ６０に撮影停止信号（便宜上、第２の撮影停止信号と呼ぶ）を送出し、識別子信号認識手段２２から第２の撮影停止信号を受け取った識別子サーバ６０は、撮影手段２３に撮影停止信号（便宜上、第１の撮影停止信号と呼ぶ）を送出し、撮影手段２３は、識別子サーバ６０から第１の撮影開始信号を受け取ってから第１の撮影停止信号を受け取るまでの間、動画を撮影するカメラ（具体的には、例えばデジタルビデオカメラ）である構成とすることができるし、あるいは又、所定の時間間隔をおいて複数枚の静止画を撮影するカメラ（具体的には、例えばデジタルスチルカメラ）である構成とすることもできる。このような構成とすることで、撮影手段２３の動作の制御を確実に行うことができるし、人物１０の撮影を更に一層確実に行うことができる。
【０３１２】
また、識別子信号認識手段２２が受け取る識別子信号ＩＤＳの強度Ｉが第１の強度Ｉ１以上となったとき、識別子信号認識手段２２は、この識別子信号ＩＤＳに基づく識別子データＩＤＤを識別子サーバ６０に送出するが、このとき、識別子サーバ６０は、動作開始信号を撮影手段２３に送出する構成としてもよい。
【０３１３】
以上の点を除き、実施の形態２１における撮影装置／撮影・記録装置／撮影・記録・配信装置／撮影方法／撮影・記録方法／撮影・記録・配信方法は、実施の形態１５あるいは実施の形態１６の撮影装置／撮影・記録装置／撮影・記録・配信装置／撮影方法／撮影・記録方法／撮影・記録・配信方法あるいはこれらの変形と同様とすることができるので、詳細な説明は省略する。また、実施の形態２０に対して、実施の形態１７、実施の形態１８あるいは実施の形態１９を適用することもできる。
【０３１４】
尚、識別子信号認識手段２２が受け取る識別子信号ＩＤＳの強度Ｉが第１の強度Ｉ１以上となった場合であっても、識別子信号認識手段２２が受け取る識別子信号ＩＤＳの強度Ｉが第１の強度Ｉ１を越える第２の強度Ｉ２以上となるまでに規定の時間が経過してしまった場合、あるいは又、識別子信号認識手段２２が受け取る識別子信号ＩＤＳの強度Ｉが第１の強度Ｉ１を越える第２の強度Ｉ２とならずに第１の強度Ｉ１以下となってしまった場合、例えば識別子サーバ６０あるいは撮影手段２３の制御に基づき全てのジョブを中止する。
【０３１５】
（実施の形態２２）
実施の形態２２も実施の形態１５あるいは実施の形態１６の変形である。
【０３１６】
実施の形態２２の撮影装置／撮影・記録装置／撮影・記録・配信装置の概念図を図１２に示す。
【０３１７】
実施の形態２２においては、実施の形態１４と同様に、１台の撮影手段２３に対して識別子信号認識手段が、例えば２台、備えられている。そして、第１の識別子信号認識手段２２Ａが識別子信号ＩＤＳを受け取ったとき、第１の識別子信号認識手段２２Ａは、この識別子信号ＩＤＳに基づく識別子データＩＤＤ、及び、動作開始信号（便宜上、第２の動作開始信号と呼ぶ）を識別子サーバ６０に送出する。第２の動作開始信号を受け取った識別子サーバ６０は、動作開始信号（便宜上、第１の動作開始信号と呼ぶ）を撮影手段２３に送出する。これによって、撮影手段２３は撮影の準備（例えば、電源の投入やアクティブ・モードへの移行）をする。そして、第２の識別子信号認識手段２２Ｂが識別子信号ＩＤＳを受け取ったとき、第２の識別子信号認識手段２２Ｂは、識別子信号ＩＤＳに基づく識別子データＩＤＤ及び撮影開始信号（便宜上、第２の撮影開始信号と呼ぶ）を識別子サーバ６０に送出する。そして、識別子サーバ６０において、識別子サーバ内に記録された識別子データＩＤＤ＿Ｓと第１の識別子信号認識手段２２Ａ及び第２の識別子信号認識手段２２Ｂから送出された識別子データＩＤＤとを照合し、これらの識別子データが一致した場合、識別子サーバ６０は撮影開始信号（便宜上、第１の撮影開始信号と呼ぶ）を撮影手段２３に送出する。これによって、撮影手段２３によって撮影を行う。更には、第１の識別子信号認識手段２２Ａが識別子信号ＩＤＳを受け取らなくなったとき、第１の識別子信号認識手段２２Ａは、識別子サーバ６０に動作停止信号（便宜上、第２の動作停止信号と呼ぶ）を送出する。２の動作停止信号を受け取った識別子サーバ６０は、撮影手段２３に動作停止信号（便宜上、第１の動作停止信号と呼ぶ）を送出する。これによって、撮影手段２３は動作の停止（例えば、電源オフやスリープ・モードへの移行）を行う。
【０３１８】
このような構成とすることで、人物１０の撮影を一層確実に行うことができる。
【０３１９】
尚、撮影手段２３は、実施の形態１５と同様に、静止画を撮影するカメラ（具体的には、例えば、デジタルスチルカメラ）とすることができ、あるいは又、識別子サーバ６０から第１の撮影開始信号を受け取った後、一定時間の間、動画を撮影するカメラ（具体的には、例えば、デジタルビデオカメラ）とすることができる。
【０３２０】
更には、第２の識別子信号認識手段２２Ｂが識別子信号ＩＤＳを受け取らなくなったとき、第２の識別子信号認識手段２２Ｂは、識別子サーバ６０に撮影停止信号（便宜上、第２の撮影停止信号と呼ぶ）を送出し、第２の撮影停止信号を受け取った識別子サーバ６０は、撮影手段２３に撮影停止信号（便宜上、第１の撮影停止信号と呼ぶ）を送出する構成とすることもできる。撮影手段２３は、識別子サーバ６０から第１の撮影開始信号を受け取ってから第１の撮影停止信号を受け取るまでの間、動画を撮影するカメラ（具体的には、例えばデジタルビデオカメラ）である構成とすることができるし、あるいは又、所定の時間間隔をおいて複数枚の静止画を撮影するカメラ（具体的には、例えばデジタルスチルカメラ）である構成とすることもできる。このような構成とすることで、撮影手段２３の動作の制御を確実に行うことができるし、人物１０の撮影を更に一層確実に行うことができる。
【０３２１】
また、第２の識別子信号認識手段２２Ｂが識別子信号ＩＤＳを受け取ったときに、第２の識別子信号認識手段２２Ｂは、識別子信号ＩＤＳに基づく識別子データＩＤＤを識別子サーバ６０に送出してもよい。
【０３２２】
以上の点を除き、実施の形態２２における撮影装置／撮影・記録装置／撮影・記録・配信装置／撮影方法／撮影・記録方法／撮影・記録・配信方法は、実施の形態１５あるいは実施の形態１６の撮影装置／撮影・記録装置／撮影・記録・配信装置／撮影方法／撮影・記録方法／撮影・記録・配信方法あるいはこれらの変形と同様とすることができるので、詳細な説明は省略する。また、実施の形態２２に対して、実施の形態１７、実施の形態１８あるいは実施の形態１９を適用することもできる。
【０３２３】
尚、第１の識別子信号認識手段２２Ａが識別子信号ＩＤＳを受け取ったときであっても、第２の識別子信号認識手段２２Ｂが識別子信号ＩＤＳを受け取るまでに規定の時間が経過してしまった場合、例えば撮影手段２３の制御に基づき全てのジョブを中止する。
【０３２４】
（識別子信号送出手段及び識別子信号認識手段に関して）
識別子信号送出手段２１を構成する腕時計型送信機について、以下、説明する。尚、この腕時計型送信機は、例えば、特開２０００−２００３１５に詳細が記載されている。
【０３２５】
この腕時計型送信機は、図１３の（Ａ）に模式図を示すように、ケース１００と、このケース１００の両端部に取り付けられたリストバンド１０１，１０２とから構成されている。ケース１００には無線発信部１０３が設けられている。また、ケース１００の上面には風防ガラス１０４が装着されており、更には、ケース１００の上面には複数のキー１０５が設けられている。また、ケース１００の内部には、風防ガラス１０４の下方にＬＣＤ１０６が配置され、ＬＣＤ１０６の下方の中央部に回路基板（図１３の（Ａ）には図示せず）が配置されている。また、ケース１００の裏蓋（図１３の（Ａ）には図示せず）と回路基板との間には電池（図１３の（Ａ）には図示せず）が配置されている。
【０３２６】
裏蓋からは身体近接センサー（図１３の（Ａ）には図示せず）が外部に露出している。身体近接センサーは、近接して配置された赤外線ＬＥＤと赤外線フォトセンサーとから構成されている。そして、この腕時計型送信機を腕に装着すると、赤外線ＬＥＤからの赤外光が腕の皮膚に反射して赤外線フォトセンサーにて受光され、身体近接センサーはオン状態となる。
【０３２７】
また、各リストバンド１０１，１０２の端部には、可動バックルと固定バックル（これらは図示せず）とが取り付けられており、各バックルには、装着センサーを構成するスイッチ電極（図示せず）が設けられている。これらのスイッチ電極は、両バックルの係合によって接触し、且つ、回路基板に接続されている。そして、スイッチ電極が接触することにより、装着センサーはオン状態となる。
【０３２８】
腕時計型送信機の回路構成及びシステム構成を示すブロック図を図１４に示す。この腕時計型送信機は各回路を制御する機能制御回路部１１０を備えている。機能制御回路部１１０には、身体近接センサー１０７と装着センサー１０８とが身体装着検出回路１０９を介して接続されている。また、機能制御回路部１１０には、キー１０５、ＬＣＤ１０６、ＬＣＤ１０６のバックライトである照明部１１１、報知部１１２が接続されている。更に、機能制御回路部１１０には、識別子ＩＤを記憶する識別子メモリ１２１、識別子メモリ制御回路１２２、通信制御回路１２３、電源制御回路１２５が接続されている。
【０３２９】
識別子メモリ制御回路１２２は、識別子メモリ１２１へのデータ書き込み処理と読み出し処理とを行うと共に、識別子信号生成部１２６を制御して識別子信号ＩＤＳを生成させる。通信制御回路１２３は、識別子メモリ制御回路１２２を制御すると共に、符号器１２７を制御して識別子信号生成部１２６からの識別子信号ＩＤＳを符号化せしめ、無線発信部１０３を介して無線送信する。尚、電源制御回路１２５は、電池１２８が接続された電源回路１２４を制御して、各部に電源を供給する。
【０３３０】
一方、識別子信号認識手段２２は、通信制御部１３１と、通信制御部１３１に接続された通信接続制御部１３２と、通信制御部１３１に接続された無線受信部１３３とを有している。無線受信部１３３は、腕時計型送信機に設けられた無線発信部１０３と送受信を行う。識別子信号ＩＤＳを受け取った無線受信部１３３は、識別子信号ＩＤＳを通信制御部１３１に送る。通信制御部１３１において、識別子信号ＩＤＳは復号化されて識別子データＩＤＤとされ、あるいは又、識別子信号ＩＤＳから識別子ＩＤが抽出される。識別子ＩＤや識別子データＩＤＤは、通信接続制御部１３２の制御下、撮影手段２３や識別子サーバ６０へと送出される。また、通信制御部１３１から通信接続制御部１３２を介して撮影開始信号等が撮影手段２３や識別子サーバ６０へと送出される。更には、識別子サーバ６０からの照合結果を、通信制御部１３１は通信接続制御部１３２を介して受け取る。
【０３３１】
以上の構成において、腕時計型送信機の機能制御回路部１１０は、内部に記憶されているプログラムに基づき動作する。
【０３３２】
即ち、機能制御回路部１１０は、身体近接センサー１０７及び装着センサー１０８の出力を身体装着検出回路１０９を介して取り込み、腕時計型送信機が人物１０の腕に装着中であるか否かを判断する。具体的には、身体近接センサー１０７と装着センサー１０８とが共にオン状態にある場合には腕時計型送信機は装着中であると判断し、更に、装着が新規装着であるか否か、言い換えれば、非装着が所定の規定時間以上経過した後の初めての装着であるか否かを判断する。
【０３３３】
そして、新規装着でない場合には（即ち、腕時計型送信機を装着中である場合には）、腕時計型送信機に設けられた無線発信部１０３から識別子信号ＩＤＳが送出され続ける。
【０３３４】
また、新規装着であるならば、機能制御回路部１１０は、ＬＣＤ１０６への表示によって識別子ＩＤの入力を促し、キー１０５の操作に基づく識別子ＩＤの入力を受け取り、識別子ＩＤの設定処理を行う。この識別子ＩＤの設定処理により、識別子ＩＤが識別子メモリ１２１に記憶される。
【０３３５】
一方、腕時計型送信機が装着中でなければ、機能制御回路部１１０は、非装着が所定の規定時間以上継続しているか否かを判断する。そして、非装着が所定の規定時間以上継続している場合には、識別子メモリ１２１に記憶されている識別子ＩＤを消去する。その結果、例えばこの腕時計型送信機が盗難に遭ったり、紛失し、非装着が規定時以上となった場合、識別子メモリ１２１から識別子ＩＤが削除されることにより、セキュリティが確保される。また、腕時計型送信機が装着中でなく、しかも、非装着が規定時間以上でない場合には、報知部１１２を動作させて警報報知を行うと共に、ＬＣＤ１０６に非装着であることを警報報知する。このとき、非装着となっている時間や規定時間までの残存時間をＬＣＤ１０６に表示してもよい。
【０３３６】
識別子信号送出手段を首掛けペンダント型とすることもできる。図１３の（Ｂ）に模式図を示すこの識別子信号送出手段は、機器本体１４０と、この機器本体１４０の上端部に一端を取り付けられた一対の鎖１４１とから構成されている。機器本体１４０の表面側には、風防ガラス１４４、無線発信部１４３、及び、複数のキー１４５が設けられており、機器本体１４０の内部にはＬＣＤ１４６が配置されている。また、機器本体１４０の裏面側には身体近接センサー（図１３の（Ｂ）には図示せず）が配置されており、この身体近接センサーは、腕時計型送信機と同様に、近接して配置された赤外線ＬＥＤと赤外線フォトセンサーから構成されている。また、鎖１４１の先端部には、装着センサーが設けられている。この装着センサーは、各鎖１４１の先端部に設けられた着脱自在に結合可能な一対のフック１４２を結合することでオン状態となるスイッチから構成されている。
【０３３７】
かかる構成においては、鎖１４１を環状にしてフック１４２を結合させると、装着センサーがオン状態となる。また、機器本体１４０の裏面側を人物１０に対向させて鎖１４１を首に掛けると、赤外線ＬＥＤからの赤外光が人物１０に反射して赤外線フォトセンサーにより受光される。その結果、身体近接センサーがオン状態となる。
【０３３８】
尚、機器本体１４０の内部に配設されている回路の構成は、図１４に示した回路構成と同様とすることができるし、首掛けペンダント型識別子信号送出手段の動作も、腕時計型送信機の動作と同様とすることができるので、詳細な説明は省略する。
【０３３９】
腕時計型送信機のケース１００やリストバンド１０１，１０２、首掛けペンダント型識別子信号送出手段の機器本体１４０に指紋を検出する検出手段を設けてもよい。ここで、検出手段は、ケース１００やリストバンド１０１，１０２、機器本体１４０に取り付けられ、あるいは又、キー１０５，１４５の代わりに取り付けられた指紋撮像センサーと、回路に設けられた、指紋撮像センサーで撮像された指紋データを解析する指紋データ解析部、解析された指紋データを認証検査する指紋データ認証検査部、制御部、登録済み指紋データ（識別子ＩＤ）を記憶する登録済指紋データ記憶部（画像メモリ）から構成されている。このような構成においては、指の指紋を指紋撮像センサーに押しつけると、指紋撮像センサーが指紋を撮像して指紋データを出力し、この指紋データは、指紋データ解析部、指紋データ認証検査部を介して制御部に入力される。そして、制御部は、入力された指紋データと、登録済指紋データ記憶部に記憶された指紋データとを照合する。こうして、装着された人物が、固有の識別子が付与された人物であるか否かを検出することができる。
【０３４０】
あるいは又、腕時計型送信機のケース１００や首掛けペンダント型識別子信号送出手段の機器本体１４０に音声を検出する検出手段を設けてもよい。ここで、検出手段は、ケース１００や機器本体１４０に取り付けられ、あるいは又、キー１０５，１４５の代わりに取り付けられたマイクロホンと、回路に設けられた、マイクロホンからの信号をＡ／Ｄ変換するＡ／Ｄ変換部、Ａ／Ｄ変換された音声データを記憶する音声メモリ、終端検出、ケプストラム抽出、特徴抽出の各部で構成される音声データ解析部、この音声データ解析部からの解析データと登録声紋データ部に登録されている声紋データ（識別子ＩＤ）とを照合する声紋データ照合／認証検査部、この声紋データ照合／検証検査部からの検査結果が入力されると共に各部を制御する制御回路から構成されている。このような構成においては、装着センサーがオン状態となっている場合であって、マイクロホンからの音声が登録声紋データ部に登録されている声紋データと一致すると声紋データ照合／認証検査部で判定されると、声紋データを符号化し、識別子信号認識手段に送信する。
【０３４１】
あるいは又、ケース１００や機器本体１４０に署名を検出する検出手段を設けてもよい。ここで、検出手段は、ケース１００や機器本体１４０の上面の風防ガラス１０４，１４４に設けられたタッチ／ペン入力部、回路に設けられた、タッチ／ペン入力部から入力された署名データを解析する署名データ解析部、この署名データ解析部からの解析データと登録署名データ部に登録されている署名データ（識別子ＩＤ）とを照合する署名認証検査部、この署名認証検査部からの検査結果が入力されると共に各部を制御する制御回路から構成されている。
【０３４２】
更には、識別子信号送出手段にＧＰＳシステムやＤ−ＧＰＳシステムを組み込み、識別子信号認識手段によって識別子信号送出手段の位置（即ち、識別子信号送出手段を装着した撮影される人物の位置）を把握し得る構成とすることもできる。
【０３４３】
以上、本発明を、発明の実施の形態に基づき説明したが、本発明はこれらに限定されるものではない。
【０３４４】
撮影される人物が２名以上であり、これらの人物が１回の撮影で同時に撮影される場合もある。このような場合には、例えば、実施の形態１の［ステップ−１００］において、各人物毎に、画像データを、一旦、撮影手段２３内に記憶すればよく、［ステップ−１１０］においては、各人物毎に、画像記録サーバ３０は、撮影日時、人物に付与された識別子ＩＤ、及び、デジタル化された画像データから構成されたデータベース内に、これらのデータをレコードとして記録し、保存すればよい。
【０３４５】
【発明の効果】
本発明においては、識別子信号送出手段と識別子信号認識手段とを備えることによって、撮影される人物に意識されること無く撮影される人物の識別を行うことが可能となり、画像データを容易に取得することができるし、更には、撮影によって得られたデータを記録・編集（加工）し、撮影された人物に容易に配信（提供）することが可能となる。また、撮影される人物がカメラを持参する必要が無いし、知人や友人と一緒の集合撮影を容易に行うことができる。しかも、人手を煩わすことが無いし、シャッターチャンスを逃すことも無く、撮影される人物の何気ない表情等を確実に撮影することも可能となる。更には、「記憶の補助」、即ち、撮影された人物が、見ていないと思っていたが実際には見ていた景色等、あるいは忘れていた景色等を、画像データを見ることで容易に思い出すことができる。
【図面の簡単な説明】
【図１】図１は、発明の実施の形態１の撮影装置／撮影・記録装置／撮影・記録・配信装置の概念図である。
【図２】図２は、発明の実施の形態６の撮影装置／撮影・記録装置／撮影・記録・配信装置の概念図である。
【図３】図３は、発明の実施の形態７の撮影装置／撮影・記録装置／撮影・記録・配信装置の概念図である。
【図４】図４は、発明の実施の形態８の撮影装置／撮影・記録装置／撮影・記録・配信装置の概念図である。
【図５】図５は、発明の実施の形態１３の撮影装置／撮影・記録装置／撮影・記録・配信装置の概念図である。
【図６】図６は、発明の実施の形態１４の撮影装置／撮影・記録装置／撮影・記録・配信装置の概念図である。
【図７】図７は、発明の実施の形態１４の撮影装置／撮影・記録装置／撮影・記録・配信装置の変形例の概念図である。
【図８】図８は、発明の実施の形態１５の撮影装置／撮影・記録装置／撮影・記録・配信装置の概念図である。
【図９】図９は、発明の実施の形態２０の撮影装置／撮影・記録装置／撮影・記録・配信装置の概念図である。
【図１０】図１０は、発明の実施の形態２０の撮影装置／撮影・記録装置／撮影・記録・配信装置の変形例の概念図である。
【図１１】図１１は、発明の実施の形態２１の撮影装置／撮影・記録装置／撮影・記録・配信装置の概念図である。
【図１２】図１２は、発明の実施の形態２２の撮影装置／撮影・記録装置／撮影・記録・配信装置の概念図である。
【図１３】図１３の（Ａ）は腕時計型送信機の模式図であり、図１３の（Ｂ）は首掛けペンダント型識別子信号送出手段の模式図である。
【図１４】図１４は、識別子信号送出手段及び識別子信号認識手段の回路構成及びシステム構成を示すブロック図である。
【符号の説明】
ＩＤ・・・固有の識別子、ＩＤＳ・・・識別子信号、ＩＤＤ・・・識別子データ、１０・・・撮影される人物、２１・・・識別子信号送出手段、２２・・・識別子信号認識手段、２３・・・撮影手段、２４・・・配線、３０・・・画像記録サーバ、４０・・・端末機器、５０・・・通信回線、６０・・・識別子サーバ
【図１】
2004056415.tif 000003
【図２】
2004056415.tif 000004
【図３】
2004056415.tif 000005
【図４】
2004056415.tif 000006
【図５】
2004056415.tif 000007
【図６】
2004056415.tif 000008
【図７】
2004056415.tif 000009
【図８】
2004056415.tif 000010
【図９】
2004056415.tif 000011
【図１０】
2004056415.tif 000012
【図１１】
2004056415.tif 000013
【図１２】
2004056415.tif 000014
【図１３】
2004056415.tif 000015
【図１４】
2004056415.tif 000016